(57)【要約】      （修正有）【課題】ＤＢＡ（動的帯域割当）等の演算能力が不足しないようにすることが可能となる通信装置、通信方法及び通信プログラムを提供する。【解決手段】複数の他通信装置との通信を実行する複数の応答部と、割振部と、を備える通信装置であって、割振部は、他通信装置に通信の帯域を動的に割当する処理であるＤＢＡ等処理を、他通信装置に対応付けられた少なくとも一つの応答部に割振る。ＤＢＡ等処理が割振られた応答部は、所定の条件を満たす場合、ＤＢＡ等処理を実行する。【選択図】図２
2018129775.tif 000002
【特許請求の範囲】
【請求項１】
複数の他通信装置との通信を実行する複数の応答部と割振部とを備える通信装置であって、
前記割振部は、前記他通信装置に通信の帯域を動的に割当する処理であるＤＢＡ等処理を、前記他通信装置に対応付けられた少なくとも一つの前記応答部に割振り、
前記ＤＢＡ等処理が割振られた前記応答部は、所定の条件を満たす場合、前記ＤＢＡ等処理を実行する、
通信装置。
【請求項２】
前記割振部は、識別子と、通信の応答が前記他通信装置から自通信装置に到着した時刻と、前記ＤＢＡ等処理に応じたデータがメモリに生成された時刻とのうち少なくとも一つに基づいて、前記ＤＢＡ等処理を割振る、請求項１に記載の通信装置。
【請求項３】
前記ＤＢＡ等処理が割振られたか否かを前記割振部から前記応答部に通知するためのインタフェース
をさらに備える、請求項１又は請求項２に記載の通信装置。
【請求項４】
前記応答部は、前記割振部として動作する場合、前記他通信装置に対応付けられた少なくとも一つの前記応答部に前記ＤＢＡ等処理を割振る、請求項１から請求項３のいずれか一項に記載の通信装置。
【請求項５】
複数の他通信装置との通信を実行する複数の応答部と割振部とを備える通信装置が実行する通信方法であって、
前記割振部が、前記他通信装置に通信の帯域を動的に割当する処理であるＤＢＡ等処理を、前記他通信装置に対応付けられた少なくとも一つの前記応答部に割振るステップと、
前記ＤＢＡ等処理が割振られた前記応答部が、所定の条件を満たす場合、前記ＤＢＡ等処理を実行するステップと、
を含む通信方法。
【請求項６】
請求項１から請求項４のいずれか一項に記載の通信装置としてコンピュータを機能させるための通信プログラム。
【発明の詳細な説明】
【技術分野】
【０００１】
本発明は、通信装置、通信方法及び通信プログラムに関する。
【背景技術】
【０００２】
通信装置を備える通信システムには、例えば、ＰＯＮ（Ｐａｓｓｉｖｅ  Ｏｐｔｉｃａｌ  Ｎｅｔｗｏｒｋ）システムがある。ＰＯＮシステムは、顧客の宅内等に設置されるＯＮＵ（Ｏｐｔｉｃａｌ  Ｎｅｔｗｏｒｋ  Ｕｎｉｔ：光加入者線終端装置）と、局舎に設置される通信装置であるＯＬＴ（Ｏｐｔｉｃａｌ  Ｌｉｎｅ  Ｔｅｒｍｉｎａｌ：光加入者線端局装置）と、光ファイバ網とを備える。光ファイバ網は、複数のＯＮＵと複数のＯＬＴとを接続する場合がある。
【０００３】
通信装置において、装置の準拠規格、世代、方式、システム、機器種別、製造ベンダの少なくともいずれかに関して依存性の低い機能を部品化し、当該機能のアプリケーションプログラミングインタフェース（ＡＰＩ：Ａｐｐｌｉｃａｔｉｏｎ  Ｐｒｏｇｒａｍｍｉｎｇ  Ｉｎｔｅｒｆａｃｅ）等の入出力インタフェース（ＩＦ：Ｉｎｔｅｒｆａｃｅ）の少なくとも一部を明確化し、汎用性・移植性・拡張性を高めることで、準拠規格、世代、方式、システム、機器種別、製造ベンダの少なくともいずれかが異なる機器間での共用や独自機能の追加を容易とすることができる（例えば、非特許文献１参照）。
【先行技術文献】
【非特許文献】
【０００４】
【非特許文献１】”ＦＡＳＡホームページへようこそ”、［online］、ＮＴＴアクセスサービスシステム研究所、［平成２８年１２月２０日検索］、インターネット〈URL：http://www.ansl.ntt.co.jp/j/FASA/index.html〉
【発明の概要】
【発明が解決しようとする課題】
【０００５】
通信装置（アクセス装置）の汎用性・移植性・拡張性向上には、機能部品の組み合わせの自由度が高められた通信装置が必要である。しかしながら、動的帯域割当（ＤＢＡ：  Ｄｙｎａｍｉｃ  Ｂａｎｄｗｉｄｔｈ  Ａｌｌｏｃａｔｉｏｎ）、動的波長割当（ＤＷＡ：  Ｄｙｎａｍｉｃ  Ｗａｖｅｌｅｎｇｔｈ Ａｌｌｏｃａｔｉｏｎ）、動的波長帯域割当（ＤＷＢＡ：  Ｄｙｎａｍｉｃ  Ｗａｖｅｌｅｎｇｔｈ  ａｎｄ  Ｂａｎｄｗｉｄｔｈ  Ａｌｌｏｃａｔｉｏｎ）（以下「ＤＢＡ等」という。）の機能としては、通信装置等に追加された機能部品の機能は不足している場合がある。逆に、追加されたＤＢＡ等の機能が高機能である場合には、通信装置等の演算能力が不足してしまう場合がある。
【０００６】
これらのように、ＤＢＡ等の機能を単に追加するのみでは、ＤＢＡ等を演算する機能部品等であるリソースが不足してしまう。特に、計算機能が非力な通信機器等がＯＮＵあたりの計算負荷の高いＤＢＡ等を実行した場合には、通信に大きな遅延が生じてしまう。しかしながら、ＤＢＡ等を演算する機能部品等であるリソースの配置は、様々である。リソースの組み合わせによっては、通信装置等におけるＤＢＡ等の演算能力が不足する場合がある、という問題があった。
【０００７】
上記事情に鑑み、本発明は、ＤＢＡ等の演算能力が不足しないようにすることが可能である通信装置、通信方法及び通信プログラムを提供することを目的としている。
【課題を解決するための手段】
【０００８】
本発明の一態様は、複数の他通信装置との通信を実行する複数の応答部と割振部とを備える通信装置であって、前記割振部は、前記他通信装置に通信の帯域を動的に割当する処理であるＤＢＡ等処理を、前記他通信装置に対応付けられた少なくとも一つの前記応答部に割振り、前記ＤＢＡ等処理が割振られた前記応答部は、所定の条件を満たす場合、前記ＤＢＡ等処理を実行する、通信装置である。
【０００９】
本発明の一態様は、上記の通信装置であって、前記割振部は、識別子と、通信の応答が前記他通信装置から自通信装置に到着した時刻と、前記ＤＢＡ等処理に応じたデータがメモリに生成された時刻とのうち少なくとも一つに基づいて、前記ＤＢＡ等処理を割振る。
【００１０】
本発明の一態様は、上記の通信装置であって、前記ＤＢＡ等処理が割振られたか否かを前記割振部から前記応答部に通知するためのインタフェースをさらに備える。
【００１１】
本発明の一態様は、上記の通信装置であって、前記応答部は、前記割振部として動作する場合、前記他通信装置に対応付けられた少なくとも一つの前記応答部に前記ＤＢＡ等処理を割振る。
【００１２】
本発明の一態様は、複数の他通信装置との通信を実行する複数の応答部と割振部とを備える通信装置が実行する通信方法であって、前記割振部が、前記他通信装置に通信の帯域を動的に割当する処理であるＤＢＡ等処理を、前記他通信装置に対応付けられた少なくとも一つの前記応答部に割振るステップと、前記ＤＢＡ等処理が割振られた前記応答部が、所定の条件を満たす場合、前記ＤＢＡ等処理を実行するステップと、を含む通信方法である。
【００１３】
本発明の一態様は、上記の通信装置として機能させるための通信プログラムである。
【発明の効果】
【００１４】
本発明により、ＤＢＡ等の演算能力が不足しないようにすることが可能となる。
【図面の簡単な説明】
【００１５】
【図１】実施形態における、通信装置の構成の第１例を示す図である。
【図２】実施形態における、通信装置の構成の第２例を示す図である。
【図３】実施形態における、通信装置のアーキテクチャの第１例を示す図である。
【図４】実施形態における、通信装置のアーキテクチャの第２例を示す図である。
【図５】実施形態における、通信装置のアーキテクチャの第３例を示す図である。
【図６】実施形態における、通信装置のアーキテクチャの第４例を示す図である。
【図７】実施形態における、通信装置のアーキテクチャの第５例を示す図である。
【図８】実施形態における、通信装置及び外部サーバの構成の例を示す図である。
【図９】実施形態における、光アクセスシステムの構成の例を示す図である。
【図１０】実施形態における、通信装置内の機能部間の信号／情報の流れを示す図である。
【図１１】実施形態における、ＰＯＮ主信号処理機能部が有する機能構成の例を示す図である。
【図１２】実施形態における、ＰＯＮアクセス制御機能部が有する機能構成の例を示す図である。
【図１３】実施形態における、Ｌ２主信号処理機能部が有する機能構成の例を示す図である。
【図１４】実施形態における、保守運用機能部が有する機能構成の第１例を示す図である。
【図１５】実施形態における、保守運用機能部が有する機能構成の第２例を示す図である。
【図１６】実施形態における、保守運用機能部が有する機能構成の第３例を示す図である。
【図１７】実施形態における、ＰＯＮマルチキャスト機能部が有する機能構成の例を示す図である。
【図１８】実施形態における、省電力制御機能部が有する機能構成の例を示す図である。
【図１９】実施形態における、周波数・時刻同期機能部が有する機能構成の例を示す図である。
【図２０】実施形態における、プロテクション機能部が有する機能構成の例を示す図である。
【図２１】実施形態における、通信装置のアーキテクチャの詳細の例を示す図である。
【図２２】実施形態における、通信装置内の機能部間の信号／情報の流れを示す図である。
【図２３】実施形態における、通信装置が実行するアプリの例を示す図である。
【図２４】実施形態における、ＣＰＵパッケージの代わりにサーバ等にアプリを配置した例を示す図である。
【図２５】実施形態における、ＣＰＵ、スイッチ部（ＳＷ）及びＯＳＵの機能の例を示す図である。
【図２６】実施形態における、主要８機能のアプリの処理とＧ．９８９．３機能との対応の例を示す図である。
【図２７】実施形態における、ＰＬＯＡＭ及びＯＭＣＩをＳＷ経由で取得する構成の例を示す図である。
【発明を実施するための形態】
【００１６】
本発明の実施形態について、図面を参照して詳細に説明する。
【００１７】
（実施形態１）
図１は、通信装置の構成の第１例を示す図である。図１には、本実施形態に関係する機能ブロックのみを示す。通信システム１は、通信装置であるＯＬＴ２ａと、ＯＮＵ３−１〜３−Ｎとを備える。ＯＬＴ２ａは、応答部４−１〜４−Ｎ（Ｎは２以上の整数）を備える。応答部４は、例えば、ＣＰＵ（Central Processing Unit）等のプロセッサやそれを構成するコアが、非一時的又は一時的なメモリに記憶されたプログラムを実行することにより機能するソフトウェア機能部である。また、応答部４は、ＬＳＩ（Large Scale Integration）やＡＳＩＣ（Application Specific Integrated Circuit）やFPGA等のハードウェア機能部であってもよい。
【００１８】
ＯＮＵ毎に処理する応答部４を固定してもよいが、以下では、複数の応答部４のうち処理毎及び時間毎に異なる応答部４が、同一のＯＮＵ３に対する処理を実行する。
ＯＬＴ２ａに係る応答部４は、所定の相対する装置又はその一部の、通信応答処理や、通信の帯域を動的に割当する演算処理の実行を、複数の応答部４のうち少なくとも一つに割振る。すなわち、応答部４は、処理を割振る機能部として動作する場合、少なくとも一つの応答部４にＤＢＡ等の処理や通信応答処理を割振る。所定の相対する装置とは、例えば、ＯＮＵ３である。
【００１９】
応答部４は、例えば、ＯＮＵ―ＩＤやＬＬＩＤ（Ｌｏｇｉｃａｌ  Ｌｉｎｋ  ＩＤ）やＡｌｌｏｃ−ＩＤやＴ−ＣＯＮＴやＭＡＣアドレスやＩＰアドレスやＶＩＤ等の識別子と、ＤＢＡ等の処理や通信応答処理又はその処理に係る通信がＯＮＵ３等の相対する装置からＯＬＴ２ａに到着した時刻と、ＤＢＡ等の処理や通信応答処理に応じたデータがメモリ又はCPUやそれを構成するコアやＬＳＩやＡＳＩＣやＦＰＧＡ等に生成された時刻（以下「処理が生成された時刻」という。）とのうち少なくとも一つに基づいて、いずれか対応するかを定める。すなわち、応答部４は、応答部４の識別子と、ＤＢＡ等の処理や通信応答処理又はその処理に係る通信がＯＮＵ３等の相対する装置からＯＬＴ２ａに到着した時刻と、ＤＢＡ等の処理や通信応答処理に応じたデータがメモリ又はＣＰＵやそれを構成するコアやＬＳＩやＡＳＩＣやＦＰＧＡ等に生成された時刻とのうち少なくとも一つに基づいて、今回のＤＢＡ等の処理や通信応答処理に対応付けられた少なくとも一つの応答部４にＤＢＡ等の処理や通信応答処理を割振る。例えば、応答部４は、識別子に対応付けられた応答部４に、時刻順に応じてＤＢＡ等の処理や通信応答処理を割振る。
ここで、ＬＬＩＤ、Ａｌｌｏｃ−ＩＤ、Ｔ−ＣＯＮＴ、ＩＰアドレスは単一装置に複数付与でき、ＭＡＣアドレスはNIC毎に付与されるため、複数のＬＬＩＤ、Ａｌｌｏｃ−ＩＤ、Ｔ−ＣＯＮＴ、ＩＰアドレス、ＮＩＣを備える場合、ＬＬＩＤ、Ａｌｌｏｃ−ＩＤ、Ｔ−ＣＯＮＴ、ＩＰアドレス、ＭＡＣアドレスは相対する装置の一部を示す識別子となる。
また、今回の処理としたが、輻輳や故障等の切替契機が発生するまでは、ＯＮＵ３等の相対する装置又はその一部の係る処理を固定的と特定の応答部4に割振ってもよい。
【００２０】
各応答部４は、例えば、昇順、降順、ラウンドロビン、重みづけに応じたラウンドロビン（重みづけラウンドロビン）、ランダム、帯域の割当の履歴、通信の導通の履歴、通信要求の履歴、DBA等の処理や通信応答処理の履歴、対応部4の処理履歴、対応部４の利用可能な計算リソースやメモリリソース、対応部4の利用コスト、対応部4までの利用可能な通信リソース、対応部４までの通信コストのうちいずれか又は組み合わせに基づいて、ＤＢＡ等の処理や通信応答処理を各応答部４に割振る。重みづけは、例えば、演算能力やメモリ等のリソース自体又はそれらの利用可能なリソース量に応じてでもよいし、消費電力が高いリソースの利用量が低減するようにしてもよい。
【００２１】
応答部４は、ＤＢＡ等の処理や通信応答処理を引き受けるか否かを判定する。応答部４は、処理負荷が所定の値よりも高い又は低い場合、ＤＢＡ等の処理や通信応答処理を引き受けない。引き受ける応答部４がいない場合、所定の条件を満たす応答部４は、昇順、降順、ラウンドロビン、重みづけラウンドロビン、ランダム、履歴のいずれか又はそれらの組み合わせに基づいて、ＤＢＡ等の処理や通信応答処理を引き受けてもよい。
【００２２】
所定の条件とは、例えば、処理負荷が所定値よりも低い又は高いという条件である。処理負荷が低い応答部４の割振りを処理負荷の高い応答部４に割振ることで、処理負荷の低い応答部４を休止させたり削除したりすることによって、当該リソースの解放が可能となる。処理負荷の高い応答部４の処理を処理負荷の低い応答部４に割振ることで、処理負荷の平準化が可能となる。応答又は処理を割振られている応答部４の全体または一部の処理負荷が所定の値を超過する場合、応答部４は、休止中の応答部４を起動することが望ましく、新規にリソースを割当して応答部４を追加することが望ましい。
【００２３】
図２は、通信装置の構成の第２例を示す図である。図２には、本実施形態に関係する機能ブロックのみを示す。通信システム１は、通信装置であるＯＬＴ２ｂと、ＯＮＵ３−１〜３−Ｎとを備える。ＯＬＴ２ｂは、応答部４−１〜４−Ｎと、割振部５とを備える。以下、ＯＬＴ２ａとＯＬＴ２ｂとに共通する事項については「ＯＬＴ２」と表記する。
【００２４】
以下では、割振部５の処理を応答部４の間の連携で実施しても同様である。以下では、ＤＢＡのほか、ＤＷＡやＤＷＢＡ等の他のＤＢＡ等の処理でも同様である。
【００２５】
割振部５は、例えば、ＣＰＵ等のプロセッサやそれを構成するコアが、非一時的又は一時的なメモリに記憶されたプログラムを実行することにより機能するソフトウェア機能部である。また、割振部５は、ＬＳＩやＡＳＩＣやＦＰＧＡ等のハードウェア機能部であってもよい。割振部５は、ＤＢＡ等の処理や通信応答処理の割振又は休止又は起動又は追加又は削除の少なくともいずれか一つを行う。割振部５は、応答部４の負荷情報等を収集して、応答部４の負荷分散や集中指示してもよい。割振部５は、応答部４からの通知を受けて、他の応答部４に又は他の応答部４から処理を移してもよい。割振部５は、識別子と、通信の応答がＯＮＵ３からＯＬＴ２ｂに到着した時刻と、ＤＢＡ等に応じたデータがメモリに生成された時刻とのうち少なくとも一つに基づいて、ＤＢＡ等の処理や通信応答処理を割振る。
負荷情報等は、処理対象としている識別子数や処理対象且つ処理中の識別子数やリソースの利用率や利用可能なリソースがやコスト等である。
【００２６】
応答部４は、固定値、ＯＮＵ３又はＡｌｌｏｃ−ＩＤ又はＴ−ＣＯＮＴ又はＬＬＩＤ毎の固定帯域設定、保証帯域設定、非保証帯域設定等の設定値、割当、割当結果、割当履歴、割当に伴うデータ導通、導通履歴、要求、要求履歴、最新又は過去の割当の継続（過去割当利用の場合、先の割当と今回の割当の時間経過分を加算した時間を送信開始時刻とする、ＯＮＵ３に対して通知する現在時刻を過去事項とする等が望ましい）の少なくともいずれかを用いて割当する。
【００２７】
要求とは、ＯＮＵ３の申告で上り帯域若しくは送信時間を要求するもの又はそれを予測したものをいう。要求、要求履歴は、一部又は全てを応答部４で処理や保持してもよいし、一部又は全てを割振部５で処理や保持してもよいし、一部又は全てを応答部４と割振部５で独立して処理や保持してもよいし、一部又は全てを応答部４と割振部５で一方で処理や保持して他方に渡してもよいし、一部又は全てを応答部４と割振部５以外で処理や保持して応答部４と割振部５の少なくとも一方に渡してもよい。
【００２８】
要求は、要求自体を用いてもよいし、割当又は割当結果又は割当履歴又はデータ導通又は導通履歴又は要求又要求履歴等から予測した予測を用いてもよいし、両者を併用してもよい。要求の予測は少なくともその一部を応答部４又はそれ以外で実施してもよいし、要求の実施個所で、割当又は割当結果又は割当履歴又はデータ導通又は導通履歴又は要求又要求履歴等の予測に必要な情報の入力を受けるのが望ましい。
【００２９】
履歴は、例えば、所定時間の指数平均、移動平均、所定の間隔で履歴をリセットする形の平均、及びその他の統計処理をした履歴である。要求又は要求履歴は、入力した割当又は割当履歴、又はデータ導通又は導通履歴、又は割当結果や、要求又は要求履歴とから、将来の要求又は本来割当するべきであったが割当してない帯域を予測してもよい。
【００３０】
予測は、一次関数や二次関数や指数平均や移動平均等の統計処理により予測してもよいし、過去の要求や割当利用の結果や、サーバとの距離等に応じて設定したＲＴＴ（Ｒｏｕｎｄ  Ｔｒｉｐ  Ｔｉｍｅ）等に基づくＴＣＰ（Ｔｒａｎｓｍｉｓｓｉｏｎ  Ｃｏｎｔｒｏｌ  Ｐｒｏｔｏｃｏｌ）等の挙動を基に予測してもよいし、未使用割当がなければ保証帯域設定と予測してもよいし、未使用割当がなければ保証帯域設定が非零又は保証帯域設定から固定帯域設定を減じた値が非零で且つ未使用割当がない又は保証帯域設定を超過して要求のある割当対象で非保証帯域を保証帯域設定又は保証帯域設定から固定帯域設定を減じた値に応じて按分した帯域と予測してもよいし、未使用割当がなければ未使用割当がない又は保証帯域設定を超過して要求のある割当対象でベストエフォート帯域を按分した帯域と予測してもよい。
【００３１】
また、複数の予測方法を組み合わせて予測してもよい。データ導通は、応答部４、割振部５、それ以外の箇所例えば主信号が導通する後述のＳＷ、プロキシ部、主信号あるいは制御信号のネットワークの上位側の装置のいずれで検出してもよい。導通量の処理や、データ導通の履歴である導通履歴は、応答部４、割振部５、それ以外の箇所例えば主信号が導通する後述のＳＷ、プロキシ部、上位側の装置やオペレーションシステムやコントローラ等の導通量の検出結果を処理や保持する箇所で処理や保持してもよい。オペレーションシステムやコントローラ等で実施の場合、例えばＳＮＭＰ（Ｓｉｍｐｌｅ  Ｎｅｔｗｏｒｋ  ｍａｎａｇｅｍｅｎｔ  Ｐｒｏｔｏｃｏｌ）やＮＥＴＣＯＮＦ（Ｎｅｔｗｏｒｋ  Ｃｏｎｆｉｇｕｒａｔｉｏｎ  Ｐｒｏｔｏｃｏｌ）やオープンフロー等でオペレーションシステムやコントローラ等に入力されるトラフィック情報を処理や保持すればよい。導通又は導通履歴又は割当又は割当結果又は割当履歴も要求や要求履歴同様に、その一部又は全てを応答部４、割振部５やそれ以外のいずれかや、又はその全てで用いたり、相互に渡してもよい。
【００３２】
応答部４で受信した要求、応答部４で受信した要求に基づき応答部４で予測した要求、予測受信に基づき予測することが主と考えられるが、以下の構成であってもよい。
【００３３】
・割振部５で要求を終端して利用する構成。応答部４は要求によらずに割当を行い、割振部５でのみ要求を利用する。
・割振部５で要求を終端し、割振部５での利用有又は無のいずれかで、要求又は要求予測を応答部４に転送する構成。
・応答部４と割振部５との両方で要求を終端して、それぞれ独立に利用する構成。
・応答部４で要求を終端して、応答部４で利用する構成。
・応答部４で要求を終端して、応答部４での利用有又は無のいずれかで、要求又は要求予測を割振部５に転送する構成。
・割振部５で要求を終端して要求履歴も割振部５で保持する構成。
・割振部５で要求を終端して、割振部５での利用有又は無のいずれかで、要求履歴は応答部４で保持する構成。
・応答部４と割振部５との両方で要求を終端して、両方で要求履歴を保持する構成。
・応答部４で要求を終端して、応答部４で要求履歴を保持する構成。
・応答部４で要求を終端して、要求履歴を割振部５に保持する構成。
【００３４】
本実施形態での割振部５は、主に「応答部４の負荷分散／集中」と「ＤＢＡ処理等の対象間の公平性」とのいずれかを実現するために実施する。
「応答部４の負荷分散／集中」のためには、例えば、各応答部４に割振されるＯＮＵ３やその一部等の識別子や、要求等が到着した時間領域の配分を変更すればよい。
「ＤＢＡ処理等の対象間の公平性」のためには、例えば、各応答部４に割振されるＯＮＵ３やその一部等の識別子を変更する。又は割当対象となる送信時間、又は割振対象の送信時刻や受信時刻の時間領域の配分を変更すれば良い。
例えば、応答処理等の処理量や頻度の又はそれらの履歴の少なくともいずれかを検出し、検出値が平準化するように組替する。
【００３５】
平準化の観点から、割当又は割当結果又は割当履歴又は割当に伴うデータ導通又は導通履歴又は要求又は要求履歴の少なくともいずれかを検出し、検出結果と通信事業者やサービスによって異なるサービスポリシーに応じた所望の割当の差異に応じて、設定値の変更、一部に対する割当抑止又は優先割当、所定期間の割当の情報が前記所望の割当よりも小さい割当対象に対する優先割当、所定期間の割当の情報が前記所望の割当よりも大きい割当対象に対する割当抑止、所定期間の割当の情報が前記所望の割当より小さい割当対象に対して割当を増加させる、所定期間の割当の情報が前記所望の割当より大きい割当対象に対して割当を減少させる、所定期間の割当の情報が小さい割当対象の割当順を割当が大きい順番、所定期間の割当の情報が大きい割当対象の割当順を割当が小さい順番、所定期間の割当の情報が小さい割当対象の割当が大きくなる、所定期間の割当の情報が大きい割当対象の割当が小さくなる等である。
【００３６】
所望の割当は、要求のある割当対象に、その要求又は要求の予測値又は要求又は要求の予測値にそこからのずれを検出するための帯域を加えた帯域を上限として、所定の比率に応じた帯域でよい。所定の比率は、例えば、保証帯域設定又は保証帯域設定から固定帯域設定を減じた値の比率である。所定の帯域は波長毎又は符号毎又はキャリア周波数毎又は心線毎又はコア毎又はモード毎又は符号毎又は（直交）周波数毎又はそれらの少なくとも一部の組み合わせや、それらに対応するＴＲｘ（Ｔｒａｎｓｍｉｔｔｅｒ  ａｎｄ  Ｒｅｃｅｉｖｅｒ）やＴｘ（Ｔｒａｎｓｍｉｔｔｅｒ）やＲｘ（Ｒｅｃｅｉｖｅｒ）単位で設定してもよいし、複数の波長又は符号又はキャリア周波数又は心線又はコア毎又はモード毎又は符号毎又は（直交）周波数毎又はそれらの少なくとも一部の組み合わせ等のＴＲｘやＴｘやＲｘを束ねたＯＳＵ単位やＯＳＵ中のＳＷ（Ｓｗｉｔｃｈ）単位で設定してもよいし、複数の波長又は符号又はキャリア周波数又は心線又はコア毎又はモード毎又は符号毎又は（直交）周波数毎又はそれらの少なくとも一部の組み合わせ等のＴＲｘやＴｘやＲｘ又はＯＳＵを束ねたＳＷ単位で設定してもよいし、上位側の装置の帯域を共用する割当対象単位で設定してもよい。所望の割当は、割当単位毎の最大帯域設定を上限とすることが望ましく、ＴＲｘやＴｘやＲｘやそれらを束ねたものとしての総帯域設定があればそれを上限とすることが望ましい。
【００３７】
以下では、「割振部５」は、図１に示されている複数の応答部４のうちの少なくとも一つでもよいし、図２に示されている割振部５でもよい。
図１の場合は、特定の応答部４に割振り部を備えていてもよいし、複数の応答部４の間の処理の協調の結果が実行的に割振部５での処理と同様となるのでもよい。応答部４又は応答部４と割振部５の組は、後述する１つの指示部の中又は複数の指示部の間に適用してもよいし、後述する１つの実行部の中又は複数の実行部の間に適用してもよいし、指示部と実行部の組み合わせに適用してもよい。
【００３８】
所定期間の割当の所望の割当への近づけ方は任意であり、以下が例示できる。
応答部４は、あらかじめ定められた設定又は帯域で割当を継続する。割振部５は、応答部４に対して割当が所望よりも超過する割当対象に対して割当抑止又は優先割当停止又は割当抑止も優先割当も無、不足する割当対象に対して優先割当又は割当抑止停止又は割当抑止も優先割当も無の少なくともいずれかを指示する。ここで優先割当や割当抑止や優先割当停止や割当抑止停止無との指示は指示前が逆の状態の場合に行うか、超過であれば不足側で指示、不足であれば超過側で指示することで当該側は指示しなくともよい場合等である。
【００３９】
割当抑止と優先割当の帯域は、割振部５から明示的に指示してもよいし、所定の粒度でその粒度の幾つ分が指示してもよいし、割振部５は割当抑止のみ、優先割当のみ、割当抑止と優先割当のみ、割当抑止と優先割当と割当抑止も優先割当もしないこと、割当抑止停止と優先割当停止のみ等を指示してもよい。また、抑止は当該割当対象の割当を完全抑止して零としてもよく、優先は割当可能な全帯域を当該割当対象に割当してもよい。応答部４への指示は、割当対象がＯＮＵ３−１〜３−３とすれば、例えば、割当抑止対象のみに印、例えば「１」を付与し、割当抑止対象外には印なし、例えば「０」のままとし、ＯＮＵ３−１のみ抑止であれば、（ＯＮＵ３−１，ＯＮＵ３−２，ＯＮＵ３−３）＝（１，０，０）に対応して指示する。優先割当対象のみに印、例えば「１」を付与し、割当抑止対象外には印なし、例えば「０」のままとし、ＯＮＵ３−１のみ抑止であれば、（ＯＮＵ３−１，ＯＮＵ３−２，ＯＮＵ３−３）＝（１，０，０）に対応して指示する。
【００４０】
優先割当と割当抑止の対象にのみに印、例えば、それぞれ「１」「２」を付与し、割当抑止対象外には印なし、例えば「０」のままとし、ＯＮＵ３−１とＯＮＵ３−２がそれぞれ優先と抑止であれば、（ＯＮＵ３−１，ＯＮＵ３−２，ＯＮＵ３−３）＝（１，２，０）に対応して指示する。優先又は抑止対象のＯＮＵ番号で指示してもよい。また、優先又は抑止のみではなく、優先又は抑止する容量自体を又は帯域又は設定帯域を列挙してもよい。例えば、ＯＮＵ３−１が優先２０Ｍｂｉｔ／ｓ相当、ＯＮＵ３−２が抑止１０Ｍｂｉｔ／ｓ相当として、（ＯＮＵ３−１，ＯＮＵ３−２，ＯＮＵ３−３）＝（２０，−１０，０）に対応して指示してもよい。
【００４１】
また、応答部４は、あらかじめ定められた設定で割当を継続する。割振部５は、応答部４に対して割当が所望よりも超過する割当対象に対して設定値を減少し、不足する割当対象に対して設定値を増加する指示をする。設定値は、割振部５から明示的に指示してもよいし、所定の粒度でその粒度の幾つ分等で指示してもよいし、割振部５は設定値増減と初期設定に戻すことを指示してもよい。応答部４への指示は、割当対象がＯＮＵ３−１〜３−３、固定帯域、保証帯域、最大帯域の各設定値Ｐ＿ＦＸＢｉ、Ｐ＿ＧＵＢｉ、Ｐ＿ＭＡＢｉ（ｉ＝１〜３）等の一部或いは全ての具体的な値に対応する値を指示してもよいし、該当する設定値の増減値を指示してもよいし、それ以外の設定値に関して指示してもよい。
【００４２】
応答部４に設定又は割振部５から指示する設定変更の値の別の例を示す。
・要求有又は要求有との予測且つ所望の割当から所定期間の割当履歴が低い割当対象にその差分を単一または複数の所定期間で除した帯域を、最大帯域設定を上限として加算した帯域設定とする。
・要求有又は要求有と予測且つ所望の割当から所定期間の割当履歴が低い割当対象にその差分を単一または複数の所定期間で除した帯域を加算した帯域設定とする。
・要求有又は要求有との予測且つ所望の割当から所定期間の割当履歴が低い割当対象に当該割当対象の保証帯域設定とする。
・要求有又は要求有との予測且つ所望の割当から所定期間の割当履歴が低い割当対象に当該割当対象の保証帯域設定に非保証割当帯域又はベストエフォート帯域又はその予測値を当該割当対象に応じて按分した帯域を加えた値を帯域設定とする。
・要求有又は要求有との予測且つ所望の割当から所定期間の割当履歴が高い割当対象にその差分を単一または複数の所定期間で除した帯域を、固定帯域設定を下限として減算した帯域設定とする。
・要求有又は要求有と予測且つ所望の割当から所定期間の割当履歴が高い割当対象にその差分を単一または複数の所定期間で除した帯域を減算した帯域設定とする。
・要求有又は要求有との予測且つ所望の割当から所定期間の割当履歴が高い割当対象に当該割当対象の保証帯域設定又は固定帯域設定とする。
・要求有又は要求有との予測且つ所望の割当から所定期間の割当履歴が高い割当対象に当該割当対象の保証帯域設定に非保証割当帯域又はベストエフォート帯域又はその予測値を当該割当対象に応じて按分した帯域よりも少ない帯域を加えた値を設定値とする。
・要求無又は要求無との予測の割当対象に当該割当対象の保証帯域設定又は固定帯域設定。
【００４３】
応答部４は、割振部５より指示された割当で割当を継続する。割振部５は、応答部４に対して割当が所望よりも超過する割当対象の割当が減少、不足する割当対象に対して割当が増大の少なくともいずれか一方となる割当を指示する。指示は、割当対象毎の所定の周期における割当帯域であってもよいし、ＢＷＭａｐにて指示するＡｌｌｏｃ−ＩＤとＡｌｌｏｃ−ＩＤに対応して割当する時間スロットであってもよいし、所定の期間における割当対象毎の送信開始時間と送信継続時間であってもよい。指示は、割当対象への割当が応答部４で可能な形式であればよい。所定の期間は、単数又は複数のＢＷＭａｐ分であってもよいし、単数又は複数のＤＢＡサイクル分であってもよいし、換算可能であれば整数倍以外のＢＷＭａｐやＤＢＡサイクル分であってもよい。応答部４の割振部５からの新しい割当に変更する時期は、割当が一巡するタイミングが望ましいが、新しい割当が到着次第であってもよい。
【００４４】
応答部４が変更されなくても、割振部５の指示する割当を変更すれば、柔軟な割当が可能である。
応答部４に設定又は割振部５から指示する割当の別の値の例を示す。
【００４５】
・要求有又は要求有との予測且つ所望の割当から所定期間の割当履歴が低い割当対象にその差分を単一または複数の所定期間で除した帯域を最大帯域設定を上限として加算する。
・要求有又は要求有と予測且つ所望の割当から所定期間の割当履歴が低い割当対象にその差分を単一または複数の所定期間で除した帯域を加算する。
・要求有又は要求有との予測且つ所望の割当から所定期間の割当履歴が低い割当対象に当該割当対象の保証帯域設定とする。
・要求有又は要求有との予測且つ所望の割当から所定期間の割当履歴が低い割当対象に当該割当対象の保証帯域設定に非保証割当帯域又はベストエフォート帯域又はその予測値を当該割当対象に応じて按分した帯域を加えた値とする。
・要求有又は要求有との予測且つ所望の割当から所定期間の割当履歴が高い割当対象にその差分を単一または複数の所定期間で除した帯域を、固定帯域設定を下限として減算する。
・要求有又は要求有と予測且つ所望の割当から所定期間の割当履歴が高い割当対象にその差分を単一または複数の所定期間で除した帯域を減算する。
・要求有又は要求有との予測且つ所望の割当から所定期間の割当履歴が高い割当対象に当該割当対象の保証帯域設定又は固定帯域設定とする。
・要求有又は要求有との予測且つ所望の割当から所定期間の割当履歴が高い割当対象に当該割当対象の保証帯域設定に非保証割当又はベストエフォート帯域又はその予測値を当該割当対象に応じて按分した帯域よりも少ない帯域を加えた値とする。
・要求無又は要求無との予測の割当対象に当該割当対象の保証帯域設定又は固定帯域設定とする。
【００４６】
所定期間の割当の所望の割当への近づけ方は任意であり、以下が例示できる。
応答部４は、割当の順番に応じて大きな帯域を割当する。例えば、割当順が第１の割当対象に全てを割当、第１の割当対象にその要求又は要求予測等を上限として割当して残りを後の順の割当対象に割当を継続する。この例の場合は前方の順番が割当が大きい順番であり、後方が割当が小さい順番である。逆の場合は逆となる。応答部４の割当順は、割振部５からの指示がなければ毎回同一の順番であってもよく。単数又は複数回の割当毎に順番を繰り上げたり繰り下げたりしてシフトして循環するように順番を変えてもよい。割振部５は、応答部４に対して割当が所望よりも超過する割当対象に対して応答部４での割当が小さい順番となるか、不足する割当対象に対して応答部４での割当が大きい順番となるかの少なくとも一方を指示することで所望の割当に近づける。割当毎に順番を繰り上げたり繰り下げたりシフトする場合は、特に検出結果と所望の割当との差異の大きい順に割当順を並べることが望ましい。割当順の変更は割当周期毎又は要求又は要求予測が非零の割当対象数分の割当周期毎が望ましいが、指数平均等の履歴を少なくとも一部継続し検出する処理を用いればそれ以外であってもよく、周期の位相がずれていてもよい。
【００４７】
また、前方の順番ほど大きな帯域を割当する応答部４に割振部５から指示する割当順の例を示す。降順ほど大きな帯域を割当する応答部４への指示であれば以下の例の前方と後方が逆となる。
【００４８】
・要求有又は要求有との予測且つ所望の割当から所定期間の割当履歴が低い割当対象にその差分を解消するように単一または複数の所定期間割当の順番をより前方に配置するようにする。
・要求有又は要求有と予測且つ所望の割当から所定期間の割当履歴が低い割当対象にその差分を解消するように単一または複数の所定期間割当の順番をより前方に配置するようにする。
・要求有又は要求有との予測且つ所望の割当から所定期間の割当履歴が高い割当対象にその差分を解消するように単一または複数の所定期間割当の順番をより後方に配置するようにする。
・要求有又は要求有と予測且つ所望の割当から所定期間の割当履歴が高い割当対象にその差分を解消するように単一または複数の所定期間割当の順番をより後方に配置する。
所定期間の割当の所望の割当への近づけ方は任意であり、以下が例示できる。
【００４９】
応答部４は、割振部５より指示された割当又は設定で割当を継続する。割振部５は、応答部４に対して割当が所望よりも超過する割当対象に割当が小さくなる、不足する割当対象に対して割当が大きくなる、の少なくともいずれかとなる割当又は設定への切替を指示する。応答部４の割振部５からの新しい割当又は設定に変更する時期は、ＤＢＡやＤＷＡやＤＷＢＡ等の割当に関する周期や、割当が少なくとも要求有又は要求有と予測される割当対象への割当が一巡する周期で同期した時期又は現設定での割当が完了したタイミングが望ましいが、新しい割当又は設定への切替指示が到着次第であってもよい。特に、指数平均等の履歴を少なくとも一部継続し検出する処理を用いれば周期同士が倍数関係等になくとも非同期であってもよい。
【００５０】
柔軟な割当の例としては、応答部４の割当比がＯＮＵ３−１〜３−３均等固定であり、所望の割当比が１：２：３である場合、例えば、割振部５は、そのＯＮＵ３の割当比をＯＮＵ３の割当比の総和で除した期間の割当比のみ完全優先して、他の期間は完全抑止する。完全優先の期間の割当比をＯＮＵ３−１、ＯＮＵ３−２、ＯＮＵ３−３でそれぞれ１／６、２／６、３／６となるように完全優先と完全抑止を組み合わせることで、１：２：３の割当比とできる。
【００５１】
柔軟な割当の例としては、所定の期間の使用帯域積が上限の設定のある新サービスを既存の装置で提供することが、割振部５で上限に達したら設定値を変更するように応答部４にて指示することで応答部４を変更することなく、実現できる。
【００５２】
柔軟な割当の例としては、応答部４の割当順がＯＮＵ３−１〜３−３で均等となる割当順、例えば１→２→３→１→…と巡回して大きな帯域を割当し、所望の割当比が１：２：３である場合、例えば、割振部５は、そのＯＮＵ３の割当比で大きな帯域を割当する順番とすればよい。例えば、１→２→２→３→３→３→…とすることで、１：２：３の割当比とできる。
【００５３】
柔軟な割当の例としては、所定の期間の使用帯域積が上限の設定のある新サービスを既存の装置で提供することが、割振部５で上限に達したら上限に達した割当対象の設定値を変更するように応答部４にて指示することで、応答部４を変更することなく実現できる。
【００５４】
応答部４に設定又は割振部５から指示する優先割当と割当抑止の値の例を示す。
・要求有又は要求有との予測且つ所望の割当から所定期間の割当履歴が低い割当対象にその差分が解消するように単一または複数の所定期間優先割当を指示する。
・要求有又は要求有と予測且つ所望の割当から所定期間の割当履歴が低い割当対象にその差分が解消するように単一または複数の所定期間優先割当を指示する。
・要求有又は要求有との予測且つ所望の割当から所定期間の割当履歴が高い又は低い割当対象にその差分が解消するように単数または複数の所定期間保証帯域設定となるように優先割当又は割当抑止する。
・要求有又は要求有との予測且つ所望の割当から所定期間の割当履歴が高い又は低い割当対象にその差分が解消するように単数または複数の所定期間の低い割当対象に当該割当対象の保証帯域設定に非保証割当帯域又はベストエフォート帯域又はその予測値を当該割当対象に応じて按分した帯域を加えた値とする。
・要求有又は要求有との予測且つ所望の割当から所定期間の割当履歴が高い割当対象にその差分が解消するように単一または複数の所定期間を固定帯域設定を下限として割当抑止する。
・要求有又は要求有と予測且つ所望の割当から所定期間の割当履歴が高い割当対象にその差分を解消するように単一または複数の所定期間割当抑止する。
・要求有又は要求有との予測且つ所望の割当から所定期間の割当履歴が高い又は低い割当対象に当該割当対象の保証帯域設定又は固定帯域設定となるように優先割当又は割当抑止する。
・要求有又は要求有との予測且つ所望の割当から所定期間の割当履歴が高い又は低い割当対象に当該割当対象の保証帯域設定に非保証割当帯域又はベストエフォート帯域又はその予測値を当該割当対象に応じて按分した帯域よりも少ない帯域に優先割当又は割当抑止とする。
・要求無又は要求無との予測の割当対象に当該割当対象の保証帯域設定又は固定帯域設定となるように優先割当又は割当抑止する。
・割当抑止又は優先割当は、割当自体への指示で例示したが、要求を加減したり、所定の比率で乗除したり、応答部４が履歴を保持する場合はその履歴を加減乗除する。
【００５５】
本実施形態の応答部４は、所定の複数の順番又は設定のいずれかで、割当対象のグループの組み合わせ又は割振設定を切替する。割振部５は、応答部４に対して割当が所望よりも超過する割当対象に割当が小さくなる、不足する割当対象に対して割当が大きくなる、の少なくともいずれかの切替又は切替設定への切替を指示する。例えば、ＯＮＵ３−１〜３−３で２個の応答部（応答部４−１〜４−２）、組み合わせの割振であれば、ＯＮＵ３−１〜３−２が応答部４−１且つＯＮＵ３が応答部４−２の組み合わせと、ＯＮＵ３−１が応答部４−１且つＯＮＵ３−２及び３−３が応答部４−１の組み合わせとを切替して、ＯＮＵ３−１と３の帯域割当を所定の比に応じた値とする。例えば、ＯＮＵ３−１〜３−３で２個の応答部（応答部４−１〜４−２）、割振設定の切替であれば、ＯＮＵ３−１及び３−２が応答部４−１且つＯＮＵ３−３が応答部４−２の組み合わせと、ＯＮＵ３−１が応答部４−１且つＯＮＵ３−２及び３−３が応答部４−２の組み合わせを切替して、ＯＮＵ３−１及び３−３の帯域割当を所定の比に応じた値とする。
【００５６】
以下に、所望の割当に近づける選択の例を示す。
より重輻輳のグループに属する割当対象（ＯＮＵ又はＯＮＵのキュー又はＯＮＵのクラスバッファ等（以下「ＯＮＵ」という。））の内で帯域割当の時間積が大きいＯＮＵ３を軽輻輳のグループにグループ替えする判定、又は複数グループのトラフィックが所定の閾値を下回る又は下回ると予測した際にそれらの少なくとも一部のグループの通信を停止するために当該グループに属するＯＮＵ３を他のグループにグループ替え又は休止させてアクティブなＯＮＵ３が属さないグループを休止する判定、又は単数又は複数グループのトラフィックが所定の閾値を上回る又は上回ると予測した際に少なくとも一部のグループの通信を開始して当該グループに属するＯＮＵ３を開始したグループにグループ替え又は休止していたＯＮＵ３をアクティブにする判定等の判定を、割振部５が行い、その判定に基づく指示に従って応答部４がグループ替えを行う。又は、所定の周期や契機に従って応答部４がグループ替えし、公平性等の基準に基づき所望の割当となるように応答部４のグループ替えする。
【００５７】
ここで重輻輳とは、割当対象にとって、利用可能な帯域が少ないこととし、要求の多い割当対象を多く収容する応答部４等や、他に比べて伝送可能な帯域自体が元々小さい応答部４等とする。
【００５８】
［１］第１の動作
第１の動作は、より重輻輳のグループに属するＯＮＵ３の内で割当の時間積が大きいＯＮＵ３を軽輻輳のグループにグループ替えする。なお、重輻輳のグループに属するＯＮＵ３の内で割当の時間積が大きいＯＮＵ３とは、例えば、同じグループに属する他のＯＮＵ３と比べて割当の時間積が大きいＯＮＵ３である。他のＯＮＵ３と比べて割当の時間積が大きいＯＮＵ３とは、例えば、グループ内で割当の時間積が最大のＯＮＵ３、又はグループ内で割当の時間積が大きい順に所定台数のＯＮＵ３、またはグループ内に属するＯＮＵ全てについての割当の時間積の平均値又はあらかじめ定める所定の値より大きい割当の時間積のＯＮＵ３である。所定の値は、例えば所定の時間、例えば観測時間における全グループの帯域の時間積の総和を全グループの全ＯＮＵ３の数或いはアクティブなＯＮＵ３の数或いは要求が未充足なＯＮＵ３の数で除した値である。なお、後述する、重輻輳のグループに属するＯＮＵ３の内でグループに属する他のＯＮＵ３と比べて重輻輳のグループに属した時間の積が大きい前記送受信機、重輻輳のグループに属するＯＮＵ３の内でグループに属する他のＯＮＵ３と比べて軽輻輳のグループに属した時間の積が小さいＯＮＵ３及び重輻輳のグループに属するＯＮＵ３の内でグループに属する他のＯＮＵ３と比べてグループ変更に伴う通信断の回数又はグループ変更に伴う通信断の時間積が小さいＯＮＵ３についても同様である。なお、ここでグループの輻輳とは次のいずれか又はそれらのいずれかの組み合わせとする。
【００５９】
（１）グループ毎の収容ＯＮＵ３の数：収容ＯＮＵ数が多いほど重輻輳
（２）グループ毎の収容ＯＮＵ３でアクティブな（送信を行っている）ＯＮＵ３の数：収容ＯＮＵ３でアクティブなＯＮＵ数が多いほど重輻輳
（３）グループ毎の収容ＯＮＵで割当が要求に満たないＯＮＵ数：収容ＯＮＵで割当が要求に満たないＯＮＵ数が多いほど重輻輳
（４）グループ毎の収容する全ＯＮＵの要求の総和又は平均の値：収容する全ＯＮＵ３の要求の総和又は平均の値が大きいほど重輻輳
（５）グループ毎の収容する全ＯＮＵの割当の総和又は平均の値：収容する全ＯＮＵ３の割当の総和又は平均の値が小さいほど重輻輳、大きい値ほど重輻輳として扱う場合はそれらの逆数を使用
（６）グループ毎の収容する全ＯＮＵ３で割当が要求に満たないＯＮＵ３の割当の総和又は平均の値：収容する全ＯＮＵ３で割当が要求に満たないＯＮＵ３の割当の総和又は平均の値が小さいほど重輻輳、大きい値ほど重輻輳として扱う場合はそれらの逆数を使用
（７）グループ毎の収容するＯＮＵ３で割当が最大のＯＮＵ３の割当の値：収容するＯＮＵ３で割当が最大のＯＮＵ３の割当の値が小さいほど重輻輳、大きい値ほど重輻輳として扱う場合はそれらの逆数を使用
（８）グループ毎の収容するＯＮＵ３で割当が要求に待たないＯＮＵ３で割当が最大のＯＮＵ３の割当の値：収容するＯＮＵ３で割当が要求に待たないＯＮＵ３で割当が最大のＯＮＵ３の割当の値が小さいほど重輻輳、大きい値ほど重輻輳として扱う場合はそれらの逆数を使用
（９）グループ毎の収容するＯＮＵ３で割当が最小のＯＮＵ３の割当の値：収容するＯＮＵ３で割当が最小のＯＮＵ３の割当の値が小さいほど重輻輳、大きい値ほど重輻輳として扱う場合はそれらの逆数を使用
（１０）グループ毎の収容するＯＮＵ３で割当が要求に待たないＯＮＵ３で割当が最小のＯＮＵ３の割当の値：収容するＯＮＵ３で割当が要求に待たないＯＮＵ３で割当が最小のＯＮＵ３の割当の値が小さいほど重輻輳、大きい値ほど重輻輳として扱う場合はそれらの逆数を使用
（１１）グループ毎の収容するＯＮＵ３で、他のＯＮＵ３に比べて、重輻輳グループへの所属した時間積が多いか、軽輻輳グループへの所属した時間積が少ないか、割当が少ないか、グループ替えに伴う通信断の時間積が多いか、又はグループ替えに伴う通信断の回数が多いＯＮＵ３の数が多いほど重輻輳
【００６０】
なお、所定値以上を重輻輳、所定値未満を軽輻輳としてもよい。所定値は、例えば（１）で全グループの収容ＯＮＵ３の数をグループ数で除した値、或いはその値を切り上げ又は切り下げした値、（２）で全グループのアクティブなＯＮＵ３の数をグループ数で除した値、或いはその値を切り上げ又は切り下げした値、（３）で全グループの割当が要求に満たないＯＮＵ３の数をグループ数で除した値、或いはその値を切り上げ又は切り下げした値、（４）で全グループのＯＮＵ３の要求の総和又は平均の値をグループ数で除した値、或いはその値を切り上げ又は切り下げした値、（５）で全グループのＯＮＵ３の割当の総和又は平均の値をグループ数で除した値、或いはその値を切り上げ又は切り下げした値、（６）で全グループのＯＮＵ３で割当が要求に満たないＯＮＵ３の割当の総和又は平均の値をグループ数で除した値、或いはその値を切り上げ又は切り下げした値、（７）で、各グループのＯＮＵ３で割当が最大のＯＮＵ３の割当の値の総和をグループ数で除した値、或いはその値を切り上げ又は切り下げした値、（８）で各グループのＯＮＵ３で割当が要求に待たないＯＮＵ３で割当が最大のＯＮＵ３の割当の値の総和をグループ数で除した値、或いはその値を切り上げ又は切り下げした値、（９）で各グループのＯＮＵ３で割当が最小のＯＮＵ３の割当の値の総和をグループ数で除した値、或いはその値を切り上げ又は切り下げした値、（１０）で各グループのＯＮＵ３で割当が要求に待たないＯＮＵ３で割当が最小のＯＮＵ３の割当の値の総和をグループ数で除した値、或いはその値を切り上げ又は切り下げした値、（１１）で単数或いは全グループのＯＮＵ３の数をグループ数で除した値の半分、或いはその値を切り上げまたは切り下げした値の半分などである。また、グループを輻輳順に並べたとき、半分より輻輳側にあるグループを重輻輳、他のグループを軽輻輳としてもよい。
【００６１】
上記（１）は最も簡易で全ＯＮＵ３が常にアクティブな場合に適している。アクティブでないＯＮＵ３が存在する場合、上記（１）の設定では輻輳を判定することが難しい。上記（２）は、アクティブな全てのＯＮＵ３が貪欲（Ｇｒｅｅｄｙ）な送信機である場合に適している。ここで、Ｇｒｅｅｄｙな送信機とは、ＴＣＰ／ＩＰのように使用可能な帯域に応じて要求する帯域を、使用可能な帯域以下になるように制御せずに、その時々で割当される帯域以上の帯域を要求とするような送信機を意味する。Ｇｒｅｅｄｙの場合、上記（２）のような簡易な設定で輻輳を判定することができる。
【００６２】
一方、少なくとも一部のＯＮＵ３がＧｒｅｅｄｙでない場合、ＯＮＵ３毎に要求が異なるため、上記（２）のような設定では明確に輻輳を判定することが難しい。この場合を考慮したものが上記（３）〜（１１）である。
【００６３】
上記（３）はＯＮＵ３の数を、上記（４）〜（１０）は収容するＯＮＵ３の要求又は割当の総和／平均／最大値／最小値を用いた輻輳の判定方法である。この内、上記（３）（６）（８）（１０）は、要求自体又は要求が未充足であるＯＮＵ３に着目したより精緻な輻輳の判定方法である。上記（１１）は他のＯＮＵ３に比べて、通信断の多さや割当の少なさで不公平な状態にあるＯＮＵ３の数を用いた輻輳の判定方法である。
【００６４】
また、上記（５）〜（１０）で用いる割当は、ＯＬＴ２から送信許可した帯域、実際に使用した帯域、又は要求の裏づけがあって送信許可した帯域とすることが望ましい。なお、要求の裏づけのない帯域割当（未所要割当）とは、例えば、「吉野學、吉原慎一、上田裕巳、“Ｂ−ＰＯＮ ＤＢＡにおける低遅延を実現する帯域分配法”、２００２年電子情報通信学会通信ソサイエティ大会、Ｂ−８−８」に示されるようなものがある。また、要求されたが送信情報の断片化（フラグメンテーション）を抑止するために使用されない未使用帯域もある。例えば、１パケット未満の端数の帯域である。このため、上記（５）〜（１０）の割当は、公平性の観点から上述のような未所要割当や未使用帯域の割当を含まない実際に使用した帯域又は要求の裏づけがあって送信許可した帯域とするのが望ましい。
【００６５】
グループ替えによって割当が増加するＯＮＵ３は、グループ替えによってＯＮＵ３が抜けるグループに残留するＯＮＵ３と、場合によってはグループ替えによって軽輻輳のグループに追加されるＯＮＵ３とである。重輻輳のグループから軽輻輳のグループ替えされるＯＮＵ３の割当が増加する場合とは、グループ替えによる通信断時間を考慮しなければ、従前の重輻輳のグループにおける割当よりも、軽輻輳のグループで追加されたのちにそのグループにおける割当が大きい場合である。例えば、従来例の説明で用いた帯域が同じ２個のグループ間で３個のＯＮＵ３を振り分ける場合は、追加されるＯＮＵ３はグループ替えの前後とも２個のＯＮＵ３で帯域を共用するので、常に重輻輳のグループに属することになり、当該ＯＮＵ３はグループ替えによって割当は増加しない。更にグループ替えによる通信断時間を考慮すると、グループ替えによって更に割当は減少している。なお、新規にＯＮＵ３が追加されたグループに従前から属していたＯＮＵ３の割当は減少する。
【００６６】
ＯＮＵ３に関して、観測する通信状態は、実現する公平性によって異なる。例えば、割当が均等又は各ＯＮＵ３の重み付けに応じた所定の比に近いことが公平とすれば、割当を観測する。第１の動作はこの公平性に適した動作である。
【００６７】
保証しなければならない帯域である保証帯域又は送信機から送信許可を要求する要求に対する割当の比である割当比を公平にする場合、応答部４又は割振部５は、その割当比を通信状態として観測する。ここで、要求は、ＯＮＵ３からの要求の申告値又はその値を平滑化等の処理により算出した値だけではなく、過去の通信履歴に従い決定してもよい。通信履歴は、過去一定時間間隔のウインドウでの履歴であってもよいし、一定時間のスライディングウインドウの履歴であってもよいし、加重平均や指数平均による履歴でもよい。
【００６８】
応答部４又は割振部５は、送信機間で共用できる帯域を所定の比で（例えば、１：１：１等）で割当する場合、（共用できる帯域×該当する送信機の比／全送信機の比の総和）を、実効的な保証帯域としてそれに対する割当比を通信状態として観測してもよい。
【００６９】
また、応答部４又は割振部５は、上記の割当比の比較を、割当よりも要求が大きい送信機だけに限定して行ってもよい。また、応答部４又は割振部５は、要求によらずに固定的に割当てた帯域や、優先クラス分の割当を減じた帯域、又固定的に割当てたグループや優先クラス用のグループ以外のグループに関して比較を行ってもよい。
【００７０】
第１の動作では、重輻輳のグループに属するＯＮＵ３の内で割当の時間積が大きいＯＮＵ３を切り替えることになるので、同一のＯＮＵ３のみグループ替えを連続し、その割当が減少するようなことがなく、ＯＮＵ３の間で公平になるように帯域割当することができる。例えば、２個のグループの３個のＯＮＵ３で全ＯＮＵ３が常に割当以上の要求をしている場合、グループ替えするＯＮＵ３は、ＯＮＵ３−１→ＯＮＵ３−２→ＯＮＵ３−３のように順次切替わることになる。
【００７１】
このため、実効的にグループ替えに伴う通信断時間及び重輻輳グループに所属した時間積と軽輻輳グループに所属した時間積が平均的にみると均等となり、グループ内の帯域割当は、過去のＯＮＵ３の割当履歴を考慮せずに、その時々の重み付けに応じて割当てれば、グループを跨ったＯＮＵ３の間での公平な帯域割当が可能となる。
【００７２】
なお、上記の第１の動作と、後述の第２の動作及び第３の動作とで、グループ間で輻輳の差が一定の範囲以内となった場合、グループ替えを行わないとしてもよい。ここで、グループ間で輻輳の差が一定の範囲以内とは、例えば、グループ替えに伴う通信断時間相当の値以下となった場合や、グループ替えを実行した場合に改善される輻輳の程度相当の値以下となった場合である。また、このような場合に、個別のＯＮＵ３の間での割当が公平な割当から一定の範囲内に収まるまで、第１の動作と、後述の第２の動作及び第３の動作とを実行することが望ましい。
【００７３】
ここで、公平な割当から一定の範囲内とは、例えば、グループ替えに伴う通信断時間相当の値以下や、グループ替えを実行した場合に改善される公平性の程度相当の値以下である。
【００７４】
これは、個別のＯＮＵ３の要求等の変化に伴い、ＯＮＵ３の間での公平性が実現する前に、グループ間で輻輳の差が一定の範囲内になる可能性があるからである。この後者の条件下では、重輻輳のグループは、公平な割当よりも割当が少ないＯＮＵ３が所属しているグループとなる。即ち上記の（１１）での判定となる。ここで、グループ間で輻輳の差が一定の範囲になるまでは上記の（１１）以外でグループの輻輳を判定し、判定に使った方法で、グループ間の輻輳の差が一定の範囲内となった場合に上記（１１）の方法での判定に切り替えるとしてもよい。
【００７５】
なお、応答部４又は割振部５は、観測時間としては固定周期の観測窓で観測してもよいし、観測する時間を過去の所定期間での移動平均とするスライディングウインドウで観測してもよいし、過去の履歴を指数関数的に忘却し、実効的に近々の観測を重視して指数平均した観測であってもよい。
【００７６】
また、ＯＮＵ３毎の帯域の観測の仕方としては、グループ替えに伴う通信断時間を割当零の時間として観測する方法と、グループ替えに伴う通信断時間は無視する観測の仕方があるが、第１の動作としてはグループ替えに伴う通信断時間を割当零の時間として観測する方が望ましい。
【００７７】
例えば、制御機であるＯＬＴ２の応答部４又は割振部５が、割当を周期的に観測しているとする。更に、制御機は、観測した帯域を指数関数的に忘却し、実効的に近々の観測を重視して指数平均した観測時間で、グループ替えに伴う通信断時間を考慮して観測するものとする。また、各ＯＮＵ３の要求は、割当てられる帯域よりも大きいものとする。ｊ番グループの帯域をＧｊ、時間Tにおける収容ＯＮＵ３の数をＮｊ（ｔ）、観測の忘却に関する係数を（１−ｋ）、ｉ番ＯＮＵ３の割当をＢｉ（ｔ）とする。この場合、観測時間における割当の履歴であるＲＢｉ（ｔ）は、式（１）で表される。
【００７８】
ＲＢｉ（ｔ）＝ｋＢｉ（ｔ）＋（１−ｋ）ＲＢｉ（ｔ）  …（１）
【００７９】
ここで、ｉ番のＯＮＵ３であるＯＮＵ３−ｉの割当Ｂｉ（ｔ）は、ｊ番グループに属している場合、Ｇｉ／Ｎｊ（ｔ）でありグループ替えに伴う断時間は零となる。また忘却に関する係数は忘却するまでの時間が、割振の周期に比べて十分に大きくなる値である。
【００８０】
［２］第２の動作
第２の動作は、グループの輻輳がより重輻輳のグループに属するＯＮＵ３の内で、より重輻輳のグループに属していた時間積の大きいＯＮＵ３又はグループの輻輳がより重輻輳のグループに属するＯＮＵ３の内でより軽輻輳のグループに属していた時間積の小さいＯＮＵ３をグループ替えする。時間積は、例えば、グループ毎の輻輳の第１の動作で例示した値で示しその時間積としてもよいし、輻輳を複数の段階に分けてそれぞれ所定の値を割付、例えば、軽輻輳を０と重輻輳を１と割り付け、その値の時間積としてもよい。
【００８１】
第２の動作は、第１の動作と比べ、個別のＯＮＵ３の帯域自体を観測せずに、少なくとも軽輻輳グループから重輻輳グループへの滞在時間のみを観測すればよい。このため観測が容易である。更に、グループ内でのＯＮＵ３毎の実帯域割当の値をグループ替えに使用しないので、グループ内の帯域割当と、グループ間のＯＮＵ３の割振りを分離して制御することが容易である。公平な割当は、グループ内での帯域割当が公平であり、割振の前後を通してＯＮＵ３の要求の分布状況の変化が無視でき、グループ替えによるグループ間の輻輳状況が平準化されれば実現できる。
【００８２】
所定の周期や契機に従って応答部４がグループ替えを行う場合、要求有又は要求有との予測且つ所望の割当から所定期間の割当履歴が低い又は高い割当対象にその差分が解消するように、単一または複数の所定期間グループ替えを優先的に行う又は抑止するように指示する。
【００８３】
［３］第３の動作
第3の動作は、グループの輻輳がより重輻輳のグループに属するＯＮＵ３の内でグループ替えに伴う通信断の時間積が小さいＯＮＵ３をグループ替えする。第１の動作と同様の例で示すと、通信断の時間Ｔｉ（ｔ）の時間積ＲＴｉ（ｔ）は、式（２）で表される。
【００８４】
ＲＴｉ（ｔ）＝ｋＴｉ（ｔ）＋（１−ｋ）ＲＴｉ（ｔ）  …（２）
【００８５】
なお、グループ替えに伴う通信断の時間積は、通信断の時間がＯＮＵ３毎に差異がないとみなせる場合は、割振回数に置き換えてもよい。
【００８６】
通信断の時間積は、実効的に通常よりも割当アルゴリズム等で割当量が、グループ替えがなかった場合に比べて、要求履歴の更新が不十分である等の理由によって割当量が制限される時間を含んでいてもよいし、制限される時間はその制限される量を係数として乗じた時間として含んでいてもよい。
【００８７】
このため、第３の動作も、実効的にグループ替えに伴う通信断時間及び重輻輳グループに所属した時間積と軽輻輳グループに所属した時間積が均等となり、グループ内の帯域割当は、過去のＯＮＵ３の割当履歴を考慮せずに、その時々の重み付けに応じて割当てれば、グループを跨ったＯＮＵ３の間での公平な帯域割当が可能となるのは、第１の動作と同様である。
【００８８】
更に、第３の動作は、制御機はグループ毎の割当を保持せずに通信断の時間積のみ保持するため、第２の動作と同様に、第１の動作に比べて履歴の保持と処理が容易である。
【００８９】
［４−１］第４の動作（その１）
第４の動作（その１）は、ＯＮＵ３毎のグループ替えに伴う通信断時間積のばらつきをＯＮＵ３の間で一定の範囲内に抑える。一定の範囲内とは、例えば、一回のグループ替えに伴う通信断時間以下である。割振に際して、第１〜第３の動作のようにグループの輻輳に基づいて、重輻輳グループから軽輻輳グループへとグループ替えを行ってもよいし、後述の第４の動作（その３）の例で示すように巡回的にグループ替えを行ってもよい。
【００９０】
巡回的にグループ替えを行う場合、各グループのアクティブなＯＮＵ３の数または要求等の輻輳が平準化される状況であることが望ましい。ここで、アクティブなＯＮＵ３の数または要求等の輻輳が平準化される状況とは、例えば、アクティブなＯＮＵ３の数の差がグループ間で１以下、又は割当が要求を超過しないＯＮＵ３の割当の総和の差がグループ間で割当が要求を超過しないＯＮＵ３の割当以下のような状況である。
【００９１】
このような状況下且つ要求の状況が概ね一定とみなせる時間の間に巡回的にグループ替えを行う場合、応答部４又は割振部５は、多くとも全ＯＮＵ３が全グループへのグループ替えを行えばよい。同様の輻輳のグループの数と、アクティブ又は割当が要求を超過しないＯＮＵ３の数がそれぞれ複数の場合は、グループ数の半分のグループへのグループ替えを行えばよい。いずれの場合も長期的には、実効的にグループ替えに伴う通信断時間及び重輻輳グループに所属した時間積と軽輻輳グループに所属した時間積がそれぞれ均等に近づき、グループ内の帯域割当は、過去のＯＮＵ３の割当履歴を考慮せずに、その時々の重み付けに応じて割当てれば、グループを跨ったＯＮＵ３の間での公平な帯域割当が容易に可能となる。
【００９２】
［４−２］第４の動作（その２）
第４の動作（その２）では、ＯＮＵ３が重輻輳のグループと軽輻輳のグループに収容される期間のばらつきを、ＯＮＵ３の間で一定の範囲内に抑える。一定の範囲内とは、例えば、割振に伴なう通信断の時間に相当する時間に割当て得る最大の帯域である。割振に際して、第１〜第３の動作のように重輻輳グループから軽輻輳グループへとグループ替えを行ってもよいし、後述の第４の動作（その３）の例で示すように巡回的にグループ替えを行ってもよい。いずれの場合も長期的には、実効的にグループ替えに伴う通信断時間及び重輻輳グループに所属した時間積と軽輻輳グループに所属した時間積が均等に近づき、グループ内の帯域割当は、過去のＯＮＵ３の割当履歴を考慮せずに、その時々の重み付けに応じて割当てれば、グループを跨ったＯＮＵ３の間での公平な帯域割当が容易に可能となる。
【００９３】
［４−３］第４の動作（その３）
第４の動作（その３）は、第４の動作（その１）と第４の動作（その２）の組み合せである。即ち、グループ毎の通信状態と、送受信機がどの応答部４にどの期間滞在しているかと、グループ替えに伴う通信断の時間とを観測し、公平性を観測する観測周期における全送受信機の割振に伴う通信断時間と、所属するグループの輻輳の時間積とが公平となるようにグループ指定指示を出す。
【００９４】
第４の動作（その３）は、第４の動作（その１）で、グループ間で輻輳の平準化ができず、グループ替えの周期のそれぞれで常に重輻輳のグループに所属するＯＮＵ３と常に軽輻輳のグループに所属するＯＮＵ３に分類されるような状況が発生する場合に、その不公平を補正することができる。また、第４の動作（その３）は、グループ替えに伴う通信断時間が甚だしく大きく、第４の動作（その２）で割振の回数の多寡による割当の差異が甚だしい状況が発生する場合にも、その不公平を補正することができる。これは、第４の動作（その３）は、割振にともなる通信断時間の平準化と軽輻輳と重輻輳のグループに、それぞれ属していた時間を平準化することができるためである。
【００９５】
軽輻輳と重輻輳のグループにそれぞれ属していた時間の積は、軽輻輳のグループ同士の輻輳の程度及び重輻輳のグループ同士の輻輳の程度がそれぞれ観測時間を通じて同程度である場合は、単純に軽輻輳と重輻輳のグループにそれぞれ属していた時間の積をとればよい。グループ毎にまた時間によって輻輳の程度が異なる場合は、所属時間に輻輳の程度を乗じた値を積算することでそれぞれ属していた時間の積をとればよい。所属時間に輻輳の程度を乗じた値を積算する場合は、軽輻輳のグループに所属していた時間積と重輻輳のグループに所属していた時間積をそれぞれ個別に積算せずに一つの積算値として保持してよい。グループ替えに伴う通信断時間も個別に積算してもよいが、輻輳が甚だしく通信が全くできない状況としてとみなして軽輻輳のグループに所属していた時間積と重輻輳のグループに所属していた時間積と一緒に積算してもよい。まとめて積算する場合、保持すべき値が少なくなる効果がある。
【００９６】
割当が均等を公平とする例を用いて以下説明を加える。例えば、応答部４が２個であり、全送信機の帯域割当に関する重み付け及び切り替え時間が同一であり、一方が軽輻輳で他方が重輻輳であれば全送信機に概ね等しい時間だけ軽輻輳と重輻輳の応答部４でそれぞれ識別されるグループに属することとする。
【００９７】
切替時間が同一であれば、帰属する応答部４で識別されるグループのＯＮＵ３の数と、保証帯域に対する要求の総和と、保証帯域から固定帯域を減じた帯域に対する要求から固定帯域を減じたものの総和との時間積が均等となるようにすればよい。
【００９８】
例えば、送信機ｉに対する軽輻輳の応答部４での割当帯域とその時間とを、それぞれＢｌｉ、Ｔｌｉとする。重輻輳の応答部４での割当帯域とその時間とを、それぞれＢｓｉ、Ｔｓｉ、とする。グループ替えに伴う通信断時間における割当帯域とその時間とを、それぞれＢｈｉ、Ｔｈｉとする。応答部４又は割振部５は、全ての送信機ｉに対して、（Ｂｈｉ・Ｔｈｉ＋Ｂｓｉ・Ｔｓｉ＋Ｂｌｉ・Ｔｌｉ）が一定となるように、式（３）のように制御する。
【００９９】
∀ｉ，  Ｂｈｉ・Ｔｈｉ＋Ｂｓｉ・Ｔｓｉ＋Ｂｌｉ・Ｔｌｉ＝ｃｏｎｓｔ  …（３）
【０１００】
以下、巡回的に割当することで、実効的に式（３）を満たす。ここで、単純のために、グループを構成するＯＮＵ３の通信状態は、グループ替えが一巡する間同様（全てがＧｒｅｅｄｙ）の例で示している。但し、一巡する間に変動しても、統計的、長期的に見れば同様とみなし得るので、本例と同様の効果がある。この場合、式（３）では、式（４）と式（５）と式（６）とが満たされている。
【０１０１】
Ｔｈｉ＋Ｔｌｉ＝ｃｏｎｓｔ  …（４）
【０１０２】
Ｂｈｉ＝ＢＷ／（［Ｎ／Ｌ］）  …（５）
【０１０３】
Ｂｓｉ＝ＢＷ／（［Ｎ／Ｌ］＋１）  …（６）
【０１０４】
ここで、ＢＷは、応答部４毎の帯域を表す。Ｎは、送信機数を表す。Ｌは、応答部４数を表す、［  ］は、少数切捨てを表す。
【０１０５】
ＯＬＴ２としての通信装置は、例えば、ＰＯＮ等の光ファイバ網等の通信網を経由する光信号等の信号によって、他の通信装置との通信を実行する通信装置である。この通信装置は、例えば、ＯＬＴ（光加入者線端局装置）である。通信装置は、例えば、ＯＳＵ（Ｏｐｔｉｃａｌ  Ｓｕｂｓｃｒｉｂｅｒ  Ｕｎｉｔ）でもよい。通信装置は、例えば、光信号を切り替えるスイッチ部（ＳＷ）を備える又は備えないＯＬＴと、他のスイッチ部（ＳＷ）との組み合わせでもよい。通信装置は、例えば、ＯＬＴとＯＮＵ（光加入者線終端装置）との組み合わせでもよい。通信装置は複数の機器を備えてもよい。また、ＯＮＵやＭＵＸ（マルチプレクサ）やＤＥＭＵＸ（デマルチプレクサ）やスイッチ等の他の通信装置であってもよい。
【０１０６】
次に、例として、ＯＬＴ２としての通信装置が、ＴＷＤＭ（Ｔｉｍｅ  ａｎｄ  Ｗａｖｅｌｅｎｇｔｈ  Ｄｉｖｉｓｉｏｎ  Ｍｕｌｔｉｐｌｅｘ）−ＰＯＮシステムのようなＩＴＵ−Ｔ勧告準拠のＰＯＮのＯＬＴである場合を前提に、動作等を例示する。ここで、ＴＷＤＭ−ＰＯＮとしているが、ＰＯＮは、ＩＴＵ−Ｔ勧告準拠のＴＷＤＭ−ＰＯＮ以外のＰＯＮであってもよい。例えば、ＰＯＮは、ＧＥ（Ｇｉｇａｂｉｔ  Ｅｔｈｅｒｎｅｔ（登録商標））−ＰＯＮ、１０  ＧＥ−ＰＯＮ等のＩＥＥＥ規格準拠のＰＯＮであってもよい。ＴＣ（Ｔｒａｎｓｍｉｓｓｉｏｎ  Ｃｏｎｖｅｒｇｅｎｃｅ）レイヤやＰＭＤ（Ｐｈｙｓｉｃａｌ  Ｍｅｄｉｕｍ  Ｄｅｐｅｎｄｅｎｔ）レイヤは、標準規格において対応する層に読み替えれば同様である。
【０１０７】
ＯＬＴ２としての通信装置は、ハードウェア又はソフトウェア又はそれらの組み合わせの部品又は部品化した機能を備える。例えば、ＯＬＴ２としての通信装置は、サービス毎あるいは通信事業者毎に異なる機能等を、汎用化した入出力インタフェース（例えば、ＦＡＳＡ（Flexible Access System Architecture：新アクセスシステムアーキテクチャ）アプリケーションＡＰＩ）を用いて実現されるソフトウェア部品であるアプリケーション（例えばＦＡＳＡアプリケーション）と、該アプリケーションに汎用化した該入出力インタフェースを提供すると共に標準化されている等の理由で、サービスや要求に応じた変更が不要な機能を提供するアクセスネットワーク装置の基盤的構成要素（例えば、ＦＡＳＡ基盤）とを備える。ここで、汎用化した入出力インタフェースを用いることにより、機能の追加や入替を容易にし、様々な要求のサービスを柔軟かつ迅速に提供する。なお、本明細書では、アプリケーションを「アプリ」とも記載する。
【０１０８】
部品間のやり取りは、例えば、後述のミドルウェア部１２０を介すが、ＯＬＴ２としての通信装置の独自の転送経路や手段を用いてもよいし、ＯｐｅｎＦｌｏｗや、Ｎｅｔｃｏｎｆ／ＹＡＮＧや、ＳＮＭＰ（Ｓｉｍｐｌｅ  Ｎｅｔｗｏｒｋ  Ｍａｎａｇｅｍｅｎｔ  Ｐｒｏｔｏｃｏｌ）等の規格化された手段を用いてもよい。
【０１０９】
また、部品間のやり取りは、内部配線、バックボード、ＯＡＭ部、主信号線、専用の配線、オペレーションシステム、コントローラ又は制御盤（Ｃｏｎｔ盤）等の経路のいずれでよい。部品間のやり取りを直接終端して入力する場合、ＯＡＭ部又は主信号にカプセル化してもよい。部品間のやり取りをいずれかの箇所で終端して、内部配線、バックボード、ＯＡＭ部、主信号線、専用の配線、オペレーションシステム、コントローラ又は制御盤等の経路を経由して入力してもよい。ＯＡＭ部や主信号線を用いる場合、ＯＡＭ部や主信号にカプセル化することが望ましい。主信号線を通す場合はＯＳＵ又は他箇所のスイッチ部にて振り分けることが望ましい。
【０１１０】
本実施形態では、ＯＬＴ２としての通信装置は、更に、ＦＡＳＡアプリケーション等のアプリケーション又はＦＡＳＡ基盤等のプラットフォーム等でソフトウェア部品のためのインタフェースを備える。
【０１１１】
ＯＬＴ２の応答部４及び割振部５は、インタフェースを備える。インタフェースは、例えば、応答部４に割振られた識別子の通知等に関するインタフェースである。例えば、インタフェースは、ＤＢＡ等の処理や通信応答処理が割振られたか否かを割振部５から応答部４に通知するためのインタフェースである。例えば、インタフェースは、応答部４から他の応答部４への割振を通知するためのインタフェースである。例えば、インタフェースは、応答部４から割振部５への処理負荷を通知するためのインタフェースである。例えば、インタフェースは、割振部５から応答部４に、休止／起動／追加／削除を指示するためのインタフェースである。例えば、インタフェースは、応答部４が休止／起動／追加／削除を通知するためのインタフェースである。例えば、インタフェースは、削除した応答部４のリソースを開放するためのインタフェースである。例えば、インタフェースは、応答部４を追加するに必要なリソースを確保するためのインタフェースである。例えば、インタフェースは、応答部４の間の割振対象とする時間領域を指定又は変更するためのインタフェースである。例えば、インタフェースは、応答部４の間の割当対象とする時間領域を指定又は変更するためのインタフェースである。
【０１１２】
割振部５はスイッチ部に配置するのが望ましい。スイッチ部に配置し、処理要求や関連する情報を当該応答部４に割振し、当該応答部４から処理結果を振り戻すのが容易である効果がある。スイッチ部に無い場合は、割振部５は応答部４に加えて、処理に係る入出力をスイッチ部経由で入出力する場合はスイッチ部に、それ以外の経路振分を用いる場合は当該経路振分に指示する。なお、指示部が、直接に指示してもよいし、コントローラやＥＭＳ等を経由して指示しても良い。
【０１１３】
（実施形態１−１）
実施形態１−１では、ＴＷＤＭ−ＰＯＮに用いられる通信システムを構成する通信装置の構成について説明する。実施形態１−１で説明する通信装置は、図１に示すＯＬＴ２ａや、図２に示すＯＬＴ２ｂとして用いられる。以下、通信装置のアーキテクチャの例として、第１例から第６例までを説明する。通信システムを構成する通信装置のアーキテクチャは、下記で説明する第１例から第６例まで以外のアーキテクチャであってよい。例えば、アーキテクチャの第１例から第６例における通信装置のソフトウェア部は、ハードウェア部でもよい。
【０１１４】
（アーキテクチャの第１例）
図３は、通信装置のアーキテクチャの第１例を示す図である。アーキテクチャの第１例では、通信装置は、動作が機器に依存する非汎用の機器依存部１１０と、機器依存部１１０のハードウェアやソフトウェアの違いを隠蔽するミドルウェア部１２０と、動作が機器に依存しない汎用の機器無依存アプリ部１３０とを備える。したがって、機器依存部１１０（ベンダ依存部）は、通信装置の機器が準拠する標準規格や機器の製造ベンダに依存する機能部である。言い換えれば、機器依存部１１０は、他の通信機器との互換性が小さく、新たに製造された通信機器（特に、準拠する標準や製造ベンダが異なる機器）にはそのまま用いることができない。機器依存部１１０は、ネットワーク機器に備わる１以上の機能を実行する。
【０１１５】
また、機器無依存アプリ部１３０は、通信装置の機器が準拠する標準規格や機器の製造ベンダに依存しない機能部である。言い換えれば、機器無依存アプリ部１３０は、他の通信機器との互換性が大きく、新たに製造された通信機器（特に、準拠する標準や製造ベンダが異なる機器）にそのまま用いることができる。機器無依存アプリ部１３０に設けられるアプリの具体例として、ネットワーク機器における設定処理を行うアプリ、設定の変更処理を行うアプリ、アルゴリズム処理を行うアプリ等がある。
【０１１６】
ミドルウェア部１２０と機器無依存アプリ部１３０とは、機器無依存ＡＰＩ２１を介して接続される。機器無依存ＡＰＩ２１は、機器に依存しない入出力ＩＦである。
【０１１７】
機器依存部１１０は、例えばハードウェア部１１１（ＰＨＹ）、ハードウェア部１１２（ＭＡＣ）、ソフトウェア部１１３及びＯＡＭ（Ｏｐｅｒａｔｉｏｎ  Ａｄｍｉｎｉｓｔｒａｔｉｏｎ  ａｎｄ  Ｍａｉｎｔｅｎａｎｃｅ）部１１４を備えて構成される。ハードウェア部１１１（ＰＨＹ）、ハードウェア部１１２（ＭＡＣ）、ソフトウェア部１１３及びＯＡＭ部１１４と、ミドルウェア部１２０とは、機器依存ＡＰＩ２３を介して接続される。機器依存ＡＰＩ２３は、機器に依存する入出力ＩＦである。機器依存部１１０は、更にＮＥ（Ｎｅｔｗｏｒｋ  Ｅｌｅｍｅｎｔ）管理・制御部１１５を備える。ＮＥ管理・制御部１１５とミドルウェア部１２０とは、機器依存ＡＰＩ２５を介して接続される。機器依存ＡＰＩ２５は、機器に依存する入出力ＩＦである。
【０１１８】
どのような機能を機器依存部１１０又は機器無依存アプリ部１３０とするかは、ミドルウェア部１２０や機器無依存アプリ部１３０を実現するための処理に由来する制限、例えば、ソフトウェアの処理能力に由来する制限に加えて、機能の更新頻度や拡張機能の重要度等に応じて決められてもよい。これによって、通信装置は、機器無依存アプリ部１３０による拡張機能部（独自機能部）の柔軟かつ迅速な追加を容易にし、通信サービスをタイムリーに提供することができる。
【０１１９】
例えば、主信号の優先処理や回線の利用効率を向上するＤＢＡ（Ｄｙｎａｍｉｃ  Ｂａｎｄｗｉｄｔｈ  Ａｓｓｉｇｎｍｅｎｔ）等の更新頻度が高い機能又は通信サービス差異化に寄与する機能を優先して、機器依存部１１０又は機器無依存アプリ部１３０とすることを決めてもよい。更に、共用化を図る機器の準拠する標準規格、世代、方式、システム、機器種別、製造ベンダの少なくともいずれかに関して差異の隔たりが小さいものから、機器無依存アプリ部１３０としてもよい。
【０１２０】
準拠する標準規格、世代、方式、システム、機器種別、製造ベンダの少なくともいずれかに対しては最適でない場合でも、準拠する標準規格、世代、方式、システム、機器種別、製造ベンダの機能のいずれかを汎用化するために、機能を実行するための共通ＩＦが用いられてもよい。共通ＩＦの中には、機器依存部１１０の準拠する標準規格、世代、方式、システム、機器種別、製造ベンダのいずれかにおいて使用されないＩＦやパラメータが含まれていてもよい。
【０１２１】
図３及び後述する図４に示すミドルウェア部１２０と、後述する図５及び後述する図６に示す機器依存部１１０のドライバと、後述する図４及び後述する図６に示す機器依存アプリ部１５０（ベンダ依存アプリ部）との少なくともいずれかに、ＩＦやパラメータ等を機器依存部１１０に対応するように変換する変換機能部や、不足するＩＦやパラメータ等に対応して自動設定する機能部を更に備えてもよい。
【０１２２】
図３に示す機器依存部１１０は、ハードウェア部１１１（ＰＨＹ）及びハードウェア部１１２（ＭＡＣ）と、ソフトウェア部１１３とを備える。ハードウェア部１１１（ＰＨＹ）は、物理層から光送受信関連の処理まで（ＰＨＹｓｉｃａｌ  ｓｕｂｌａｙｅｒ処理）を実行する。ハードウェア部１１２（ＭＡＣ）は、ＭＡＣ（Ｍｅｄｉａ  Ａｃｃｅｓｓ  Ｃｏｎｔｒｏｌ）処理を実行する。ハードウェア部１１１（ＰＨＹ）及びハードウェア部１１２（ＭＡＣ）は、準拠する標準規格や製造ベンダに依存する。ソフトウェア部１１３は、機器依存のドライバ、ファームウェア、アプリケーション等を実行する。
【０１２３】
機器依存部１１０のハードウェア部１１１（ＰＨＹ）及びハードウェア部１１２（ＭＡＣ）は、これら以外に汎用サーバやレイヤ２スイッチ等を備えてもよい。機器依存部１１０は、ハードウェア部１１２（ＭＡＣ）を備えなくてもよい。機器依存部１１０は、ハードウェア部１１１（ＰＨＹ）の一部を備えなくてもよい。例えば、機器依存部１１０は、変復調信号処理、前方誤り訂正（ＦＥＣ、Ｆｏｒｗａｒｄ  Ｅｒｒｏｒ  Ｃｏｒｒｅｃｔｉｏｎ）、符復号処理、暗号化処理等の低位の信号処理を備えずに、光関連の機能のみを備えてもよい。機器依存部１１０は、データを符号化する部分であるＰＣＳ（ＰＨＹｓｉｃａｌ  Ｃｏｄｉｎｇ  Ｓｕｂｌａｙｅｒ）を備えなくてもよい。機器依存部１１０は、データのシリアル化を行うＰＭＡ（Ｐｈｙｓｉｃａｌ  Ｍｅｄｉｕｍ  Ａｔｔａｃｈｍｅｎｔ）とＰＣＳとを備えなくてもよい。機器依存部１１０は、物理媒体に接続するＰＭＤを備えなくてもよい。機器依存部１１０は、ミドルウェア部１２０がソフトウェア部１１３を介さずに機器依存部１１０のハードウェア部１１１（ＰＨＹ）及びハードウェア部１１２（ＭＡＣ）を直接に駆動、制御、操作又は管理する場合、ソフトウェア部１１３を備えなくてもよい。
【０１２４】
機器無依存アプリ部１３０は、例えば、拡張機能部１３１−１〜１３１−３（図３では、拡張機能Ａ、拡張機能Ｂ及び拡張機能Ｃ）と、基本機能部１３２と、管理・制御エージェント部１３３とを備える。管理・制御エージェント部１３３は、ＥＭＳ（Ｅｌｅｍｅｎｔ  Ｍａｎａｇｅｍｅｎｔ  Ｓｙｓｔｅｍ）１４０からデータをやり取りする。
【０１２５】
図ではＥＭＳ１４０及び外部の装置１６０がミドルウェア部１２０を介して機器無依存アプリ部１３０に接続しているが、ＥＭＳ１４０及び外部の装置１６０は必ずしもミドルウェア部１２０を介して機器無依存アプリ部１３０に接続している必要は無い。ＥＭＳ１４０及び外部の装置１６０は、必要に応じてミドルウェア部１２０に適宜接続してもよいし、機器無依存アプリ部１３０に直接接続してもよい。また「ミドルウェア部１２０経由で接続」と表現しているが、この表現は機器無依存アプリ部１３０からみた視点での表現である。実際には、ハードウェアでの接続の後にミドルウェア部１２０を介して機器無依存アプリ同士が接続している。
【０１２６】
以下、拡張機能部１３１−１〜１３１−３に共通する事項については、符号の一部を省略して、「拡張機能部１３１」と表記する。ＥＭＳ１４０は、例えば、ＮＥのコントローラである。なお、機器無依存アプリ部１３０は、拡張機能部１３１と基本機能部１３２と管理・制御エージェント部１３３とのうちいずれかを含まなくてもよいし、管理・制御エージェント部１３３が基本機能部１３２に含まれていてもよいし、管理・制御エージェント部１３３が基本機能部１３２やミドルウェア部１２０に含まれていてもよい。
【０１２７】
機器無依存アプリ部１３０は、拡張機能部１３１、基本機能部１３２、及び管理・制御エージェント部１３３以外の構成を、更に含んでいてもよい。例えば、拡張機能部１３１が不要である場合、機器無依存アプリ部１３０は、拡張機能部１３１を備えなくてもよい。また、機器無依存アプリ部１３０は、１個以上の拡張機能部１３１を含んでもよい。
【０１２８】
拡張機能部１３１は、他の機能に不要な影響を与えずに独立して追加、削除、入替又は変更が可能であることが好ましい。例えば、拡張機能部１３１は、サービス上の要求に合わせて、例えばマルチキャストサービス、省電力対応を実行する拡張機能部１３１が必要になった場合、適宜に追加、削除、入替又は変更されてもよい。
【０１２９】
基本機能部１３２は、拡張機能部１３１の一部として機器無依存アプリ部１３０に含まれてもよいし、ミドルウェア部１２０よりも下位の機能部によって代替されてもよい。拡張機能部１３１が基本機能部１３２を含む場合、機器無依存アプリ部１３０は基本機能部１３２を含まなくてもよい。ミドルウェア部１２０よりも下位の機能部が基本機能部１３２を代替する場合、機器無依存アプリ部１３０は基本機能部１３２を含まなくてもよい。拡張機能部１３１が基本機能部１３２を含み、ミドルウェア部１２０よりも下位の機能部が基本機能部１３２を代替する場合、機器無依存アプリ部１３０は基本機能部１３２を含まなくてもよい。
【０１３０】
管理・制御エージェント部１３３は、ＥＭＳ１４０からの通信を受けずに、予め定められた設定に従って自動設定する場合、ＥＭＳ１４０と入出力しなくてよい。更に、管理・制御エージェント部１３３が管理設定機能を備えず、他の機器無依存アプリ部１３０や基本機能部１３２や機器依存部１１０が管理設定機能を備える場合、機器無依存アプリ部１３０は、管理・制御エージェント部１３３を備えなくてもよい。
【０１３１】
ＥＭＳ１４０と機器無依存アプリ部１３０とは、情報を直接入出力してもよい。また、機器依存部１１０は、ＮＥ管理・制御部１１５と、ＮＥ管理・制御部１１５の下位の機能部の機器依存アプリ部１５０（後述する図４及び後述する図６参照）によって代替されてもよい。
【０１３２】
管理・制御エージェント部１３３は、予め定められた設定に従って自動設定する場合、ＥＭＳ１４０との間で情報を入出力しなくてよい。更に、管理設定機能を管理・制御エージェント部１３３が備えず他の機器無依存アプリ部１３０や基本機能部１３２や機器依存部１１０が管理設定機能を備える場合、機器無依存アプリ部１３０は、管理・制御エージェント部１３３を備えなくてもよい。ＥＭＳ１４０と機器無依存アプリ部１３０とは、情報を直接入出力してもよい。
【０１３３】
機器無依存アプリ部１３０と機器依存部１１０との入出力の例は以下である。
例えば、ＤＢＡアプリ部及びプロテクションアプリ部は、ＴＣレイヤのエンベデッドＯＡＭエンジン（Ｅｍｂｅｄｄｅｄ  ＯＡＭ  Ｅｎｇｉｎｅ）と、相互に情報を入出力する。ＤＷＢＡ（Ｄｙｎａｍｉｃ  Ｗａｖｅｌｅｎｇｔｈ  ａｎｄ  Ｂａｎｄｗｉｄｔｈ  Ａｓｓｉｇｎｍｅｎｔ）アプリ及びＯＮＵ登録認証アプリ部は、ＴＣレイヤのＰＬＯＡＭエンジンと、相互に情報を入出力する。省電力アプリ部は、ＯＭＣＩ及びＬ２主信号処理機能部（Ｌ２機能部）と相互に情報を入出力する。ＭＬＤ（Ｍｕｌｔｉｃａｓｔ  Ｌｉｓｔｅｎｅｒ  Ｄｉｓｃｏｖｅｒ）プロキシアプリ部は、Ｌ２機能部と相互に情報を入出力する。低速監視アプリ（ＯＭＣＩ）は、ＯＭＣＩと相互に情報を入出力する。ＯＭＣＩ及びＬ２機能部は、ＸＧＥＭフレーマ（ＸＧＰＯＮ  Ｅｎｃａｐｓｕｌａｔｉｏｎ  Ｍｅｔｈｏｄ  Ｆｒａｍｅｒ）及び暗号化を動作させる。ここで、ＤＷＢＡとＤＢＡは、別体、一体又は組み合わせでもよい。例えば、管理・制御エージェント部１３３は、保守運用機能のアプリ部であり、ＮＥ管理・制御部１１５のためのＮＥコントローラ等であるＥＭＳ１４０と、相互に情報を入出力する。
【０１３４】
なお、機器無依存アプリ部１３０の実装には、優先順位があってもよい。例えば、管理・制御エージェント部１３３が最も優先される第１の優先順位である。第２の優先順位以下は、例えば、ＤＢＡアプリ、ＤＷＢＡアプリ、省電力アプリ、ＯＮＵ登録認証アプリ、ＭＬＤプロキシアプリ、プロテクションアプリ、低速監視アプリ（ＯＭＣＩ）の順である。
【０１３５】
機器無依存アプリ部１３０は、機器のベンダ、方式、機器種別、機器の世代、例えば、ＩＴＵ−Ｔ  Ｇ．９８９シリーズに準拠するＴＷＤＭ−ＰＯＮと、ＩＴＵ−Ｔ  Ｇ．９８７シリーズに準拠するＸＧ−ＰＯＮと、ＩＴＵ−Ｔ  Ｇ．９８４シリーズに準拠するＧ−ＰＯＮと、ＩＴＵ−Ｔ  Ｇ．９８３シリーズに準拠するＢ（Ｂｒｏａｄｂａｎｄ）ＰＯＮとのいずれにもよらずに動作するアプリである。機器無依存アプリ部１３０は、機器のベンダ、方式、機器種別、機器の世代、例えば、ＩＥＥＥ８０２．３ａｖやＩＥＥＥ１９０４．１等に準拠する１０ＧＥ−ＰＯＮとＩＥＥＥ８０２．３ａｈに準拠するＧＥ−ＰＯＮ等の差異とによらずに動作するアプリである。
【０１３６】
拡張機能部１３１のアプリとして、機器無依存ＡＰＩ２１を介して、一部のベンダ、方式、種別、世代に備える機能を駆動するためのアプリや、一部のベンダ、方式、種別、世代の装置のみに備える機能を駆動するアプリを含んでいてもよい。
【０１３７】
管理・制御エージェント部１３３は、ＥＭＳ１４０及びミドルウェア部１２０と入出力する。ミドルウェア部１２０は、ＮＥ管理・制御部１１５との間で、ＮＥ管理情報及び制御情報を入出力する。ＮＥ管理・制御部１１５は、ミドルウェア部１２０を介さずに、ＮＥ管理情報及び制御情報をＥＭＳ１４０と直接送受信してもよいし、管理・制御エージェント部１３３を介して、ＮＥ管理情報及び制御情報を送受信してもよい。
【０１３８】
ミドルウェア部１２０は、機器無依存アプリ部１３０と機器無依存ＡＰＩ２１を介して情報を入出力する。ミドルウェア部１２０は、機器依存ＡＰＩ２３を介して、機器依存部１１０のＯＡＭ部１１４、ドライバ、ファームウェア、ハードウェア部１１１（ＰＨＹ）又はハードウェア部１１２（ＭＡＣ）と情報を入出力する。ミドルウェア部１２０は、入力した情報を、そのまま又は所定の形式で出力する。例えば、ミドルウェア部１２０は、出力先が機器無依存アプリ部１３０の各部であれば、機器無依存ＡＰＩ２１の各部の入力形式に情報を変換する。出力先が機器依存部１１０のＯＡＭ部１１４、ドライバ、ファームウェア、ハードウェア部１１１（ＰＨＹ）又はハードウェア部１１２（ＭＡＣ）であれば、ミドルウェア部１２０は、それぞれに入力する形式の機器依存ＡＰＩ２３の形式に変換してから、又は終端して所定の処理を施してから情報を出力先に送信する。
【０１３９】
ミドルウェア部１２０は、入力の際に、それぞれの入力先に不要な入力情報は削除し、不足の情報があれば、他の機器無依存ＡＰＩ２１や機器依存ＡＰＩ２３を介して収集して補足することが望ましい。また、ミドルウェア部１２０への入力の際に、ブロードキャスト又はマルチキャストして、関連するアプリ等に同報することとしてもよい。
【０１４０】
図３では、ミドルウェア部１２０や機器依存部１１０は単一で例示したが、それぞれ複数から構成されていてもよい。機器依存部１１０のハードウェアに複数のプロセッサが含まれる場合、ミドルウェア部１２０はプロセッサやハードウェアをまたいでプロセッサ間通信等を用いて入出力してもよい。機器無依存アプリ部１３０間や機器無依存アプリ部１３０をＤＬＬ（Ｄｙｎａｍｉｃ  Ｌｉｎｋ  Ｌｉｂｒａｒｙ）のような実行プログラムとして、単一のプロセッサ上のユーザ空間上に配置してもよいし、複数のプロセッサ上のユーザ空間上に配置してもよい。
【０１４１】
また、機器無依存アプリ部１３０は、ＡＰＩ等の入出力ＩＦを確保した上でカーネル空間に配置してもよいし、独立にファームウェア等に入替可能なＩＦを有するミドルウェア部１２０とともに配置してもよいし、ファームウェア等に組み込んでコンパイルし直してもよい。機器無依存アプリ部１３０毎にユーザ空間やカーネル空間を任意の組み合わせとしてもよい。
同一の機能に対応する機器無依存アプリ部１３０を、ユーザ空間とカーネル空間の両方で実装可能としてもよい。この場合、例えば、切り替えていずれかを選択してもよいし、両方協働して処理してもよいし、一方のみで実処理を行うとしてもよい。機器依存部１１０のソフトウェアも同様である。
【０１４２】
望ましくは、主信号処理やＤＢＡ処理や低レイヤの信号処理のように高速処理が必要であるほど、拡張性・入替の即時性とトレードオフはあるが、オーバーヘッドが少なく高速な処理が期待されるカーネル空間やファームウェアに組み込むことが望ましい。機器依存アプリ部１５０（後述する図４及び後述する図６参照）を配置するプロセッサもプロセッサ間通信によるバスや速度等の制限、通信路の占有等による他のプログラムへの影響の観点から、実処理を行うプロセッサ又はその近傍のプロセッサのユーザ空間やカーネル空間やファームウェア上に配置することが望ましい。ただし、実処理を行うプロセッサ又はその近傍のプロセッサの能力を軽減するためにはプロセッサ間通信によるコミュニケーションコストは増大するが、遠隔のプロセッサで処理するとしてもよい。
【０１４３】
機器無依存ＡＰＩ２１は、追加する拡張機能部１３１を想定してミドルウェア部１２０に予め備えられることが望ましいが、機器依存ＡＰＩ２３や他の機器無依存アプリ部１３０の改変を抑制する形で、必要に応じて追加又は削除されてもよい。
【０１４４】
なお、本例では、ソフト化領域を、基本機能部１３２、管理・制御エージェント部１３３、拡張機能部１３１、ミドルウェア部１２０としたが、ソフト化領域は、サービスアダプテーション（暗号化、フラグメント処理、ＧＥＭフレーム化／ＸＧＥＭフレーム化、ＰＨＹアダプテーションのＦＥＣ、スクランブル、同期ブロック生成／抽出、ＧＴＣ（ＧＰＯＮ  Ｔｒａｎｓｍｉｓｓｉｏｎ  Ｃｏｎｖｅｒｇｅｎｃｅｓ）フレーム化、ＰＨＹフレーム化、ＳＰ変換、符号化方式も対象としてもよい。アーキテクチャのソフト化機能の実装例とハードウェア部に対応する機能配備の例を説明する。機能配備は、例えば、ネットワーク機器又は外部のサーバにソフト化機能を備える。これは他の例でも同様である。
【０１４５】
（アーキテクチャの第２例）
図４は、通信装置のアーキテクチャの第２例を示す図である。図４では、通信装置は、図３に示す通信装置のミドルウェア部１２０の配下に機器依存アプリ部１５０を更に備えた構成である。アーキテクチャの第２例は、機器依存アプリ部１５０を備えること以外は、アーキテクチャの第１例と同様である。
【０１４６】
図４では、通信装置は、準拠する機器依存部１１０の標準規格又は機器製造ベンダに依存するハードウェア部１１１（ＰＨＹ）及びハードウェア部１１２（ＭＡＣ）と、ハードウェア部１１１（ＰＨＹ）及びハードウェア部１１２（ＭＡＣ）を駆動するドライバ、ファームウェア等を実行するソフトウェア部１１３と、機器依存部１１０のハードウェア部１１１（ＰＨＹ）及びハードウェア部１１２（ＭＡＣ）やソフトウェア部１１３の少なくとも一部を駆動する機器依存アプリ部１５０と、機器依存部１１０のハードウェア部１１１（ＰＨＹ）、ハードウェア部１１２（ＭＡＣ）、ソフトウェア部１１３及び機器依存アプリ部１５０の違いを隠蔽するミドルウェア部１２０と、機器に依存しない汎用の機器無依存アプリ部１３０とを備える。
【０１４７】
ミドルウェア部１２０と機器依存アプリ部１５０とは、機器依存ＡＰＩ２３で接続される。機器依存アプリ部１５０と、機器依存部１１０のＯＡＭ部１１４、ソフトウェア部１１３、ハードウェア部１１１（ＰＨＹ）及びハードウェア部１１２（ＭＡＣ）とは、機器依存ＡＰＩ２４で接続される。機器依存アプリ部１５０と管理・制御エージェント部１３３とは、ＡＰＩ２６で接続される。
【０１４８】
機器無依存アプリ部１３０は、例えば、ＥＭＳ１４０からの通信を受ける管理・制御エージェント部１３３と、基本機能部１３２と、拡張機能部１３１とを備える。機器無依存アプリ部１３０は、アーキテクチャの第１例と同様に、管理・制御エージェント部１３３と基本機能部１３２と拡張機能部１３１とのうちいずれかを備えなくてもよい。機器無依存アプリ部１３０は、管理・制御エージェント部１３３と基本機能部１３２と拡張機能部１３１と以外の機能部を、更に備えてもよい。また、拡張機能部１３１は、アーキテクチャの第１例と同様に、他の機能に影響を与えずに追加、削除、入替又は変更が可能であることが好ましい。
【０１４９】
基本機能部１３２は、各拡張機能部１３１の一部として含まれていてもよいし、ミドルウェア部１２０の下位で代替されてもよい。拡張機能部１３１が基本機能部１３２を含む場合や、ミドルウェア部１２０の下位が基本機能部１３２を代替する場合や、それらの組み合わせである場合、機器無依存アプリ部１３０は基本機能部１３２を含まなくてもよい。
【０１５０】
また、基本機能部１３２の一部もミドルウェア部１２０の下位の機器依存アプリ部１５０で代替してもよい。管理・制御エージェント部１３３は、予め定められた設定に従って自動設定する場合、ＥＭＳ１４０との間で情報を入出力しなくてよい。更に、管理設定機能を管理・制御エージェント部１３３が備えず、他の機器無依存アプリ部１３０や基本機能部１３２や機器依存部１１０が管理設定機能を備える場合、機器無依存アプリ部１３０は、管理・制御エージェント部１３３を備えなくてもよい。
【０１５１】
ＥＭＳ１４０と機器無依存アプリ部１３０とは、直接入出力してもよい。ミドルウェア部１２０の下位が基本機能部１３２の全てを代替する場合、機器無依存アプリ部１３０は、基本機能部１３２を備えなくてもよい。
【０１５２】
図４に示す通信装置において、機器依存アプリ部１５０は、ミドルウェア部１２０を介して情報を入出力してもよいし、管理・制御エージェント部１３３から情報を直接入出力してもよいし、両者のうちのいずれかとの間で情報を入出力してもよいし、ＥＭＳ１４０と直接入出力してもよい。また、機器依存アプリ部１５０が、ＥＭＳ１４０からの通信を受けずに、予め定められた設定に従って自動設定されており、ミドルウェア部１２０を介してＥＭＳ１４０から管理及び制御情報を取得可能である場合、機器無依存アプリ部１３０は、管理・制御エージェント部１３３を備えなくてもよい。
【０１５３】
機器無依存アプリ部１３０は、ミドルウェア部１２０を介して少なくとも機器依存部１１０のハードウェア部１１１（ＰＨＹ）及びハードウェア部１１２（ＭＡＣ）との間又はソフトウェア部１１３との間で、情報を入出力する。機器無依存アプリ部１３０は、必要に応じてミドルウェア部１２０を介して、相互に入出力する。特に、機器無依存アプリ部１３０は、ＥＭＳ１４０との間で入出力された情報に応じて制御又は管理を実行する場合、ＥＭＳ１４０からの通信を受ける管理・制御エージェント部１３３との間で、情報を入出力する。
【０１５４】
ＮＥ管理・制御部１１５は、ミドルウェア部１２０を介して管理・制御エージェント部１３３との間で、ＮＥ管理情報及び制御情報を入出力する。ＮＥ管理・制御部１１５は、ミドルウェア部１２０を介さずに、ＥＭＳ１４０との間で、ＮＥ管理情報及び制御情報を直接入出力してもよい。
【０１５５】
機器依存アプリ部１５０は、管理・制御エージェント部１３３との間で、ＮＥ管理情報及び制御情報を入出力している。機器依存アプリ部１５０は、管理・制御エージェント部１３３を介さずに、ＥＭＳ１４０との間で、情報を直接入出力してもよい。管理・制御エージェント部１３３は、ＥＭＳ１４０、ミドルウェア部１２０及び機器依存アプリ部１５０との間で、情報を入出力する。ミドルウェア部１２０は、ＮＥ管理・制御部１１５との間で、ＮＥ管理情報及び制御情報を入出力する。
【０１５６】
ＮＥ管理・制御部１１５は、ミドルウェア部１２０を介さずに、ＥＭＳ１４０との間で、ＮＥ管理情報及び制御情報を直接入出力してもよい。ミドルウェア部１２０は、機器無依存アプリ部１３０との間で、機器無依存ＡＰＩ２１を介して情報を入出力し、機器依存部１１０のＯＡＭ部１１４、ドライバ、ファームウェア、ハードウェア部１１１（ＰＨＹ）及びハードウェア部１１２（ＭＡＣ）との間で、機器依存ＡＰＩ２３を介して情報を入出力する。
【０１５７】
図４に示すミドルウェア部１２０は、図３に示すミドルウェア部１２０と同様に、そのまま又は所定の形式で入力する。機器無依存ＡＰＩ２１は、後から追加する拡張機能部１３１を想定して、予めミドルウェア部１２０に備えることが望ましいが、必要に応じて、機器依存ＡＰＩ２３や他の機器無依存アプリ部１３０の改変を抑制する形で追加又は削除してもよい。
【０１５８】
（アーキテクチャの第３例）
図５は、通信装置のアーキテクチャの第３例を示す図である。図５では、図３に示すアーキテクチャの第１例で説明したミドルウェア部１２０の代わりに、基本機能部１３２が、ハードウェア部１１１（ＰＨＹ）及びハードウェア部１１２（ＭＡＣ）と、拡張機能部１３１との入出力を行う。その他の機器無依存アプリ部１３０は、アーキテクチャの第１例と同様である。
【０１５９】
なお、図ではＥＭＳ１４０及び外部の装置１６０が基本機能部１３２を介して機器無依存アプリ部１３０に接続しているが、ＥＭＳ１４０及び外部の装置１６０は必ずしも基本機能部１３２を介して機器無依存アプリ部１３０に接続している必要はない。ＥＭＳ１４０及び外部の装置１６０は、必要に応じてミドルウェア部１２０に適宜接続してもよいし、機器無依存アプリ部１３０に直接接続してもよい。また「ミドルウェア部１２０経由で接続」と表現しているが、この表現は機器無依存アプリ部１３０からみた視点での表現である。実際には、ハードウェアでの接続の後にミドルウェア部１２０を介して機器無依存アプリ同士が接続している。
【０１６０】
アーキテクチャの第１例と比べて、第３例は、機器依存ＡＰＩ２３、２５を備えるミドルウェア部１２０を、準拠する標準規格、世代、方式、システム、機器種別、製造ベンダの少なくともいずれかが異なる機器毎に作成する必要がない。これによって、アーキテクチャの第３例の通信装置は、機器間世代間でより多くの機能を汎用化して移植し易く、接続性の検証も容易で、機器の機能が堅牢となる効果がある。
【０１６１】
アーキテクチャの第３例による通信装置は、機器依存部１１０と、機器無依存アプリ部１３０とを備える。機器依存部１１０は、準拠する標準規格又は機器製造ベンダ等に依存するハードウェア部１１１（ＰＨＹ）及びハードウェア部１１２（ＭＡＣ）と、ハードウェア部１１１（ＰＨＹ）及びハードウェア部１１２（ＭＡＣ）を駆動するドライバ、ファームウェア等のソフトウェア部１１３とを備える。ドライバ等は、機器依存部１１０の違いを隠蔽する。
【０１６２】
機器無依存アプリ部１３０は、拡張機能部１３１と、基本機能部１３２とを備える。基本機能部１３２は、ハードウェア部１１１（ＰＨＹ）及びハードウェア部１１２（ＭＡＣ）と機器依存のソフトウェア部１１３との違いを隠蔽するドライバを介して、機器無依存ＡＰＩ２７（移植用ＩＦ）により機器依存部１１０と接続する。機器無依存アプリ部１３０は、ハードウェア部１１１（ＰＨＹ）及びハードウェア部１１２（ＭＡＣ）と機器依存のソフトウェア部１１３との違いを隠蔽するドライバを介して、ハードウェア部１１１（ＰＨＹ）及びハードウェア部１１２（ＭＡＣ）と機器依存のソフトウェア部１１３との間で、データを入出力する。
【０１６３】
基本機能部１３２と拡張機能部１３１とは、機器無依存ＡＰＩ２２（拡張用ＩＦ）を介して接続される。基本機能部１３２と機器依存部１１０とは、機器無依存ＡＰＩ２７を介して接続される。機器無依存アプリ部１３０の内の基本機能部１３２が、ミドルウェア部１２０の代わりに、ハードウェア部１１１（ＰＨＹ）及びハードウェア部１１２（ＭＡＣ）や拡張機能部１３１との間で、情報の入出力を行う。
【０１６４】
機器無依存アプリ部１３０は、必要に応じて基本機能部１３２を介して、相互に入出力する。機器無依存アプリ部１３０の拡張機能部１３１は、基本機能部１３２及び機器無依存ＡＰＩ２２を介して、情報を入出力する。基本機能部１３２は、拡張機能部１３１と機器無依存ＡＰＩ２２を介して情報を入出力し、機器依存部１１０のＯＡＭ部、ドライバ、ファームウェア、ハードウェア部１１１（ＰＨＹ）及びハードウェア部１１２（ＭＡＣ）と機器無依存ＡＰＩ２７とを介して情報を入出力する。
【０１６５】
基本機能部１３２は、図３に示すミドルウェア部１２０と同様に、そのまま又は所定の形式で情報を入力する。例えば、他の機器無依存アプリ部１３０であれば、基本機能部１３２は、入力する形式の機器無依存ＡＰＩ２２の形式にそれぞれに変換し、機器依存のＯＡＭ部、ドライバ、ファームウェア、ハードウェア部であれば、入力する形式の機器無依存ＡＰＩ２２の形式にそれぞれに変換してから、又は終端して所定の処理を施してから情報を入力する。入力の際に、基本機能部１３２は、それぞれの入力先に不要な入力情報を削除し、不足の情報があれば、他の機器無依存ＡＰＩ２２や機器無依存ＡＰＩ２７を介して収集して補足することが望ましい。しかし、基本機能部１３２は、入力先への入力を、ブロードキャスト又はマルチキャストして、関連するアプリ等に同報することとしてもよい。
【０１６６】
機器無依存アプリ部１３０は、例えば、拡張機能部１３１−１〜１３１−３と、基本機能部１３２とを備える。機器無依存アプリ部１３０は、拡張機能部１３１と基本機能部１３２とのうち、いずれかを備えなくてもよい。機器無依存アプリ部１３０は、拡張機能部１３１と基本機能部１３２と以外の機能部を、更に備えてもよい。例えば、拡張機能部１３１が不要である場合、機器無依存アプリ部１３０は、拡張機能部１３１を備えなくてよい。
【０１６７】
拡張機能部１３１は、他の機能に影響を与えることなく独立に追加又は削除可能であることが好ましい。例えば、サービス上の要求に合わせて、例えばマルチキャストサービス、省電力対応を拡張機能部１３１とする場合、拡張機能部１３１が必要になった場合に、適宜追加し、不要となった場合に適宜削除し、変更に応じて入替又は変更してもよい。
【０１６８】
機器無依存ＡＰＩ２２は、後から追加する拡張機能部１３１を想定して、基本機能部１３２に予め備えることが望ましいが、必要に応じて、機器無依存ＡＰＩ２２、機器無依存ＡＰＩ２７、他の機器無依存アプリ部１３０の改変を抑制する形で、追加又は削除してもよい。
【０１６９】
（アーキテクチャの第４例）
図６は、通信装置のアーキテクチャの第４例を示す図である。アーキテクチャの第４例とアーキテクチャの第３例との違いは、通信装置が、基本機能部１３２の配下に、機器依存アプリ部１５０を備える点である。このように、アーキテクチャの第４例の通信装置は、機器依存アプリ部１５０を備えることで、基本機能部１３２の構成を簡易化できる効果がある。
【０１７０】
図６に示す通信装置は、機器依存部１１０と、機器無依存アプリ部１３０とを備える。機器依存部１１０は、準拠する標準規格又は機器製造ベンダに依存するハードウェア部１１１（ＰＨＹ）及びハードウェア部１１２（ＭＡＣ）と、ハードウェア部１１１（ＰＨＹ）及びハードウェア部１１２（ＭＡＣ）を駆動するドライバ、ファームウェア等のソフトウェア部１１３と、機器依存部１１０の少なくとも一部分を駆動する機器依存アプリ部１５０とを有する。機器無依存アプリ部１３０は、移植用ＩＦとハードウェア部１１１（ＰＨＹ）及びハードウェア部１１２（ＭＡＣ）と機器依存のソフトウェアとの違いを隠蔽するドライバを介して又は移植用ＩＦと機器依存アプリ部１５０とを介して、機器に依存しない処理を実行する汎用の機器無依存アプリである。機器無依存アプリ部１３０内の基本機能部１３２と、機器依存部１１０内の機器依存アプリ部１５０とは、機器無依存ＡＰＩ２７を介して接続される。機器依存アプリ部１５０と機器依存部１１０の他の機能部とは、機器依存ＡＰＩ２４を介して接続される。
【０１７１】
機器無依存アプリ部１３０内の基本機能部１３２は、ミドルウェア部１２０の代わりに、基本機能部１３２がハード、拡張機能部１３１との入出力を行う。基本機能部１３２の中に、ＥＭＳ１４０からの通信を受ける管理・制御エージェント部１３３(図３、図４参照）相当を含んでいてもよいし、拡張機能部１３１として管理・制御エージェント部１３３を備えてもよい。
【０１７２】
基本機能部１３２は、拡張機能部１３１と機器無依存ＡＰＩ２２（拡張用ＩＦ）を介して入出力し、機器依存部１１０のＯＡＭ部、ドライバ、ファームウェア、ハードウェア部１１１（ＰＨＹ）及びハードウェア部１１２（ＭＡＣ）と機器無依存ＡＰＩ２７（移植用ＩＦ）を介して入出力し、機器依存部１１０の差異を隠蔽する機器依存部１１０のドライバ又は機器依存アプリ部１５０と機器無依存ＡＰＩ２７を介して入出力する。
【０１７３】
基本機能部１３２は、図３に示すミドルウェア部１２０と同様に、そのまま又は所定の形式で入力する。アーキテクチャの第３例と同様に、基本機能部１３２の中に、ＥＭＳ１４０からの通信を受ける管理・制御エージェント部１３３相当を含んでいてもよいし、拡張機能部１３１として管理・制御エージェント部１３３を備えてもよい。
【０１７４】
機器無依存アプリ部１３０は、例えば、拡張機能部１３１−１〜１３１−３と、基本機能部１３２とを備える。機器無依存アプリ部１３０は、アーキテクチャの第３例と同様に、拡張機能部１３１と基本機能部１３２とのいずれかを備えなくてもよい。機器無依存アプリ部１３０は、アーキテクチャの第３例と同様に、拡張機能部１３１と基本機能部１３２と以外の機能部を、更に備えてもよい。
【０１７５】
拡張機能部１３１は、アーキテクチャの第３例と同様に、互いに独立に他の機能に影響を与えずに、追加、削除、入替又は変更が可能であることが好ましい。基本機能部１３２の一部は、機器依存アプリ部１５０で代替してもよい。機器依存アプリ部１５０は、情報を基本機能部１３２から直接入出力しているが、そのまま又は所定の変換の後に、基本機能部１３２を介さずにＥＭＳ１４０との間で情報を入出力してもよい。
【０１７６】
機器無依存ＡＰＩ２２、２７は、図３に示すアーキテクチャの第１例と同様に、後から追加する拡張機能部１３１を想定して、基本機能部１３２に予め備えることが望ましいが、機器無依存ＡＰＩ２２、機器無依存ＡＰＩ２７、他の機器無依存アプリ部１３０、機器依存アプリ部１５０又は機器依存ＡＰＩ２４の改変を抑制する形で、必要に応じて追加又は削除してもよい。
【０１７７】
（アーキテクチャの第５例）
図７の右上図は、アーキテクチャの第５例を示す図である。図７の右下図はアーキテクチャの第１〜第４例に相当する。同図では、通信装置がＯＬＴである場合を示している。アーキテクチャの第５例は、外付ハードにＯＬＴの機能を実装(クラウド化）することで、既存／市中品ＯＬＴハードを活用して、サービスに応じた機能追加／変更を用意とする機能クラウド化のアプローチを行う場合に好適である。
【０１７８】
本例では、通信装置は、既存／市中品ハードウェアと外付ハードウェアからなる。例えば既存／市中品ハードウェアは機器に依存する非汎用の機器依存部１１０であり、外付ハードウェア上にハードウェアやソフトウェアの違いを隠蔽するミドルウェア部１２１と、動作が機器に依存しない汎用の機器無依存アプリ部１３０とを備える。したがって、同図のミドルウェア以下の機器依存部（ベンダ依存部）は、通信装置の機器が準拠する標準規格や機器の製造ベンダに依存する機能部である。また、機器無依存アプリ部１３０は、通信装置の機器が準拠する標準規格や機器の製造ベンダに依存しない機能部である。
【０１７９】
ミドルウェア部１２１と機器無依存アプリ部１３０とは、機器に依存しない入出力ＩＦである機器無依存ＡＰＩを介して接続される。機器依存部１１０の例えば、ソフトウェア部、ＯＡＭ、ハードウェア部（ＰＨＹ）及びハードウェア部（ＭＡＣ）と、外付ハードウェア上のミドルウェア部１２１とは、機器に依存する入出力ＩＦである機器依存ＡＰＩ及び既存／市中品ハードウェアと外付ハードウェア間の機器間接続を介して接続される。
【０１８０】
本アーキテクチャでは機器無依存アプリ部１３０による拡張機能部（独自機能部）の柔軟及び迅速な追加を容易にし、通信サービスをタイムリーに提供することができる。ここで、機器依存部１１０は、図７に示す保守運用、アクセス制御、物理層処理、光モジュルであってもよく、機器自体の構成による。
【０１８１】
例えば、主信号の優先処理や回線の利用効率を向上するＤＢＡ等の更新頻度が高い機能又は通信サービス差異化に寄与する機能を優先して、機器依存部１１０又は機器無依存アプリ部１３０とすることを決めてもよい。更に、共用化を図る機器の準拠する標準規格、世代、方式、システム、機器種別、製造ベンダの少なくともいずれかに関して差異の隔たりが小さいものから、機器無依存アプリ部１３０としてもよい。
【０１８２】
準拠する標準規格、世代、方式、システム、機器種別、製造ベンダの少なくともいずれかに対しては最適でない場合でも、準拠する標準規格、世代、方式、システム、機器種別、製造ベンダの機能のいずれかを汎用化するために、機能を実行するための共通ＩＦが用いられてもよい。共通ＩＦの中には、機器依存部１１０の準拠する標準規格、世代、方式、システム、機器種別、製造ベンダのいずれかにおいて使用されないＩＦやパラメータが含まれていてもよい。
【０１８３】
ミドルウェア部１２１と、機器依存部１１０のドライバと、機器依存アプリ部１５０（ベンダ依存アプリ部）との少なくともいずれかに、ＩＦやパラメータ等を機器依存部１１０に対応するように変換する変換機能部や、不足するＩＦやパラメータ等に対応して自動設定する機能部を更に備えてもよい。
【０１８４】
機器依存部１１０は、ハードウェア部と、ソフトウェア部とを備える。ソフトウェア部は、機器依存のドライバ、ファームウェア、アプリケーション等を実行する。
【０１８５】
機器依存部１１０は、物理媒体に接続するＰＭＤ、ＭＡＣ、データのシリアル化を行うＰＭＡ、データを符号化する部分であるＰＣＳ又はＰＨＹの一部を備えなくてもよい。例えば、変復調信号処理、前方誤り訂正（ＦＥＣ）、符復号処理、暗号化処理等の低位の信号処理を備えずに光関連の機能のみを備えてもよい。
【０１８６】
機器無依存アプリ部１３０は、例えば、ＥＭＳからデータを取得する管理・制御エージェント部１３３と、拡張機能部１３１−１〜１３１−３と、基本機能部１３２とである。以下、拡張機能部１３１−１〜１３１−３に共通する事項については、符号の一部を省略して、「拡張機能部１３１」と表記する。ＥＭＳは、例えば、ネットワーク・エレメントを制御するコントローラである。なお、機器無依存アプリ部１３０は、管理・制御エージェント部１３３と拡張機能部１３１と基本機能部１３２とのうちいずれかを含まなくてもよい。
【０１８７】
機器無依存アプリ部１３０は、管理・制御エージェント部１３３、拡張機能部１３１及び基本機能部１３２以外の構成を、更に含んでいてもよい。例えば、拡張機能部１３１が不要である場合、機器無依存アプリ部１３０は、拡張機能部１３１を備えなくてもよい。また、機器無依存アプリ部１３０は、１個以上の拡張機能部１３１を含んでもよい。
【０１８８】
拡張機能部１３１は、他の機能に不要な影響を与えずに独立して追加、削除、入替又は変更が可能であることが好ましい。例えば、拡張機能部１３１は、サービス上の要求に合わせて、例えばマルチキャストサービス、省電力対応を実行する拡張機能部１３１が必要になった場合、適宜に追加、削除、入替又は変更されてもよい。
【０１８９】
基本機能部１３２は、拡張機能部１３１の一部として機器無依存アプリ部１３０に含まれてもよいし、ミドルウェア部１２１よりも下位の機能部によって代替されてもよい。拡張機能部１３１が基本機能部１３２を含む場合、機器無依存アプリ部１３０は基本機能部１３２を含まなくてもよい。ミドルウェア部１２１よりも下位の機能部が基本機能部１３２を代替する場合、機器無依存アプリ部１３０は基本機能部１３２を含まなくてもよい。拡張機能部１３１が基本機能部１３２を含み、ミドルウェア部１２０よりも下位の機能部が基本機能部１３２を代替する場合、機器無依存アプリ部１３０は基本機能部１３２を含まなくてもよい。
【０１９０】
管理・制御エージェント部１３３は、ＥＭＳ１４０からの通信を受けずに、予め定められた設定に従って自動設定する場合、ＥＭＳ１４０と入出力しなくてよい。更に、管理・制御エージェント部１３３が管理設定機能を備えず、他の機器無依存アプリ部１３０や基本機能部１３２や機器依存部１１０が管理設定機能を備える場合、機器無依存アプリ部１３０は、管理・制御エージェント部１３３を備えなくてもよい。
【０１９１】
ＥＭＳ１４０と機器無依存アプリ部１３０とは、情報を直接入出力してもよい。また、機器依存部１１０は、ＮＥ管理・制御部１１５と、ＮＥ管理・制御部１１５のＩＦとを備えなくともよい。
【０１９２】
基本機能部１３２は、拡張機能部１３１の一部として機器無依存アプリ部１３０に含まれてもよいし、ミドルウェア部１２０の下位の機能部によって代替されてもよい。拡張機能部１３１が基本機能部１３２を含む場合や、ミドルウェア部１２０の下位の機能部が基本機能部１３２を代替する場合や、それらの組み合わせである場合、機器無依存アプリ部１３０は基本機能部１３２を含まなくてもよい。また、基本機能部１３２の一部は、ミドルウェア部１２０の下位の機能部の機器依存アプリ部１５０によって代替されてもよい。
【０１９３】
管理・制御エージェント部１３３は、予め定められた設定に従って自動設定する場合、ＥＭＳ１４０との間で情報を入出力しなくてよい。更に、管理設定機能を管理・制御エージェント部１３３が備えず他の機器無依存アプリ部１３０や基本機能部１３２や機器依存部１１０が管理設定機能を備える場合、機器無依存アプリ部１３０は、管理・制御エージェント部１３３を備えなくてもよい。ＥＭＳ１４０と機器無依存アプリ部１３０とは、情報を直接入出力してもよい。
【０１９４】
機器無依存アプリ部１３０と機器依存部１１０との入出力の例は以下である。例えば、ＤＢＡアプリ部及びプロテクションアプリ部は、ＴＣレイヤのエンベデッドＯＡＭエンジンと、相互に情報を入出力する。ＤＷＢＡアプリ及びＯＮＵ登録認証アプリ部は、ＴＣレイヤのＰＬＯＡＭエンジンと、相互に情報を入出力する。省電力アプリ部は、ＯＭＣＩ及びＬ２主信号処理機能部（Ｌ２機能部）と相互に情報を入出力する。ＭＬＤプロキシアプリ部は、Ｌ２機能部と相互に情報を入出力する。低速監視アプリ（ＯＭＣＩ）は、ＯＭＣＩと相互に情報を入出力する。ＯＭＣＩ及びＬ２機能部は、ＸＧＥＭフレーマ及び暗号化を動作させる。ここで、ＤＷＢＡとＤＢＡは、別体、一体又は組み合わせでもよい。例えば、管理・制御エージェント部１３３は、保守運用機能のアプリ部であり、ＮＥ管理・制御部１１５のためのＮＥコントローラ等であるＥＭＳ１４０と、相互に情報を入出力する。
【０１９５】
機器無依存アプリ部１３０は、機器のベンダ、方式、機器種別、機器の世代、例えば、ＩＴＵ−Ｔ  Ｇ．９８９シリーズに準拠するＴＷＤＭ−ＰＯＮと、ＩＴＵ−Ｔ  Ｇ．９８７シリーズに準拠するＸＧ−ＰＯＮと、ＩＴＵ−Ｔ  Ｇ．９８４シリーズに準拠するＧ−ＰＯＮと、ＩＴＵ−Ｔ  Ｇ．９８３シリーズに準拠するＢＰＯＮとのいずれにもよらずに動作するアプリである。機器無依存アプリ部１３０は、機器のベンダ、方式、機器種別、機器の世代、例えば、ＩＥＥＥ８０２．３ａｖやＩＥＥＥ１９０４．１等に準拠する１０ＧＥ−ＰＯＮとＩＥＥＥ８０２．３ａｈに準拠するＧＥ−ＰＯＮ等の差異とによらずに動作するアプリである。
【０１９６】
拡張機能部１３１のアプリとして、機器無依存ＡＰＩ２１を介して、一部のベンダ、方式、種別、世代に備える機能を駆動するためのアプリや、一部のベンダ、方式、種別、世代の装置のみに備える機能を駆動するアプリを含んでいてもよい。
【０１９７】
管理・制御エージェント部１３３は、ＥＭＳ１４０及びミドルウェア部１２０と入出力する。ミドルウェア部１２０は、ＮＥ管理・制御部１１５との間で、ＮＥ管理情報及び制御情報を入出力する。ＮＥ管理・制御部１１５は、ミドルウェア部１２０を介さずに、ＮＥ管理情報及び制御情報をＥＭＳ１４０と直接送受信してもよいし、管理・制御エージェント部１３３を介して、ＮＥ管理情報及び制御情報を送受信してもよい。
【０１９８】
ミドルウェア部１２０は、機器無依存アプリ部１３０と機器無依存ＡＰＩ２１を介して情報を入出力する。ミドルウェア部１２０は、機器依存ＡＰＩ２３を介して、機器依存部１１０のＯＡＭ部１１４、ドライバ、ファームウェア、ハードウェア部１１１（ＰＨＹ）又はハードウェア部１１２（ＭＡＣ）と情報を入出力する。ミドルウェア部１２０は、入力した情報を、そのまま又は所定の形式で出力する。例えば、ミドルウェア部１２０は、出力先が機器無依存アプリ部１３０の各部であれば、機器無依存ＡＰＩ２１の各部の入力形式に情報を変換する。出力先が機器依存部１１０のＯＡＭ部１１４、ドライバ、ファームウェア、ハードウェア部１１１（ＰＨＹ）又はハードウェア部１１２（ＭＡＣ）であれば、ミドルウェア部１２０は、それぞれに入力する形式の機器依存ＡＰＩ２３の形式に変換してから、又は終端して所定の処理を施してから情報を出力先に送信する。
【０１９９】
ミドルウェア部１２０は、入力の際に、それぞれの入力先に不要な入力情報は削除し、不足の情報があれば、他の機器無依存ＡＰＩ２１や機器依存ＡＰＩ２３を介して収集して補足することが望ましい。また、ミドルウェア部１２０への入力の際に、ブロードキャスト又はマルチキャストして、関連するアプリ等に同報することとしてもよい。
【０２００】
ミドルウェア部１２０や機器依存部１１０は単一で例示したが、それぞれ複数から構成されていてもよい。機器依存部１１０のハードウェアに複数のプロセッサが含まれる場合、ミドルウェア部１２０はプロセッサやハードウェアをまたいでプロセッサ間通信等を用いて入出力してもよい。機器無依存アプリ部１３０間や機器無依存アプリ部１３０をＤＬＬのような実行プログラムとして、単一のプロセッサ上のユーザ空間上に配置してもよいし、複数のプロセッサ上のユーザ空間上に配置してもよい。
【０２０１】
また、機器無依存アプリ部１３０は、ＡＰＩ等の入出力ＩＦを確保した上でカーネル空間に配置してもよいし、独立にファームウェア等に入替可能なＩＦを有するミドルウェア部１２０とともに配置してもよいし、ファームウェア等に組み込んでコンパイルし直してもよい。機器無依存アプリ部１３０毎にユーザ空間やカーネル空間を任意の組み合わせとしてもよい。
【０２０２】
同一の機能に対応する機器無依存アプリ部１３０を、ユーザ空間とカーネル空間の両方で実装可能としてもよい。この場合、例えば、切り替えていずれかを選択してもよいし、両方協働して処理してもよいし、一方のみで実処理を行うとしてもよい。機器依存部１１０のソフトウェアも同様である。
【０２０３】
望ましくは、主信号処理やＤＢＡ処理や低レイヤの信号処理のように高速処理が必要であるほど、拡張性・入替の即時性とトレードオフはあるが、オーバーヘッドが少なく高速な処理が期待されるカーネル空間やファームウェアに組み込むことが望ましい。機器依存アプリ部１５０を配置するプロセッサもプロセッサ間通信によるバスや速度等の制限、通信路の占有等による他のプログラムへの影響の観点から、実処理を行うプロセッサ又はその近傍のプロセッサのユーザ空間やカーネル空間やファームウェア上に配置することが望ましい。ただし、実処理を行うプロセッサ又はその近傍のプロセッサの能力を軽減するためにはプロセッサ間通信によるコミュニケーションコストは増大するが、遠隔のプロセッサで処理するとしてもよい。
【０２０４】
機器無依存ＡＰＩ２１は、追加する拡張機能部１３１を想定してミドルウェア部１２０に予め備えられることが望ましいが、機器依存ＡＰＩ２３や他の機器無依存アプリ部１３０の改変を抑制する形で、必要に応じて追加又は削除されてもよい。
【０２０５】
（アーキテクチャの第６例）
アーキテクチャの第６例は、機器依存部１１０として準拠する標準規格又は機器製造ベンダに依存するハードウェア部１１１（ＰＨＹ）及びハードウェア部１１２（ＭＡＣ）と、ハードウェア部１１１（ＰＨＹ）及びハードウェア部１１２（ＭＡＣ）を駆動するドライバ・ファームウェア等のソフトウェア部１１３と、機器依存部１１０の少なくとも一部分を駆動する機器依存アプリ部１５０とを備える。
【０２０６】
機器依存アプリ部１５０及び機器依存部１１０は、機器依存ＡＰＩ２４を介して接続される。機器依存アプリ部１５０の中に、ＥＭＳ１４０からの通信を受ける管理・制御エージェント部１３３相当を含んでいてもよい。機器依存ＡＰＩ２４は、機器依存アプリ部１５０及び機器依存ＡＰＩ２４の改変を抑制する形で、必要に応じて追加又は削除されてもよい。
【０２０７】
なお、通信装置のアーキテクチャの第１例〜第６例に示す通信装置の構成は、ＴＷＤＭ−ＰＯＮのようなＩＴＵ−Ｔ勧告準拠のＰＯＮのＯＬＴを前提に記載しているが、ＯＮＵであってもよく、ＴＷＤＭ−ＰＯＮ以外のＩＴＵ−Ｔ勧告準拠のＰＯＮのＯＬＴ又はＯＮＵのいずれかであってもよいし、ＧＥ−ＰＯＮ、１０ＧＥ−ＰＯＮ等のＩＥＥＥ規格準拠のＰＯＮであってもよく、ＴＣレイヤ又はＰＭＤレイヤは対応する層に読み替えれば同様である。
【０２０８】
以下、ＴＷＤＭ−ＰＯＮが、ＰＯＮマルチキャスト機能と、省電力制御機能と、周波数・時刻同期機能と、プロテクション機能と、保守運用機能と、Ｌ２主信号処理機能と、ＰＯＮアクセス制御機能と、ＰＯＮ主信号処理機能とを主に有する場合を例に説明する。以下、ＰＯＮマルチキャスト機能と、省電力制御機能と、周波数・時刻同期機能と、プロテクション機能と、保守運用機能と、Ｌ２主信号処理機能と、ＰＯＮアクセス制御機能と、ＰＯＮ主信号処理機能とを、「主要８機能」という。
【０２０９】
図８は、通信装置及び外部サーバ１６の構成の例を示す図である。図８に示す通信システムは、通信装置と、外部サーバ１６とを備える。通信装置は、送受信部１１（ＴＲｘ）と、スイッチ部１２（ＳＷ）と、スイッチ部１３（ＳＷ）と、制御部１４と、プロキシ部１５との少なくとも一部を備える。なお、通信装置は、外部サーバ１６を備え得る。
【０２１０】
図８では、異なる波長（λＡ〜λＮ）の光信号を送受信（通信）する送受信部１１が同一のスイッチ部１２に接続されている構成を示すが、実施形態１−１はこれに限定されない。例えば、異なる波長（λＡ〜λＮ）の光信号を送受信する送受信部１１が同一のスイッチ部１２に接続されている構成に加えて、同一の波長の光信号を送受信する送受信部１１が同一のスイッチ部１２に接続されていてもよいし、異なる波長（λＡ〜λＮ）の光信号を送受信する送受信部１１の内で少なくとも一部の波長の送受信部１１が複数同一のスイッチ部１２に接続されていてもよいし、送受信部１１の内の一部又は全てが送信のみ又は受信のみ行う送受信部１１であってもよい。
【０２１１】
ＯＬＴなどの通信装置は、送受信部１１から制御部１４を備えていてもよいし、これらに加えて外部サーバ１６を更に、備えてもよい。また、ＯＳＵは、送受信部１１でもよいし、これに加えてスイッチ部１２（ＳＷ）又はスイッチ部１３（ＳＷ）を備えてもよい。
【０２１２】
通信システム構成（１−１）の通信システムは、送受信部１１（ＴＲｘ）と、スイッチ部１２（ＳＷ）と、スイッチ部１３（ＳＷ）と、制御部１４と、プロキシ部１５と、外部サーバ１６とを備える（図８）。
【０２１３】
通信装置がＯＬＴである場合、ＯＬＴは、送受信部１１（ＴＲｘ）と、スイッチ部１２（ＳＷ）と、スイッチ部１３（ＳＷ）と、制御部１４とから構成してもよいし、送受信部１１（ＴＲｘ）と、スイッチ部１２（ＳＷ）と、スイッチ部１３（ＳＷ）と、制御部１４と、外部サーバ１６とから構成してもよい。ＯＳＵは、送受信部１１（ＴＲｘ）とから構成してもよいし、送受信部１１（ＴＲｘ）と、スイッチ部１２（ＳＷ）とから構成してもよいし、送受信部１１（ＴＲｘ）と、スイッチ部１３（ＳＷ）とから構成してもよい。
【０２１４】
異なる波長（λＡ〜λＮ）の光信号を送受信する送受信部１１（ＴＲｘ）がスイッチ部１２に接続されている。送受信部１１（ＴＲｘ）は、自律制御を行い、又は、スイッチ部１２（ＳＷ）、スイッチ部１３（ＳＷ）、制御部１４、プロキシ部１５若しくは外部サーバ１６等の他の構成要素から制御され、又は、スイッチ部１２（ＳＷ）、スイッチ部１３（ＳＷ）、制御部１４、プロキシ部１５若しくは外部サーバ１６等の他の構成要素を介して転送された指示で制御される。送受信部１１（ＴＲｘ）は、ＯＤＮ（Ｏｐｔｉｃａｌ  Ｄｉｓｔｒｉｂｕｔｉｏｎ  Ｎｅｔｗｏｒｋ）若しくはスイッチ部１２（ＳＷ）のトラフィックの一部又はその全てに、所定の手順に従って、ＶＬＡＮ（Ｖｉｒｔｕａｌ  Ｌｏｃａｌ  Ａｒｅａ  Ｎｅｔｗｏｒｋ）、優先、廃棄優先若しくは宛先等の少なくとも一部又はその組み合わせのタグの追加、削除、付替をして、又は、タグの変更無で、集約、分配、振分、複製、折返若しくは透過の少なくとも一つ又はその組み合わせの処理を行う。
【０２１５】
なお、上りトラフィックに関しても集約されるとは限らない。スイッチ部１２（ＳＷ）は通信システム構成（１−１）の構成では波長毎の振分が主であるが、集約、分配、複製、折返、透過、ＶＩＤ（Ｖｉｒｔｕａｌ  ＬＡＮ  Ｉｄｅｎｔｉｆｉｅｒ）や優先廃棄を表すタグ等のタグ付加又はタグ付替を行ってもよい。後述する通信システム構成（１−２）の構成では、上りトラフィックは集約が主であるが、分配、振分、複製、折返、透過、タグ付加又はタグ付替を行ってもよい。下りトラフィックも集約、分配、振分、複製、折返、透過、タグ付加又はタグ付替のいずれかを行ってもよく、少なくとも一部の組み合わせを行ってもよい。そのいずれとするかはサービスポリシーに応じて決定する。これは以降の通信システム構成でも同様である。
【０２１６】
スイッチ部１２（ＳＷ）は、スイッチ部１３（ＳＷ）に接続される。スイッチ部１２（ＳＷ）は、自律制御を行い、又は、送受信部１１（ＴＲｘ）、スイッチ部１３（ＳＷ）、制御部１４、プロキシ部１５若しくは外部サーバ１６等の他の構成要素から制御され、又は、送受信部１１（ＴＲｘ）、スイッチ部１３（ＳＷ）、制御部１４、プロキシ部１５若しくは外部サーバ１６等の他の構成要素を介して転送された指示で制御される。スイッチ部１２（ＳＷ）は、送受信部１１（ＴＲｘ）若しくはスイッチ部１３（ＳＷ）のトラフィックの一部又はその全てに、所定の手順に従って、ＶＬＡＮ、優先、廃棄優先若しくは宛先等の少なくとも一部又はその組み合わせのタグの追加、削除、付替をして、又は、タグの変更無で、集約、分配、振分、複製、折返、透過若しくはタグ付加又はタグ付替の少なくとも一部又はその組み合わせの処理を行う。これは以降の通信システム構成でも同様である。
【０２１７】
なお、スイッチ部１２（ＳＷ）は、制御されるとは限らない。送受信部１１からプロキシ部１５の少なくとも一つが制御される場合と、制御されずに送受信部１１からプロキシ部１５の少なくとも一つに制御情報が転送される場合とがある。転送元としては例えばプロキシ部１５又は外部サーバ１６がある。また、送受信部１１からプロキシ部１５が自律で動く場合もある。これは以降の通信システム構成でも同様である。
【０２１８】
スイッチ部１３（ＳＷ）は、プロキシ部１５に直接、又は集線ＳＷ等を介して接続される。この集線ＳＷは、複数のＯＬＴから若しくはＯＬＴへのトラフィックに集約、分配、振分、複製、折返若しくは透過の少なくとも一部を行う。スイッチ部１３（ＳＷ）は、自律制御を行い、又は、送受信部１１（ＴＲｘ）、スイッチ部１２（ＳＷ）、制御部１４、プロキシ部１５若しくは外部サーバ１６等の他の構成要素から制御され、又は、送受信部１１（ＴＲｘ）、スイッチ部１２（ＳＷ）、制御部１４、プロキシ部１５若しくは外部サーバ１６等の他の構成要素を介して転送された指示で制御される。スイッチ部１３（ＳＷ）は、スイッチ部１２（ＳＷ）若しくはプロキシ部１５のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０２１９】
制御部１４は、送受信部１１（ＴＲｘ）、スイッチ部１２（ＳＷ）、スイッチ部１３（ＳＷ）、プロキシ部１５又は外部サーバ１６又は外部のオペレーションシステム（不図示）、コントローラ（不図示）若しくは外部の装置（不図示）と接続される。制御部１４は、送受信部１１（ＴＲｘ）、スイッチ部１２（ＳＷ）、スイッチ部１３（ＳＷ）、プロキシ部１５若しくは外部サーバ１６等の他の構成要素を制御し、又は送受信部１１（ＴＲｘ）、スイッチ部１２（ＳＷ）、スイッチ部１３（ＳＷ）、プロキシ部１５若しくは外部サーバ１６等の他の構成要素を介して、指示を転送する。
【０２２０】
図８に示すプロキシ部１５は、ＯＬＴから若しくはＯＬＴへのデータ経路上に設置してもよい。ただし、間に他の装置（例えば、複数のＯＬＴから若しくはＯＬＴへのトラフィックに集約／分配する集線ＳＷ等）が介在する場合があるので、直接接続されるとは限らない。制御の流れとしては、送受信部１１（ＴＲｘ）、スイッチ部１２（ＳＷ）、スイッチ部１３（ＳＷ）、制御部１４、外部サーバ１６のいずれに、プロキシ部１５があってもよい。
【０２２１】
プロキシ部１５は、上位側の装置（不図示）に直接、又は集線ＳＷ等を介して接続される。この集線ＳＷは、複数のＯＬＴから若しくはＯＬＴへのトラフィックに集約、分配、振分、複製、折返若しくは透過の少なくとも一部を行う。プロキシ部１５は、自律制御を行い、又は、送受信部１１（ＴＲｘ）、スイッチ部１２（ＳＷ）、スイッチ部１３（ＳＷ）、制御部１４若しくは外部サーバ１６等の他の構成要素から制御され、又は、送受信部１１（ＴＲｘ）、スイッチ部１２（ＳＷ）、スイッチ部１３（ＳＷ）、制御部１４若しくは外部サーバ１６等の他の構成要素を介して転送された指示で制御される。プロキシ部１５は、スイッチ部１３（ＳＷ）若しくは上位側の装置（不図示）のトラフィックの一部又はその全てに、所定の手順に従って、ＶＬＡＮ、優先、廃棄優先若しくは宛先等の少なくとも一部又はその組み合わせのタグの追加、削除、付替をして、若しくはタグの変更無で、集約、分配、振分、複製、折返若しくは透過の少なくとも一部又はその組み合わせの処理を行う。
【０２２２】
外部サーバ１６は、送受信部１１（ＴＲｘ）又はスイッチ部１２（ＳＷ）又はスイッチ部１３（ＳＷ）又は制御部１４又はプロキシ部１５又は外部のオペレーションシステム（不図示）又はコントローラ（不図示）若しくは外部の装置（不図示）と接続される。外部サーバ１６は、送受信部１１（ＴＲｘ）、スイッチ部１２（ＳＷ）、スイッチ部１３（ＳＷ）若しくは制御部１４若しくはプロキシ部１５等の他の構成要素を制御し、又は送受信部１１（ＴＲｘ）、スイッチ部１２（ＳＷ）、スイッチ部１３（ＳＷ）若しくは制御部１４若しくはプロキシ部１５等の他の構成要素を介して指示を転送する。
【０２２３】
送受信部１１（ＴＲｘ）、スイッチ部１２（ＳＷ）、スイッチ部１３（ＳＷ）、制御部１４、プロキシ部１５若しくは外部サーバ１６は、送受信部１１（ＴＲｘ）、スイッチ部１２（ＳＷ）、スイッチ部１３（ＳＷ）、プロキシ部１５若しくは外部サーバ１６等の他の構成要素のトラフィックの一部又はその全てそれ自体又はその複写を受けて、受けたトラフィックの一部、その全て自体、受けたトラフィックの一部、全てを書き換えたトラフィック又は受けたトラフィックに対する応答を、送受信部１１（ＴＲｘ）、スイッチ部１２（ＳＷ）、スイッチ部１３（ＳＷ）、プロキシ部１５若しくは外部サーバ１６等の他の構成要素、外部のオペレーションシステム（不図示）、コントローラ（不図示）又は外部の装置（不図示）に送信してもよい。
【０２２４】
なお、要素は適宜含まなくてもよいし、含まない要素とのやりとりは例えば、スキップしてその先の要素とやりとりする。同士を省いた相手同士で通信してもよい。
【０２２５】
通信システム構成（１−２）の通信システムでは、通信システム構成（１−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）が、スイッチ部１２にそれぞれ接続されている。更に、異なる波長の送受信部１１の内の少なくとも一部の波長の送受信部１１がスイッチ部１２に複数接続されていてもよい。他は同様である。
【０２２６】
通信システム構成（２−１）の通信システムは、送受信部１１（ＴＲｘ）と、スイッチ部１２（ＳＷ）と、スイッチ部１３（ＳＷ）と、制御部１４と、プロキシ部１５とを備える（図８）。異なる波長（λＡ〜λＮ）の光信号を送受信する送受信部１１（ＴＲｘ）がスイッチ部１２に接続されている。
【０２２７】
送受信部１１（ＴＲｘ）は、自律制御を行い、又は、スイッチ部１２（ＳＷ）、スイッチ部１３（ＳＷ）、制御部１４若しくはプロキシ部１５等の他の構成要素から制御され、又は、スイッチ部１２（ＳＷ）、スイッチ部１３（ＳＷ）、制御部１４若しくはプロキシ部１５等の他の構成要素を介して転送された指示で制御される。送受信部１１（ＴＲｘ）は、ＯＤＮ若しくはスイッチ部１２（ＳＷ）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一つ又はその組み合わせの処理を行う。
【０２２８】
スイッチ部１２（ＳＷ）は、スイッチ部１３（ＳＷ）に接続される。スイッチ部１２（ＳＷ）は、自律制御を行い、又は、送受信部１１（ＴＲｘ）、スイッチ部１３（ＳＷ）、制御部１４若しくはプロキシ部１５等の他の構成要素から制御され、又は、送受信部１１（ＴＲｘ）、スイッチ部１３（ＳＷ）、制御部１４、プロキシ部１５等の他の構成要素を介して転送された指示で制御される。スイッチ部１２（ＳＷ）は、送受信部１１（ＴＲｘ）若しくはスイッチ部１３（ＳＷ）のトラフィックの一部又はその全てに、所定の手順に従って、ＶＬＡＮ、優先、廃棄優先若しくは宛先等の少なくとも一部又はその組み合わせのタグの追加、削除、付替をして、若しくはタグの変更無で、集約、分配、振分、複製、折返若しくは透過の少なくとも一部又はその組み合わせの処理を行う。
【０２２９】
スイッチ部１３（ＳＷ）は、プロキシ部１５に直接、又は集線ＳＷ等を介して接続される。この集線ＳＷは、複数のＯＬＴから若しくはＯＬＴへのトラフィックに集約、分配、振分、複製、折返若しくは透過の少なくとも一部を行う。スイッチ部１３（ＳＷ）は、自律制御を行い、又は、送受信部１１（ＴＲｘ）、スイッチ部１２（ＳＷ）、制御部１４若しくはプロキシ部１５等の他の構成要素から制御され、又は、送受信部１１（ＴＲｘ）、スイッチ部１２（ＳＷ）、制御部１４若しくはプロキシ部１５等の他の構成要素を介して転送された指示で制御される。スイッチ部１３（ＳＷ）は、スイッチ部１２（ＳＷ）若しくはプロキシ部１５のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０２３０】
制御部１４は、送受信部１１（ＴＲｘ）、スイッチ部１２（ＳＷ）、スイッチ部１３（ＳＷ）、プロキシ部１５又は外部のオペレーションシステム（不図示）、コントローラ（不図示）若しくは外部の装置（不図示）と接続される。制御部１４は、送受信部１１（ＴＲｘ）、スイッチ部１２（ＳＷ）、スイッチ部１３（ＳＷ）若しくはプロキシ部１５等の他の構成要素を制御し、又は送受信部１１（ＴＲｘ）、スイッチ部１２（ＳＷ）、スイッチ部１３（ＳＷ）、プロキシ部１５若しくは等の他の構成要素を介して指示を転送する。
【０２３１】
プロキシ部１５は、上位側の装置（不図示）に直接、又は集線ＳＷ等を介して接続される。この集線ＳＷは、複数のＯＬＴから若しくはＯＬＴへのトラフィックに集約、分配、振分、複製、折返若しくは透過の少なくとも一部を行う。プロキシ部１５は、自律制御を行い、又は、送受信部１１（ＴＲｘ）、スイッチ部１２（ＳＷ）、スイッチ部１３（ＳＷ）、制御部１４若しくは等の他の構成要素から制御され、又は、送受信部１１（ＴＲｘ）、スイッチ部１２（ＳＷ）、スイッチ部１３（ＳＷ）若しくは制御部１４等の他の構成要素を介して転送された指示で制御される。プロキシ部１５は、スイッチ部１３（ＳＷ）若しくは上位側の装置（不図示）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０２３２】
送受信部１１（ＴＲｘ）、スイッチ部１２（ＳＷ）、スイッチ部１３（ＳＷ）、制御部１４、プロキシ部１５は、送受信部１１（ＴＲｘ）、スイッチ部１２（ＳＷ）、スイッチ部１３（ＳＷ）若しくはプロキシ部１５等の他の構成要素のトラフィックの一部、その全て自体若しくはその複写を受けて、受けたトラフィックの一部、その全て自体、受けたトラフィックの一部、全てを書き換えたトラフィック又は受けたトラフィックに対する応答を、送受信部１１（ＴＲｘ）、スイッチ部１２（ＳＷ）、スイッチ部１３（ＳＷ）若しくはプロキシ部１５等の他の構成要素、外部のオペレーションシステム（不図示）、コントローラ（不図示）又は外部の装置（不図示）に送信してもよい。
【０２３３】
通信システム構成（２−２）の通信システムでは、通信システム構成（２−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）が、スイッチ部１２にそれぞれ接続されている。更に、異なる波長の送受信部１１の内の少なくとも一部の波長の送受信部１１がスイッチ部１２に複数接続されていてもよい。他は同様である。
【０２３４】
通信システム構成（３−１）の通信システムは、送受信部１１（ＴＲｘ）と、スイッチ部１２（ＳＷ）と、スイッチ部１３（ＳＷ）と、制御部１４と、外部サーバ１６とを備える（図８）。異なる波長（λＡ〜λＮ）の光信号を送受信する送受信部１１（ＴＲｘ）がスイッチ部１２に接続されている。
【０２３５】
送受信部１１（ＴＲｘ）は、自律制御を行い、又は、スイッチ部１２（ＳＷ）、スイッチ部１３（ＳＷ）、制御部１４若しくは外部サーバ１６等の他の構成要素から制御され、又は、スイッチ部１２（ＳＷ）、スイッチ部１３（ＳＷ）、制御部１４若しくは外部サーバ１６等の他の構成要素を介して転送された指示で制御される。送受信部１１（ＴＲｘ）は、ＯＤＮ若しくはスイッチ部１２（ＳＷ）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一つ又はその組み合わせの処理を行う。
【０２３６】
スイッチ部１２（ＳＷ）は、スイッチ部１３（ＳＷ）に接続される。スイッチ部１２（ＳＷ）は、自律制御を行い、又は、送受信部１１（ＴＲｘ）、スイッチ部１３（ＳＷ）、制御部１４若しくは外部サーバ１６等の他の構成要素から制御され、又は、送受信部１１（ＴＲｘ）、スイッチ部１３（ＳＷ）、制御部１４若しくは外部サーバ１６等の他の構成要素を介して転送された指示で制御される。スイッチ部１２（ＳＷ）は、送受信部１１（ＴＲｘ）若しくはスイッチ部１３（ＳＷ）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０２３７】
スイッチ部１３（ＳＷ）は、上位側の装置（不図示）に直接、又は集線ＳＷ等を介して接続される。この集線ＳＷは、複数のＯＬＴから若しくはＯＬＴへのトラフィックに集約、分配、振分、複製、折返若しくは透過の少なくとも一部を行う。スイッチ部１３（ＳＷ）は、自律制御を行い、又は、送受信部１１（ＴＲｘ）、スイッチ部１２（ＳＷ）、制御部１４若しくは外部サーバ１６等の他の構成要素から制御され、又は、送受信部１１（ＴＲｘ）、スイッチ部１２（ＳＷ）、制御部１４若しくは外部サーバ１６等の他の構成要素を介して転送された指示で制御される。スイッチ部１３（ＳＷ）は、スイッチ部１２（ＳＷ）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０２３８】
制御部１４は、送受信部１１（ＴＲｘ）、スイッチ部１２（ＳＷ）、スイッチ部１３（ＳＷ）、外部サーバ１６、外部のオペレーションシステム（不図示）、コントローラ（不図示）又は外部の装置（不図示）と接続される。制御部１４は、送受信部１１（ＴＲｘ）、スイッチ部１２（ＳＷ）、スイッチ部１３（ＳＷ）若しくは外部サーバ１６等の他の構成要素を制御し、又は送受信部１１（ＴＲｘ）、スイッチ部１２（ＳＷ）、スイッチ部１３（ＳＷ）若しくは外部サーバ１６等の他の構成要素を介して指示を転送する。
【０２３９】
外部サーバ１６は、送受信部１１（ＴＲｘ）、スイッチ部１２（ＳＷ）、スイッチ部１３（ＳＷ）、制御部１４、外部のオペレーションシステム（不図示）、コントローラ（不図示）又は外部の装置（不図示）と接続される。外部サーバ１６は、送受信部１１（ＴＲｘ）、スイッチ部１２（ＳＷ）、スイッチ部１３（ＳＷ）若しくは制御部１４等の他の構成要素を制御し、又は送受信部１１（ＴＲｘ）、スイッチ部１２（ＳＷ）、スイッチ部１３（ＳＷ）若しくは制御部１４等の他の構成要素を介して指示を転送する。
【０２４０】
送受信部１１（ＴＲｘ）、スイッチ部１２（ＳＷ）、スイッチ部１３（ＳＷ）、制御部１４若しくは外部サーバ１６は、送受信部１１（ＴＲｘ）、スイッチ部１２（ＳＷ）、スイッチ部１３（ＳＷ）若しくは外部サーバ１６等の他の構成要素のトラフィックの一部、その全て自体若しくはその複写を受けて、受けたトラフィックの一部、その全て自体、受けたトラフィックの一部、全てを書き換えたトラフィック又は受けたトラフィックに対する応答を、送受信部１１（ＴＲｘ）、スイッチ部１２（ＳＷ）、スイッチ部１３（ＳＷ）若しくは外部サーバ１６等の他の構成要素、外部のオペレーションシステム（不図示）、コントローラ（不図示）又は外部の装置（不図示）に送信してもよい。
【０２４１】
通信システム構成（３−２）の通信システムでは、通信システム構成（３−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）が、スイッチ部１２にそれぞれ接続されている。更に、異なる波長の送受信部１１の内の少なくとも一部の波長の送受信部１１がスイッチ部１２に複数接続されていてもよい。他は同様である。
【０２４２】
通信システム構成（４−１）の通信システムは、送受信部１１（ＴＲｘ）と、スイッチ部１２（ＳＷ）と、スイッチ部１３（ＳＷ）と、プロキシ部１５と、外部サーバ１６とを備える（図８）。異なる波長（λＡ〜λＮ）の光信号を送受信する送受信部１１（ＴＲｘ）がスイッチ部１２に接続されている。
【０２４３】
送受信部１１（ＴＲｘ）は、自律制御を行い、又は、スイッチ部１２（ＳＷ）、スイッチ部１３（ＳＷ）、プロキシ部１５若しくは外部サーバ１６等の他の構成要素から制御され、又は、スイッチ部１２（ＳＷ）、スイッチ部１３（ＳＷ）、プロキシ部１５若しくは外部サーバ１６等の他の構成要素を介して転送された指示で制御される。送受信部１１（ＴＲｘ）は、ＯＤＮ若しくはスイッチ部１２（ＳＷ）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一つ又はその組み合わせの処理を行う。
【０２４４】
スイッチ部１２（ＳＷ）は、スイッチ部１３（ＳＷ）に接続される。スイッチ部１２（ＳＷ）は、自律制御を行い、又は、送受信部１１（ＴＲｘ）、スイッチ部１３（ＳＷ）、プロキシ部１５若しくは外部サーバ１６等の他の構成要素から制御され、又は、送受信部１１（ＴＲｘ）、スイッチ部１３（ＳＷ）、プロキシ部１５若しくは外部サーバ１６等の他の構成要素を介して転送された指示で制御される。スイッチ部１２（ＳＷ）は、送受信部１１（ＴＲｘ）若しくはスイッチ部１３（ＳＷ）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０２４５】
スイッチ部１３（ＳＷ）は、プロキシ部１５に直接、又は集線ＳＷ等を介して接続される。この集線ＳＷは、複数のＯＬＴから若しくはＯＬＴへのトラフィックに集約、分配、振分、複製、折返若しくは透過の少なくとも一部を行う。スイッチ部１３（ＳＷ）は、自律制御を行い、又は、送受信部１１（ＴＲｘ）、スイッチ部１２（ＳＷ）、プロキシ部１５若しくは外部サーバ１６等の他の構成要素から制御され、又は、送受信部１１（ＴＲｘ）、スイッチ部１２（ＳＷ）、プロキシ部１５若しくは外部サーバ１６等の他の構成要素を介して転送された指示で制御される。スイッチ部１３（ＳＷ）は、スイッチ部１２（ＳＷ）若しくはプロキシ部１５のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０２４６】
プロキシ部１５は、上位側の装置（不図示）に直接、又は集線ＳＷ等を介して接続される。この集線ＳＷは、複数のＯＬＴから若しくはＯＬＴへのトラフィックに集約、分配、振分、複製、折返若しくは透過の少なくとも一部を行う。プロキシ部１５は、自律制御を行い、又は、送受信部１１（ＴＲｘ）、スイッチ部１２（ＳＷ）、スイッチ部１３（ＳＷ）若しくは外部サーバ１６等の他の構成要素から制御され、又は、送受信部１１（ＴＲｘ）、スイッチ部１２（ＳＷ）、スイッチ部１３（ＳＷ）若しくは外部サーバ１６等の他の構成要素を介して転送された指示で制御される。プロキシ部１５は、スイッチ部１３（ＳＷ）若しくは上位側の装置（不図示）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０２４７】
外部サーバ１６は、送受信部１１（ＴＲｘ）、スイッチ部１２（ＳＷ）、スイッチ部１３（ＳＷ）、プロキシ部１５又は外部のオペレーションシステム（不図示）、コントローラ（不図示）若しくは外部の装置（不図示）と接続される。外部サーバ１６は、送受信部１１（ＴＲｘ）、スイッチ部１２（ＳＷ）、スイッチ部１３（ＳＷ）若しくはプロキシ部１５等の他の構成要素を制御し、又は送受信部１１（ＴＲｘ）、スイッチ部１２（ＳＷ）、スイッチ部１３（ＳＷ）若しくはプロキシ部１５等の他の構成要素を介して指示を転送する。
【０２４８】
送受信部１１（ＴＲｘ）、スイッチ部１２（ＳＷ）、スイッチ部１３（ＳＷ）、プロキシ部１５若しくは外部サーバ１６は、送受信部１１（ＴＲｘ）、スイッチ部１２（ＳＷ）、スイッチ部１３（ＳＷ）、プロキシ部１５若しくは外部サーバ１６等の他の構成要素のトラフィックの一部、その全て自体若しくはその複写を受けて、受けたトラフィックの一部、その全て自体、受けたトラフィックの一部、全てを書き換えたトラフィック又は受けたトラフィックに対する応答を、送受信部１１（ＴＲｘ）、スイッチ部１２（ＳＷ）、スイッチ部１３（ＳＷ）、プロキシ部１５若しくは外部サーバ１６等の他の構成要素、外部のオペレーションシステム（不図示）、コントローラ（不図示）又は外部の装置（不図示）に送信してもよい。
【０２４９】
通信システム構成（４−２）の通信システムでは、通信システム構成（４−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）が、スイッチ部１２にそれぞれ接続されている。更に、異なる波長の送受信部１１の内の少なくとも一部の波長の送受信部１１がスイッチ部１２に複数接続されていてもよい。他は同様である。
【０２５０】
通信システム構成（５−１）の通信システムは、送受信部１１（ＴＲｘ）と、スイッチ部１２（ＳＷ）と、制御部１４と、プロキシ部１５と、外部サーバ１６とを備える（図８）。異なる波長（λＡ〜λＮ）の光信号を送受信する送受信部１１（ＴＲｘ）がスイッチ部１２（ＳＷ）に接続されている。
【０２５１】
送受信部１１（ＴＲｘ）は、自律制御を行い、又は、スイッチ部１２（ＳＷ）、制御部１４、プロキシ部１５若しくは外部サーバ１６等の他の構成要素から制御され、又は、スイッチ部１２（ＳＷ）、制御部１４、プロキシ部１５若しくは外部サーバ１６等の他の構成要素を介して転送された指示で制御される。送受信部１１（ＴＲｘ）は、ＯＤＮ若しくはスイッチ部１２（ＳＷ）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一つ又はその組み合わせの処理を行う。
【０２５２】
スイッチ部１２（ＳＷ）は、プロキシ部１５に直接、又は集線ＳＷ等を介して接続される。この集線ＳＷは、複数のＯＬＴから若しくはＯＬＴへのトラフィックに集約、分配、振分、複製、折返若しくは透過の少なくとも一部を行う。スイッチ部１２（ＳＷ）は、自律制御を行い、又は、送受信部１１（ＴＲｘ）、制御部１４、プロキシ部１５若しくは外部サーバ１６等の他の構成要素から制御され、又は、送受信部１１（ＴＲｘ）、制御部１４、プロキシ部１５若しくは外部サーバ１６等の他の構成要素を介して転送された指示で制御される。スイッチ部１２（ＳＷ）は、送受信部１１（ＴＲｘ）又はプロキシ部１５のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０２５３】
制御部１４は、送受信部１１（ＴＲｘ）、スイッチ部１２（ＳＷ）、プロキシ部１５、外部サーバ１６、外部のオペレーションシステム（不図示）、コントローラ（不図示）又は外部の装置（不図示）と接続される。制御部１４は、送受信部１１（ＴＲｘ）、スイッチ部１２（ＳＷ）、プロキシ部１５若しくは外部サーバ１６等の他の構成要素を制御し、又は送受信部１１（ＴＲｘ）、スイッチ部１２（ＳＷ）、プロキシ部１５若しくは外部サーバ１６等の他の構成要素を介して指示を転送する。
【０２５４】
プロキシ部１５は、上位側の装置（不図示）に直接、又は集線ＳＷ等を介して接続される。この集線ＳＷは、複数のＯＬＴから若しくはＯＬＴへのトラフィックに集約、分配、振分、複製、折返若しくは透過の少なくとも一部を行う。プロキシ部１５は、自律制御を行い、又は、送受信部１１（ＴＲｘ）、スイッチ部１２（ＳＷ）、制御部１４若しくは外部サーバ１６等の他の構成要素から制御され、又は、送受信部１１（ＴＲｘ）、スイッチ部１２（ＳＷ）、制御部１４若しくは外部サーバ１６等の他の構成要素を介して転送された指示で制御される。プロキシ部１５は、スイッチ部１２（ＳＷ）若しくは上位側の装置（不図示）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０２５５】
外部サーバ１６は、送受信部１１（ＴＲｘ）、スイッチ部１２（ＳＷ）、制御部１４、プロキシ部１５、外部のオペレーションシステム（不図示）、コントローラ（不図示）又は外部の装置（不図示）と接続される。外部サーバ１６は、送受信部１１（ＴＲｘ）、スイッチ部１２（ＳＷ）、制御部１４若しくはプロキシ部１５等の他の構成要素を制御し、又は送受信部１１（ＴＲｘ）、スイッチ部１２（ＳＷ）、制御部１４若しくはプロキシ部１５等の他の構成要素を介して指示を転送する。
【０２５６】
送受信部１１（ＴＲｘ）、スイッチ部１２（ＳＷ）、制御部１４、プロキシ部１５若しくは外部サーバ１６は、送受信部１１（ＴＲｘ）、スイッチ部１２（ＳＷ）、プロキシ部１５若しくは外部サーバ１６等の他の構成要素のトラフィックの一部、その全て自体若しくはその複写を受けて、受けたトラフィックの一部、その全て自体、受けたトラフィックの一部、全てを書き換えたトラフィック又は受けたトラフィックに対する応答を、送受信部１１（ＴＲｘ）、スイッチ部１２（ＳＷ）、プロキシ部１５若しくは外部サーバ１６等の他の構成要素、外部のオペレーションシステム（不図示）、コントローラ（不図示）又は外部の装置（不図示）に送信してもよい。
【０２５７】
通信システム構成（５−２）の通信システムでは、通信システム構成（５−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）が、スイッチ部１２にそれぞれ接続されている。更に、異なる波長の送受信部１１の内の少なくとも一部の波長の送受信部１１がスイッチ部１２に複数接続されていてもよい。他は同様である。
【０２５８】
通信システム構成（６−１）の通信システムは、送受信部１１（ＴＲｘ）と、スイッチ部１３（ＳＷ）と、制御部１４と、プロキシ部１５と、外部サーバ１６とを備える（図８）。異なる波長（λＡ〜λＮ）の光信号を送受信する送受信部１１（ＴＲｘ）がスイッチ部１３（ＳＷ）に接続されている。
【０２５９】
送受信部１１（ＴＲｘ）は、自律制御を行い、又は、スイッチ部１３（ＳＷ）、制御部１４、プロキシ部１５若しくは外部サーバ１６等の他の構成要素から制御され、又は、スイッチ部１３（ＳＷ）、制御部１４、プロキシ部１５若しくは外部サーバ１６等の他の構成要素を介して転送された指示で制御される。送受信部１１（ＴＲｘ）は、ＯＤＮ若しくはスイッチ部１３（ＳＷ）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一つ又はその組み合わせの処理を行う。
【０２６０】
スイッチ部１３（ＳＷ）は、プロキシ部１５に直接、又は集線ＳＷ等を介して接続される。この集線ＳＷは、複数のＯＬＴから若しくはＯＬＴへのトラフィックに集約、分配、振分、複製、折返若しくは透過の少なくとも一部を行う。スイッチ部１３（ＳＷ）は、自律制御を行い、又は、送受信部１１（ＴＲｘ）、制御部１４、プロキシ部１５若しくは外部サーバ１６等の他の構成要素から制御され、又は、送受信部１１（ＴＲｘ）、制御部１４、プロキシ部１５若しくは外部サーバ１６等の他の構成要素を介して転送された指示で制御される。スイッチ部１３（ＳＷ）は、送受信部１１（ＴＲｘ）又はプロキシ部１５のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０２６１】
制御部１４は、送受信部１１（ＴＲｘ）、スイッチ部１３（ＳＷ）、プロキシ部１５若しくは外部サーバ１６又は外部のオペレーションシステム（不図示）、コントローラ（不図示）若しくは外部の装置（不図示）と接続される。制御部１４は、送受信部１１（ＴＲｘ）、スイッチ部１３（ＳＷ）、プロキシ部１５若しくは外部サーバ１６等の他の構成要素を制御し、又は送受信部１１（ＴＲｘ）、スイッチ部１３（ＳＷ）、プロキシ部１５若しくは外部サーバ１６等の他の構成要素を介して指示を転送する。
【０２６２】
プロキシ部１５は、上位側の装置（不図示）に直接、又は集線ＳＷ等を介して接続される。この集線ＳＷは、複数のＯＬＴから若しくはＯＬＴへのトラフィックに集約、分配、振分、複製、折返若しくは透過の少なくとも一部を行う。プロキシ部１５は、自律制御を行い、又は、送受信部１１（ＴＲｘ）、スイッチ部１３（ＳＷ）、制御部１４若しくは外部サーバ１６等の他の構成要素から制御され、又は、送受信部１１（ＴＲｘ）、スイッチ部１３（ＳＷ）、制御部１４若しくは外部サーバ１６等の他の構成要素を介して転送された指示で制御される。プロキシ部１５は、スイッチ部１３（ＳＷ）若しくは上位側の装置（不図示）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０２６３】
外部サーバ１６は、送受信部１１（ＴＲｘ）、スイッチ部１３（ＳＷ）、制御部１４、プロキシ部１５、外部のオペレーションシステム（不図示）、コントローラ（不図示）又は外部の装置（不図示）と接続される。外部サーバ１６は、送受信部１１（ＴＲｘ）、スイッチ部１３（ＳＷ）、制御部１４若しくはプロキシ部１５等の他の構成要素を制御し、又は送受信部１１（ＴＲｘ）、スイッチ部１３（ＳＷ）、制御部１４若しくはプロキシ部１５等の他の構成要素を介して指示を転送する。
【０２６４】
送受信部１１（ＴＲｘ）、スイッチ部１３（ＳＷ）、制御部１４、プロキシ部１５又は外部サーバ１６は、送受信部１１（ＴＲｘ）、スイッチ部１３（ＳＷ）、プロキシ部１５若しくは外部サーバ１６等の他の構成要素のトラフィックの一部、その全て自体若しくはその複写を受けて、受けたトラフィックの一部、その全て自体、受けたトラフィックの一部、全てを書き換えたトラフィック又は受けたトラフィックに対する応答を、送受信部１１（ＴＲｘ）、スイッチ部１３（ＳＷ）、プロキシ部１５若しくは外部サーバ１６等の他の構成要素、外部のオペレーションシステム（不図示）、コントローラ（不図示）又は外部の装置（不図示）に送信してもよい。
【０２６５】
通信システム構成（６−２）の通信システムでは、通信システム構成（６−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）が、スイッチ部１３（ＳＷ）にそれぞれ接続されている。更に、異なる波長の送受信部１１の内の少なくとも一部の波長の送受信部１１がスイッチ部１３に複数接続されていてもよい。他は同様である。
【０２６６】
通信システム構成（７−１）の通信システムは、送受信部１１（ＴＲｘ）と、スイッチ部１２（ＳＷ）と、スイッチ部１３（ＳＷ）と、制御部１４とを備える（図８）。異なる波長（λＡ〜λＮ）の光信号を送受信する送受信部１１（ＴＲｘ）がスイッチ部１２に接続されている。
【０２６７】
送受信部１１（ＴＲｘ）は、自律制御を行い、又は、スイッチ部１２（ＳＷ）、スイッチ部１３（ＳＷ）若しくは制御部１４等の他の構成要素から制御され、又は、スイッチ部１２（ＳＷ）、スイッチ部１３（ＳＷ）若しくは制御部１４等の他の構成要素を介して転送された指示で制御される。送受信部１１（ＴＲｘ）は、ＯＤＮ若しくはスイッチ部１２（ＳＷ）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一つ又はその組み合わせの処理を行う。
【０２６８】
スイッチ部１２（ＳＷ）は、スイッチ部１３（ＳＷ）に接続される。スイッチ部１２（ＳＷ）は、自律制御を行い、又は、送受信部１１（ＴＲｘ）、スイッチ部１３（ＳＷ）若しくは制御部１４等の他の構成要素から制御され、又は、送受信部１１（ＴＲｘ）、スイッチ部１３（ＳＷ）若しくは制御部１４等の他の構成要素を介して転送された指示で制御される。スイッチ部１２（ＳＷ）は、送受信部１１（ＴＲｘ）若しくはスイッチ部１３（ＳＷ）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０２６９】
スイッチ部１３（ＳＷ）は、上位側の装置（不図示）に直接、又は集線ＳＷ等を介して接続される。この集線ＳＷは、複数のＯＬＴから若しくはＯＬＴへのトラフィックを集約、分配、振分、複製、折返若しくは透過の少なくとも一部を行う。スイッチ部１３（ＳＷ）は、自律制御を行い、又は、送受信部１１（ＴＲｘ）、スイッチ部１２（ＳＷ）若しくは制御部１４等の他の構成要から制御され、又は、送受信部１１（ＴＲｘ）、スイッチ部１２（ＳＷ）若しくは制御部１４等の他の構成要を介して転送された指示で制御される。スイッチ部１３（ＳＷ）は、スイッチ部１２（ＳＷ）若しくは上位側の装置（不図示）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０２７０】
制御部１４は、送受信部１１（ＴＲｘ）、スイッチ部１２（ＳＷ）、スイッチ部１３（ＳＷ）、外部のオペレーションシステム（不図示）、コントローラ（不図示）又は外部の装置（不図示）と接続される。制御部１４は、送受信部１１（ＴＲｘ）、スイッチ部１２（ＳＷ）若しくはスイッチ部１３（ＳＷ）等の他の構成要素を制御し、又は送受信部１１（ＴＲｘ）、スイッチ部１２（ＳＷ）若しくはスイッチ部１３（ＳＷ）等の他の構成要素を介して指示を転送する。
【０２７１】
送受信部１１（ＴＲｘ）、スイッチ部１２（ＳＷ）、スイッチ部１３（ＳＷ）若しくは制御部１４は、送受信部１１（ＴＲｘ）、スイッチ部１２（ＳＷ）若しくはスイッチ部１３（ＳＷ）等の他の構成要素のトラフィックの一部、その全て自体若しくはその複写を受けて、受けたトラフィックの一部、その全て自体、受けたトラフィックの一部、全てを書き換えたトラフィック又は受けたトラフィックに対する応答を、送受信部１１（ＴＲｘ）、スイッチ部１２（ＳＷ）若しくはスイッチ部１３（ＳＷ）等の他の構成要素、外部のオペレーションシステム（不図示）、コントローラ（不図示）又は外部の装置（不図示）に送信してもよい。
【０２７２】
通信システム構成（７−２）の通信システムでは、通信システム構成（７−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）が、スイッチ部１２にそれぞれ接続されている。更に、異なる波長の送受信部１１の内の少なくとも一部の波長の送受信部１１がスイッチ部１２に複数接続されていてもよい。他は同様である。
【０２７３】
通信システム構成（８−１）の通信システムは、送受信部１１（ＴＲｘ）と、スイッチ部１２（ＳＷ）と、スイッチ部１３（ＳＷ）と、プロキシ部１５とを備える（図８）。異なる波長（λＡ〜λＮ）の光信号を送受信する送受信部１１（ＴＲｘ）が、スイッチ部１２に接続される。
【０２７４】
送受信部１１（ＴＲｘ）は、自律制御を行い、又は、スイッチ部１２（ＳＷ）、スイッチ部１３（ＳＷ）若しくはプロキシ部１５等の他の構成要素から制御され、又は、スイッチ部１２（ＳＷ）、スイッチ部１３（ＳＷ）若しくはプロキシ部１５等の他の構成要素を介して転送された指示で制御される。送受信部１１（ＴＲｘ）は、ＯＤＮ若しくはスイッチ部１２（ＳＷ）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一つ又はその組み合わせの処理を行う。
【０２７５】
スイッチ部１２（ＳＷ）は、スイッチ部１３（ＳＷ）に接続される。スイッチ部１２（ＳＷ）は自律制御を行い、又は、送受信部１１（ＴＲｘ）、スイッチ部１３（ＳＷ）若しくはプロキシ部１５等の他の構成要素から制御され、又は、送受信部１１（ＴＲｘ）、スイッチ部１３（ＳＷ）若しくはプロキシ部１５等の他の構成要素を介して転送された指示で制御される。スイッチ部１２（ＳＷ）は、送受信部１１（ＴＲｘ）若しくはスイッチ部１３（ＳＷ）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０２７６】
スイッチ部１３（ＳＷ）は、プロキシ部１５に直接、又は集線ＳＷ等を介して接続される。この集線ＳＷは、複数のＯＬＴから若しくはＯＬＴへのトラフィックに集約、分配、振分、複製、折返若しくは透過の少なくとも一部を行う。スイッチ部１３（ＳＷ）は、自律制御を行い、又は、送受信部１１（ＴＲｘ）、スイッチ部１２（ＳＷ）若しくはプロキシ部１５等の他の構成要素から制御され、又は、送受信部１１（ＴＲｘ）、スイッチ部１２（ＳＷ）若しくはプロキシ部１５等の他の構成要素を介して転送された指示で制御される。スイッチ部１３（ＳＷ）は、スイッチ部１２（ＳＷ）若しくはプロキシ部１５のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０２７７】
プロキシ部１５は、上位側の装置（不図示）に直接、又は集線ＳＷ等を介して接続される。この集線ＳＷは、複数のＯＬＴから若しくはＯＬＴへのトラフィックに集約、分配、振分、複製、折返若しくは透過の少なくとも一部を行う。プロキシ部１５は、自律制御を行い、又は、送受信部１１（ＴＲｘ）、スイッチ部１２（ＳＷ）若しくはスイッチ部１３（ＳＷ）等の他の構成要素から制御され、又は、送受信部１１（ＴＲｘ）、スイッチ部１２（ＳＷ）若しくはスイッチ部１３（ＳＷ）等の他の構成要素を介して転送された指示で制御される。プロキシ部１５は、スイッチ部１３（ＳＷ）若しくは上位側の装置（不図示）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０２７８】
送受信部１１（ＴＲｘ）、スイッチ部１２（ＳＷ）、スイッチ部１３（ＳＷ）若しくはプロキシ部１５は、送受信部１１（ＴＲｘ）、スイッチ部１２（ＳＷ）、スイッチ部１３（ＳＷ）若しくはプロキシ部１５等の他の構成要素のトラフィックの一部、その全て自体若しくはその複写を受けて、受けたトラフィックの一部、その全て自体、受けたトラフィックの一部、全てを書き換えたトラフィック又は受けたトラフィックに対する応答を、送受信部１１（ＴＲｘ）、スイッチ部１２（ＳＷ）、スイッチ部１３（ＳＷ）若しくはプロキシ部１５等の他の構成要素、外部のオペレーションシステム（不図示）、コントローラ（不図示）又は外部の装置（不図示）に送信してもよい。
【０２７９】
通信システム構成（８−２）の通信システムでは、通信システム構成（８−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）が、スイッチ部１２にそれぞれ接続されている。更に、異なる波長の送受信部１１の内の少なくとも一部の波長の送受信部１１がスイッチ部１２に複数接続されていてもよい。他は同様である。
【０２８０】
通信システム構成（９−１）の通信システムは、送受信部１１（ＴＲｘ）と、スイッチ部１２（ＳＷ）と、制御部１４と、プロキシ部１５とを備える（図８）。異なる波長（λＡ〜λＮ）の光信号を送受信する送受信部１１（ＴＲｘ）がスイッチ部１２に接続されている。
【０２８１】
送受信部１１（ＴＲｘ）は、自律制御を行い、又は、スイッチ部１２（ＳＷ）、制御部１４若しくはプロキシ部１５等の他の構成要素から制御され、又は、スイッチ部１２（ＳＷ）、制御部１４若しくはプロキシ部１５等の他の構成要素を介して転送された指示で制御される。送受信部１１（ＴＲｘ）は、ＯＤＮ若しくはスイッチ部１２（ＳＷ）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一つ又はその組み合わせの処理を行う。
【０２８２】
スイッチ部１２（ＳＷ）は、プロキシ部１５に直接、又は集線ＳＷ等を介して接続される。この集線ＳＷは、複数のＯＬＴから若しくはＯＬＴへのトラフィックに集約、分配、振分、複製、折返若しくは透過の少なくとも一部を行う。スイッチ部１２（ＳＷ）は、自律制御を行い、又は、送受信部１１（ＴＲｘ）、制御部１４若しくはプロキシ部１５等の他の構成要素から制御され、又は、送受信部１１（ＴＲｘ）、制御部１４若しくはプロキシ部１５等の他の構成要素を介して転送された指示で制御される。スイッチ部１２（ＳＷ）は、送受信部１１（ＴＲｘ）又はプロキシ部１５のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０２８３】
制御部１４は、送受信部１１（ＴＲｘ）、スイッチ部１２（ＳＷ）、プロキシ部１５、外部のオペレーションシステム（不図示）、コントローラ（不図示）又は外部の装置（不図示）と接続される。制御部１４は、送受信部１１（ＴＲｘ）、スイッチ部１２（ＳＷ）若しくはプロキシ部１５等の他の構成要素を制御し、又は送受信部１１（ＴＲｘ）、スイッチ部１２（ＳＷ）若しくはプロキシ部１５等の他の構成要素を介して指示を転送する。
【０２８４】
プロキシ部１５は、上位側の装置（不図示）に直接、又は集線ＳＷ等を介して接続される。この集線ＳＷは、複数のＯＬＴから若しくはＯＬＴへのトラフィックに集約、分配、振分、複製、折返若しくは透過の少なくとも一部を行う。プロキシ部１５は、自律制御を行い、又は、送受信部１１（ＴＲｘ）、スイッチ部１２（ＳＷ）若しくは制御部１４等の他の構成要から制御され、又は、送受信部１１（ＴＲｘ）、スイッチ部１２（ＳＷ）若しくは制御部１４等の他の構成要を介して転送された指示で制御される。プロキシ部１５は、スイッチ部１２（ＳＷ）若しくは上位側の装置（不図示）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０２８５】
送受信部１１（ＴＲｘ）、スイッチ部１２（ＳＷ）、制御部１４若しくはプロキシ部１５は、送受信部１１（ＴＲｘ）、スイッチ部１２（ＳＷ）若しくはプロキシ部１５等の他の構成要素のトラフィックの一部、その全て自体若しくはその複写を受けて、受けたトラフィックの一部、その全て自体、受けたトラフィックの一部、全てを書き換えたトラフィック又は受けたトラフィックに対する応答を、送受信部１１（ＴＲｘ）、スイッチ部１２（ＳＷ）若しくはプロキシ部１５等の他の構成要素、外部のオペレーションシステム（不図示）、コントローラ（不図示）又は外部の装置（不図示）に、送信してもよい。
【０２８６】
通信システム構成（９−２）の通信システムでは、通信システム構成（９−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）が、スイッチ部１２にそれぞれ接続されている。更に、異なる波長の送受信部１１の内の少なくとも一部の波長の送受信部１１がスイッチ部１２に複数接続されていてもよい。他は同様である。
【０２８７】
通信システム構成（１０−１）の通信システムは、送受信部１１（ＴＲｘ）と、スイッチ部１３（ＳＷ）と、制御部１４と、プロキシ部１５とを備える（図８）。異なる波長（λＡ〜λＮ）の光信号を送受信する送受信部１１（ＴＲｘ）がスイッチ部１３（ＳＷ）に接続されている。
【０２８８】
送受信部１１（ＴＲｘ）は、自律制御を行い、又は、スイッチ部１３（ＳＷ）、制御部１４、プロキシ部１５等の他の構成要素から制御され、又は。スイッチ部１３（ＳＷ）、制御部１４若しくはプロキシ部１５等の他の構成要素を介して転送された指示で制御される。送受信部１１（ＴＲｘ）は、ＯＤＮ若しくはスイッチ部１３（ＳＷ）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一つ又はその組み合わせの処理を行う。
【０２８９】
スイッチ部１３（ＳＷ）は、プロキシ部１５に直接、又は集線ＳＷ等を介して接続される。この集線ＳＷは、複数のＯＬＴから若しくはＯＬＴへのトラフィックに集約、分配、振分、複製、折返若しくは透過の少なくとも一部を行う。スイッチ部１３（ＳＷ）は、自律制御を行い、又は、送受信部１１（ＴＲｘ）、制御部１４若しくはプロキシ部１５等の他の構成要素から制御され、又は、送受信部１１（ＴＲｘ）、制御部１４若しくはプロキシ部１５等の他の構成要素を介して転送された指示で制御される。スイッチ部１３（ＳＷ）は、送受信部１１（ＴＲｘ）又はプロキシ部１５のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０２９０】
制御部１４は、送受信部１１（ＴＲｘ）、スイッチ部１３（ＳＷ）、プロキシ部１５若しくは外部のオペレーションシステム（不図示）、コントローラ（不図示）若しくは外部の装置（不図示）と接続される。制御部１４は、送受信部１１（ＴＲｘ）、スイッチ部１３（ＳＷ）若しくはプロキシ部１５等の他の構成要素を制御し、又は送受信部１１（ＴＲｘ）、スイッチ部１３（ＳＷ）若しくはプロキシ部１５等の他の構成要素を介して指示を転送する。
【０２９１】
プロキシ部１５は、上位側の装置（不図示）に直接、又は集線ＳＷ等を介して接続される。この集線ＳＷは、複数のＯＬＴから若しくはＯＬＴへのトラフィックに集約、分配、振分、複製、折返若しくは透過の少なくとも一部を行う。プロキシ部１５は、自律制御を行い、又は、送受信部１１（ＴＲｘ）、スイッチ部１３（ＳＷ）若しくは制御部１４等の他の構成要素から制御され、又は、送受信部１１（ＴＲｘ）、スイッチ部１３（ＳＷ）若しくは制御部１４等の他の構成要素を介して転送された指示で制御される。プロキシ部１５は、スイッチ部１３（ＳＷ）若しくは上位側の装置（不図示）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０２９２】
送受信部１１（ＴＲｘ）、スイッチ部１３（ＳＷ）、制御部１４若しくはプロキシ部１５は、送受信部１１（ＴＲｘ）、スイッチ部１３（ＳＷ）若しくはプロキシ部１５等の他の構成要素のトラフィックの一部、その全て自体若しくはその複写を受けて、受けたトラフィックの一部、その全て自体、受けたトラフィックの一部、全てを書き換えたトラフィック又は受けたトラフィックに対する応答を、送受信部１１（ＴＲｘ）、スイッチ部１３（ＳＷ）若しくはプロキシ部１５等の他の構成要素、外部のオペレーションシステム（不図示）、コントローラ（不図示）又は外部の装置（不図示）に送信してもよい。
【０２９３】
通信システム構成（１０−２）の通信システムでは、通信システム構成（１０−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）が、スイッチ部１３（ＳＷ）にそれぞれ接続されている。更に、異なる波長の送受信部１１の内の少なくとも一部の波長の送受信部１１がスイッチ部１３に複数接続されていてもよい。他は同様である。
【０２９４】
通信システム構成（１１−１）の通信システムは、送受信部１１（ＴＲｘ）と、スイッチ部１２（ＳＷ）と、スイッチ部１３（ＳＷ）と、外部サーバ１６とを備える（図８）。異なる波長（λＡ〜λＮ）の光信号を送受信する送受信部１１（ＴＲｘ）がスイッチ部１２に接続されている。
【０２９５】
送受信部１１（ＴＲｘ）は、自律制御を行い、又は、スイッチ部１２（ＳＷ）、スイッチ部１３（ＳＷ）若しくは外部サーバ１６等の他の構成要素から制御され、又は、スイッチ部１２（ＳＷ）、スイッチ部１３（ＳＷ）若しくは外部サーバ１６等の他の構成要素を介して転送された指示で制御される。送受信部１１（ＴＲｘ）は、ＯＤＮ若しくはスイッチ部１２（ＳＷ）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一つ又はその組み合わせの処理を行う。
【０２９６】
スイッチ部１２（ＳＷ）は、スイッチ部１３（ＳＷ）に接続される。スイッチ部１２（ＳＷ）は、自律制御を行い、又は、送受信部１１（ＴＲｘ）、スイッチ部１３（ＳＷ）若しくは外部サーバ１６等の他の構成要素から制御され、又は、送受信部１１（ＴＲｘ）、スイッチ部１３（ＳＷ）若しくは外部サーバ１６等の他の構成要素を介して転送された指示で制御される。スイッチ部１２（ＳＷ）は、送受信部１１（ＴＲｘ）若しくはスイッチ部１３（ＳＷ）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０２９７】
スイッチ部１３（ＳＷ）は、上位側の装置（不図示）に直接、又は集線ＳＷ等を介して接続される。この集線ＳＷは、複数のＯＬＴから若しくはＯＬＴへのトラフィックに集約、分配、振分、複製、折返若しくは透過の少なくとも一部を行う。スイッチ部１３（ＳＷ）は、自律制御を行い、又は、送受信部１１（ＴＲｘ）、スイッチ部１２（ＳＷ）若しくは外部サーバ１６等の他の構成要素から制御され、又は、送受信部１１（ＴＲｘ）、スイッチ部１２（ＳＷ）若しくは外部サーバ１６等の他の構成要素を介して転送された指示で制御される。スイッチ部１３（ＳＷ）は、スイッチ部１２（ＳＷ）若しくは上位側の装置（不図示）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０２９８】
外部サーバ１６は、送受信部１１（ＴＲｘ）、スイッチ部１２（ＳＷ）、スイッチ部１３（ＳＷ）、外部のオペレーションシステム（不図示）、コントローラ（不図示）又は外部の装置（不図示）と接続される。外部サーバ１６は、送受信部１１（ＴＲｘ）、スイッチ部１２（ＳＷ）若しくはスイッチ部１３（ＳＷ）等の他の構成要素を制御し、又は送受信部１１（ＴＲｘ）、スイッチ部１２（ＳＷ）若しくはスイッチ部１３（ＳＷ）等の他の構成要素を介して指示を転送する。
【０２９９】
送受信部１１（ＴＲｘ）、スイッチ部１２（ＳＷ）、スイッチ部１３（ＳＷ）若しくは外部サーバ１６は、送受信部１１（ＴＲｘ）、スイッチ部１２（ＳＷ）、スイッチ部１３（ＳＷ）若しくは外部サーバ１６等の他の構成要素のトラフィックの一部、その全て自体若しくはその複写を受けて、受けたトラフィックの一部、その全て自体、受けたトラフィックの一部、全てを書き換えたトラフィック又は受けたトラフィックに対する応答を、送受信部１１（ＴＲｘ）、スイッチ部１２（ＳＷ）、スイッチ部１３（ＳＷ）若しくは外部サーバ１６等の他の構成要素、外部のオペレーションシステム（不図示）、コントローラ（不図示）又は外部の装置（不図示）に送信してもよい。
【０３００】
通信システム構成（１１−２）の通信システムでは、通信システム構成（１１−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）が、スイッチ部１２にそれぞれ接続されている。更に、異なる波長の送受信部１１の内の少なくとも一部の波長の送受信部１１がスイッチ部１２に複数接続されていてもよい。他は同様である。
【０３０１】
通信システム構成（１２−１）の通信システムは、送受信部１１（ＴＲｘ）と、スイッチ部１２（ＳＷ）と、制御部１４と、外部サーバ１６とを備える（図８）。異なる波長（λＡ〜λＮ）の光信号を送受信する送受信部１１（ＴＲｘ）がスイッチ部１２に接続されている。
【０３０２】
送受信部１１（ＴＲｘ）は、自律制御を行い、又は、スイッチ部１２（ＳＷ）、制御部１４若しくは外部サーバ１６等の他の構成要素から制御され、又は、スイッチ部１２（ＳＷ）、制御部１４若しくは外部サーバ１６等の他の構成要素を介して転送された指示で制御される。送受信部１１（ＴＲｘ）は、ＯＤＮ若しくはスイッチ部１２（ＳＷ）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一つ又はその組み合わせの処理を行う。
【０３０３】
スイッチ部１２（ＳＷ）は、上位側の装置（不図示）に直接、又は集線ＳＷ等を介して接続される。この集線ＳＷは、複数のＯＬＴから若しくはＯＬＴへのトラフィックに集約、分配、振分、複製、折返若しくは透過の少なくとも一部を行う。スイッチ部１２（ＳＷ）は、自律制御を行い、又は、送受信部１１（ＴＲｘ）、制御部１４若しくは外部サーバ１６等の他の構成要素から制御され、又は、送受信部１１（ＴＲｘ）、制御部１４若しくは外部サーバ１６等の他の構成要素を介して転送された指示で制御される。スイッチ部１２（ＳＷ）は、送受信部１１（ＴＲｘ）又は上位側の装置（不図示）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０３０４】
制御部１４は、送受信部１１（ＴＲｘ）、スイッチ部１２（ＳＷ）、外部サーバ１６、外部のオペレーションシステム（不図示）、コントローラ（不図示）又は外部の装置（不図示）と接続される。制御部１４は、送受信部１１（ＴＲｘ）、スイッチ部１２（ＳＷ）若しくは外部サーバ１６等の他の構成要素を制御し、又は送受信部１１（ＴＲｘ）、スイッチ部１２（ＳＷ）若しくは外部サーバ１６等の他の構成要素を介して指示を転送する。
【０３０５】
外部サーバ１６は、送受信部１１（ＴＲｘ）又はスイッチ部１２（ＳＷ）又は制御部１４又は外部のオペレーションシステム（不図示）、コントローラ（不図示）若しくは外部の装置（不図示）と接続される。外部サーバ１６は、送受信部１１（ＴＲｘ）、スイッチ部１２（ＳＷ）若しくは制御部１４等の他の構成要を制御し、又は送受信部１１（ＴＲｘ）、スイッチ部１２（ＳＷ）若しくは制御部１４等の他の構成要を介して指示を転送する。
【０３０６】
送受信部１１（ＴＲｘ）、スイッチ部１２（ＳＷ）、制御部１４若しくは外部サーバ１６は、送受信部１１（ＴＲｘ）、スイッチ部１２（ＳＷ）若しくは外部サーバ１６等の他の構成要素のトラフィックの一部、その全て自体若しくはその複写を受けて、受けたトラフィックの一部、その全て自体、受けたトラフィックの一部、全てを書き換えたトラフィック又は受けたトラフィックに対する応答を、送受信部１１（ＴＲｘ）、スイッチ部１２（ＳＷ）若しくは外部サーバ１６等の他の構成要素、外部のオペレーションシステム（不図示）、コントローラ（不図示）又は外部の装置（不図示）に送信してもよい。
【０３０７】
通信システム構成（１２−２）の通信システムでは、通信システム構成（１２−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）が、スイッチ部１２にそれぞれ接続されている。更に、異なる波長の送受信部１１の内の少なくとも一部の波長の送受信部１１がスイッチ部１２に複数接続されていてもよい。他は同様である。
【０３０８】
通信システム構成（１３−１）の通信システムは、送受信部１１（ＴＲｘ）と、スイッチ部１３（ＳＷ）と、制御部１４と、外部サーバ１６とを備える（図８）。異なる波長（λＡ〜λＮ）の光信号を送受信する送受信部１１（ＴＲｘ）がスイッチ部１３（ＳＷ）に接続されている。
【０３０９】
送受信部１１（ＴＲｘ）は、自律制御を行い、又は、スイッチ部１３（ＳＷ）、制御部１４若しくは外部サーバ１６等の他の構成要素から制御され、又は、スイッチ部１３（ＳＷ）、制御部１４若しくは外部サーバ１６等の他の構成要素を介して転送された指示で制御される。送受信部１１（ＴＲｘ）は、ＯＤＮ若しくはスイッチ部１３（ＳＷ）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一つ又はその組み合わせの処理を行う。
【０３１０】
スイッチ部１３（ＳＷ）は、上位側の装置（不図示）に直接、又は集線ＳＷ等を介して接続される。この集線ＳＷは、複数のＯＬＴから若しくはＯＬＴへのトラフィックに集約、分配、振分、複製、折返若しくは透過の少なくとも一部を行う。スイッチ部１３（ＳＷ）は、自律制御を行い、又は、送受信部１１（ＴＲｘ）、制御部１４若しくは外部サーバ１６等の他の構成要素から制御され、又は、送受信部１１（ＴＲｘ）、制御部１４若しくは外部サーバ１６等の他の構成要素を介して転送された指示で制御される。スイッチ部１３（ＳＷ）は、送受信部１１（ＴＲｘ）若しくは上位側の装置（不図示）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０３１１】
制御部１４は、送受信部１１（ＴＲｘ）若しくはスイッチ部１３（ＳＷ）又は外部サーバ１６又は外部のオペレーションシステム（不図示）、コントローラ（不図示）若しくは外部の装置（不図示）と接続される。制御部１４は、送受信部１１（ＴＲｘ）、スイッチ部１３（ＳＷ）若しくは外部サーバ１６等の他の構成要素を制御し、又は送受信部１１（ＴＲｘ）、スイッチ部１３（ＳＷ）若しくは外部サーバ１６等の他の構成要素を介して指示を転送する。
【０３１２】
外部サーバ１６は、送受信部１１（ＴＲｘ）若しくはスイッチ部１３（ＳＷ）又は制御部１４又は外部のオペレーションシステム（不図示）、コントローラ（不図示）若しくは外部の装置（不図示）と接続される。外部サーバ１６は、送受信部１１（ＴＲｘ）、スイッチ部１３（ＳＷ）若しくは制御部１４等の他の構成要素を制御し、又は送受信部１１（ＴＲｘ）、スイッチ部１３（ＳＷ）若しくは制御部１４等の他の構成要素を介して指示を転送する。
【０３１３】
送受信部１１（ＴＲｘ）、スイッチ部１３（ＳＷ）、制御部１４若しくは外部サーバ１６は、送受信部１１（ＴＲｘ）、スイッチ部１３（ＳＷ）若しくは外部サーバ１６等の他の構成要素のトラフィックの一部、その全て自体若しくはその複写を受けて、受けたトラフィックの一部、その全て自体、受けたトラフィックの一部、全てを書き換えたトラフィック又は受けたトラフィックに対する応答を、送受信部１１（ＴＲｘ）、スイッチ部１３（ＳＷ）若しくは外部サーバ１６等の他の構成要素、外部のオペレーションシステム（不図示）、コントローラ（不図示）又は外部の装置（不図示）に送信してもよい。
【０３１４】
通信システム構成（１３−２）の通信システムでは、通信システム構成（１３−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）が、スイッチ部１３（ＳＷ）にそれぞれ接続されている。更に、異なる波長の送受信部１１の内の少なくとも一部の波長の送受信部１１がスイッチ部１３に複数接続されていてもよい。他は同様である。
【０３１５】
通信システム構成（１４−１）の通信システムは、送受信部１１（ＴＲｘ）と、スイッチ部１２（ＳＷ）と、プロキシ部１５と、外部サーバ１６とを備える（図８）。異なる波長（λＡ〜λＮ）の光信号を送受信する送受信部１１（ＴＲｘ）がスイッチ部１２に接続されている。
【０３１６】
送受信部１１（ＴＲｘ）は、自律制御を行い、又は、スイッチ部１２（ＳＷ）、プロキシ部１５若しくは外部サーバ１６等の他の構成要素から制御され、又は、スイッチ部１２（ＳＷ）、プロキシ部１５若しくは外部サーバ１６等の他の構成要素を介して転送された指示で制御される。送受信部１１（ＴＲｘ）は、ＯＤＮ若しくはスイッチ部１２（ＳＷ）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一つ又はその組み合わせの処理を行う。
【０３１７】
スイッチ部１２（ＳＷ）は、プロキシ部１５に直接、又は集線ＳＷ等を介して接続される。この集線ＳＷは、複数のＯＬＴから若しくはＯＬＴへのトラフィックに集約、分配、振分、複製、折返若しくは透過の少なくとも一部を行う。スイッチ部１２（ＳＷ）は、自律制御を行い、又は、送受信部１１（ＴＲｘ）、プロキシ部１５若しくは外部サーバ１６等の他の構成要素から制御され、又は、送受信部１１（ＴＲｘ）、プロキシ部１５若しくは外部サーバ１６等の他の構成要素を介して転送された指示で制御される。スイッチ部１２（ＳＷ）は、送受信部１１（ＴＲｘ）又はプロキシ部１５のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０３１８】
プロキシ部１５は、自律制御を行い、又は、送受信部１１（ＴＲｘ）、スイッチ部１２（ＳＷ）若しくは外部サーバ１６等の他の構成要素から制御され、又は、送受信部１１（ＴＲｘ）、スイッチ部１２（ＳＷ）若しくは外部サーバ１６等の他の構成要素を介して転送された指示で制御される。プロキシ部１５は、スイッチ部１２（ＳＷ）若しくは上位側の装置（不図示）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０３１９】
外部サーバ１６は、送受信部１１（ＴＲｘ）、スイッチ部１２（ＳＷ）、プロキシ部１５、外部のオペレーションシステム（不図示）、コントローラ（不図示）又は外部の装置（不図示）と接続される。外部サーバ１６は、送受信部１１（ＴＲｘ）、スイッチ部１２（ＳＷ）若しくはプロキシ部１５等の他の構成要素を制御し、又は送受信部１１（ＴＲｘ）、スイッチ部１２（ＳＷ）若しくはプロキシ部１５等の他の構成要素を介して指示を転送する。
【０３２０】
送受信部１１（ＴＲｘ）、スイッチ部１２（ＳＷ）、プロキシ部１５若しくは外部サーバ１６は、送受信部１１（ＴＲｘ）、スイッチ部１２（ＳＷ）、プロキシ部１５若しくは外部サーバ１６等の他の構成要素のトラフィックの一部、その全て自体若しくはその複写を受けて、受けたトラフィックの一部、その全て自体、受けたトラフィックの一部、全てを書き換えたトラフィック又は受けたトラフィックに対する応答を、送受信部１１（ＴＲｘ）、スイッチ部１２（ＳＷ）、プロキシ部１５若しくは外部サーバ１６等の他の構成要素、外部のオペレーションシステム（不図示）、コントローラ（不図示）又は外部の装置（不図示）に送信してもよい。
【０３２１】
通信システム構成（１４−２）の通信システムでは、通信システム構成（１４−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）が、スイッチ部１２にそれぞれ接続されている。更に、異なる波長の送受信部１１の内の少なくとも一部の波長の送受信部１１がスイッチ部１２に複数接続されていてもよい。他は同様である。
【０３２２】
通信システム構成（１５−１）の通信システムは、送受信部１１（ＴＲｘ）と、スイッチ部１３（ＳＷ）と、プロキシ部１５と、外部サーバ１６とを備える（図８）。異なる波長（λＡ〜λＮ）の光信号を送受信する送受信部１１（ＴＲｘ）がスイッチ部１３（ＳＷ）に接続されている。
【０３２３】
送受信部１１（ＴＲｘ）は、自律制御を行い、又は、スイッチ部１３（ＳＷ）、プロキシ部１５若しくは外部サーバ１６等の他の構成要素から制御され、又は、スイッチ部１３（ＳＷ）、プロキシ部１５若しくは外部サーバ１６等の他の構成要素を介して転送された指示で制御される。送受信部１１（ＴＲｘ）は、ＯＤＮ若しくはスイッチ部１３（ＳＷ）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一つ又はその組み合わせの処理を行う。
【０３２４】
スイッチ部１３（ＳＷ）は、プロキシ部１５に直接、又は集線ＳＷ等を介して接続される。この集線ＳＷは、複数のＯＬＴから若しくはＯＬＴへのトラフィックに集約、分配、振分、複製、折返若しくは透過の少なくとも一部を行う。スイッチ部１３（ＳＷ）は、自律制御を行い、又は、送受信部１１（ＴＲｘ）、プロキシ部１５若しくは外部サーバ１６等の他の構成要素から制御され、又は、送受信部１１（ＴＲｘ）、プロキシ部１５若しくは外部サーバ１６等の他の構成要素を介して転送された指示で制御される。スイッチ部１３（ＳＷ）は、送受信部１１（ＴＲｘ）又はプロキシ部１５のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０３２５】
プロキシ部１５は、自律制御を行い、又は、送受信部１１（ＴＲｘ）、スイッチ部１３（ＳＷ）若しくは外部サーバ１６等の他の構成要素から制御され、又は、送受信部１１（ＴＲｘ）、スイッチ部１３（ＳＷ）若しくは外部サーバ１６等の他の構成要素を介して転送された指示で制御される。プロキシ部１５は、スイッチ部１３（ＳＷ）若しくは上位側の装置（不図示）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０３２６】
外部サーバ１６は、送受信部１１（ＴＲｘ）、スイッチ部１３（ＳＷ）、プロキシ部１５若しくは外部のオペレーションシステム（不図示）、コントローラ（不図示）若しくは外部の装置（不図示）と接続される。外部サーバ１６は、送受信部１１（ＴＲｘ）、スイッチ部１３（ＳＷ）若しくはプロキシ部１５等の他の構成要素を制御し、又は送受信部１１（ＴＲｘ）、スイッチ部１３（ＳＷ）若しくはプロキシ部１５等の他の構成要素を介して指示を転送する。
【０３２７】
送受信部１１（ＴＲｘ）、スイッチ部１３（ＳＷ）、プロキシ部１５若しくは外部サーバ１６は、送受信部１１（ＴＲｘ）、スイッチ部１３（ＳＷ）、プロキシ部１５若しくは外部サーバ１６等の他の構成要素のトラフィックの一部、その全て自体若しくはその複写を受けて、受けたトラフィックの一部、その全て自体、受けたトラフィックの一部、全てを書き換えたトラフィック又は受けたトラフィックに対する応答を、送受信部１１（ＴＲｘ）、スイッチ部１３（ＳＷ）、プロキシ部１５若しくは外部サーバ１６等の他の構成要素、外部のオペレーションシステム（不図示）、コントローラ（不図示）又は外部の装置（不図示）に送信してもよい。
【０３２８】
通信システム構成（１５−２）の通信システムでは、通信システム構成（１５−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）が、スイッチ部１３（ＳＷ）にそれぞれ接続されている。更に、異なる波長の送受信部１１の内の少なくとも一部の波長の送受信部１１がスイッチ部１３に複数接続されていてもよい。他は同様である。
【０３２９】
通信システム構成（１６−１）の通信システムは、送受信部１１（ＴＲｘ）と、制御部１４と、プロキシ部１５と、外部サーバ１６とを備える（図８）。異なる波長（λＡ〜λＮ）の光信号を送受信する送受信部１１（ＴＲｘ）がプロキシ部１５に直接、又は集線ＳＷ等を介して接続されている。この集線ＳＷは、複数のＯＬＴから若しくはＯＬＴへのトラフィックに集約、分配、振分、複製、折返若しくは透過の少なくとも一部を行う。
【０３３０】
送受信部１１（ＴＲｘ）は、自律制御を行い、又は、制御部１４、プロキシ部１５若しくは外部サーバ１６等の他の構成要素から制御され、又は、制御部１４、プロキシ部１５若しくは外部サーバ１６等の他の構成要素を介して転送された指示で制御される。送受信部１１（ＴＲｘ）は、ＯＤＮ若しくはプロキシ部１５のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一つ又はその組み合わせの処理を行う。
【０３３１】
制御部１４は、送受信部１１（ＴＲｘ）、プロキシ部１５、外部サーバ１６、外部のオペレーションシステム（不図示）、コントローラ（不図示）又は外部の装置（不図示）と接続される。制御部１４は、送受信部１１（ＴＲｘ）、プロキシ部１５若しくは外部サーバ１６等の他の構成要素を制御し、又は送受信部１１（ＴＲｘ）、プロキシ部１５若しくは外部サーバ１６等の他の構成要素を介して指示を転送する。
【０３３２】
プロキシ部１５は、上位側の装置（不図示）に直接、又は集線ＳＷ等を介して接続される。この集線ＳＷは、複数のＯＬＴから若しくはＯＬＴへのトラフィックに集約、分配、振分、複製、折返若しくは透過の少なくとも一部を行う。プロキシ部１５は、自律制御を行い、又は、送受信部１１（ＴＲｘ）、制御部１４若しくは外部サーバ１６等の他の構成要素から制御され、又は、送受信部１１（ＴＲｘ）、制御部１４若しくは外部サーバ１６等の他の構成要素を介して転送された指示で制御される。プロキシ部１５は、送受信部１１（ＴＲｘ）又は上位側の装置（不図示）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０３３３】
外部サーバ１６は、送受信部１１（ＴＲｘ）、制御部１４、プロキシ部１５、外部のオペレーションシステム（不図示）、コントローラ（不図示）又は外部の装置（不図示）と接続される。外部サーバ１６は、送受信部１１（ＴＲｘ）、制御部１４若しくはプロキシ部１５等の他の構成要素を制御し、又は送受信部１１（ＴＲｘ）、制御部１４若しくはプロキシ部１５等の他の構成要素を介して指示を転送する。
【０３３４】
送受信部１１（ＴＲｘ）、制御部１４、プロキシ部１５若しくは外部サーバ１６は、送受信部１１（ＴＲｘ）、プロキシ部１５若しくは外部サーバ１６等の他の構成要素のトラフィックの一部、その全て自体若しくはその複写を受けて、受けたトラフィックの一部、その全て自体、受けたトラフィックの一部、全てを書き換えたトラフィック又は受けたトラフィックに対する応答を、送受信部１１（ＴＲｘ）、プロキシ部１５若しくは外部サーバ１６等の他の構成要素、外部のオペレーションシステム（不図示）、コントローラ（不図示）又は外部の装置（不図示）に送信してもよい。
【０３３５】
通信システム構成（１６−２）の通信システムでは、通信システム構成（１６−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）がそれぞれプロキシ部１５に直接、又は集線ＳＷ等を介して接続されている。この集線ＳＷは、複数のＯＬＴから若しくはＯＬＴへのトラフィックに集約、分配、振分、複製、折返若しくは透過の少なくとも一部を行う。更に、異なる波長の送受信部１１の内の少なくとも一部の波長の送受信部１１がプロキシ部１５に直接、又は集線ＳＷ等を介して複数接続されていてもよい。この集線ＳＷは、複数のＯＬＴから若しくはＯＬＴへのトラフィックに集約、分配、振分、複製、折返若しくは透過の少なくとも一部を行う。他は同様である。
【０３３６】
通信システム構成（１７−１）の通信システムは、送受信部１１（ＴＲｘ）と、スイッチ部１２（ＳＷ）と、スイッチ部１３（ＳＷ）とを備える（図８）。異なる波長（λＡ〜λＮ）の光信号を送受信する送受信部１１（ＴＲｘ）がスイッチ部１２に接続されている。
【０３３７】
送受信部１１（ＴＲｘ）は、自律制御を行い、又は、スイッチ部１２（ＳＷ）若しくはスイッチ部１３（ＳＷ）等の他の構成要素から制御され、又は、スイッチ部１２（ＳＷ）若しくはスイッチ部１３（ＳＷ）等の他の構成要素を介して転送された指示で制御される。送受信部１１（ＴＲｘ）は、ＯＤＮ若しくはスイッチ部１２（ＳＷ）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一つ又はその組み合わせの処理を行う。
【０３３８】
スイッチ部１２（ＳＷ）は、スイッチ部１３（ＳＷ）に接続される。スイッチ部１２（ＳＷ）は、自律制御を行い、又は、送受信部１１（ＴＲｘ）若しくはスイッチ部１３（ＳＷ）等の他の構成要素から制御され、又は、送受信部１１（ＴＲｘ）若しくはスイッチ部１３（ＳＷ）等の他の構成要素を介して転送された指示で制御される。スイッチ部１２（ＳＷ）は、送受信部１１（ＴＲｘ）若しくはスイッチ部１３（ＳＷ）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０３３９】
スイッチ部１３（ＳＷ）は、上位側の装置（不図示）に直接、又は集線ＳＷ等を介して接続される。この集線ＳＷは、複数のＯＬＴから若しくはＯＬＴへのトラフィックに集約、分配、振分、複製、折返若しくは透過の少なくとも一部を行う。スイッチ部１３（ＳＷ）は、自律制御を行い、又は、送受信部１１（ＴＲｘ）若しくはスイッチ部１２（ＳＷ）等の他の構成要素から制御され、又は、送受信部１１（ＴＲｘ）若しくはスイッチ部１２（ＳＷ）等の他の構成要素を介して転送された指示で制御される。スイッチ部１３（ＳＷ）は、スイッチ部１２（ＳＷ）又は上位側の装置（不図示）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０３４０】
送受信部１１（ＴＲｘ）、スイッチ部１２（ＳＷ）若しくはスイッチ部１３（ＳＷ）は、送受信部１１（ＴＲｘ）、スイッチ部１２（ＳＷ）若しくはスイッチ部１３（ＳＷ）等の他の構成要素のトラフィックの一部、その全て自体若しくはその複写を受けて、受けたトラフィックの一部、その全て自体、受けたトラフィックの一部、全てを書き換えたトラフィック又は受けたトラフィックに対する応答を、送受信部１１（ＴＲｘ）、スイッチ部１２（ＳＷ）若しくはスイッチ部１３（ＳＷ）等の他の構成要素、外部のオペレーションシステム（不図示）、コントローラ（不図示）又は外部の装置（不図示）に送信してもよい。
【０３４１】
通信システム構成（１７−２）の通信システムでは、通信システム構成（１７−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）が、スイッチ部１２にそれぞれ接続されている。更に、異なる波長の送受信部１１の内の少なくとも一部の波長の送受信部１１がスイッチ部１２に複数接続されていてもよい。他は同様である。
【０３４２】
通信システム構成（１８−１）の通信システムは、送受信部１１（ＴＲｘ）と、スイッチ部１２（ＳＷ）と、制御部１４とを備える（図８）。異なる波長（λＡ〜λＮ）の光信号を送受信する送受信部１１（ＴＲｘ）がスイッチ部１２に接続されている。
【０３４３】
送受信部１１（ＴＲｘ）は、自律制御を行い、又は、スイッチ部１２（ＳＷ）若しくは制御部１４等の他の構成要素から制御され、又は、スイッチ部１２（ＳＷ）若しくは制御部１４等の他の構成要素を介して転送された指示で制御される。送受信部１１（ＴＲｘ）は、ＯＤＮ若しくはスイッチ部１２（ＳＷ）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一つ又はその組み合わせの処理を行う。
【０３４４】
スイッチ部１２（ＳＷ）は、上位側の装置（不図示）に直接、又は集線ＳＷ等を介して接続される。この集線ＳＷは、複数のＯＬＴから若しくはＯＬＴへのトラフィックに集約、分配、振分、複製、折返若しくは透過の少なくとも一部を行う。スイッチ部１２（ＳＷ）は、自律制御を行い、又は、送受信部１１（ＴＲｘ）若しくは制御部１４等の他の構成要素から制御され、又は、送受信部１１（ＴＲｘ）若しくは制御部１４等の他の構成要素を介して転送された指示で制御される。スイッチ部１２（ＳＷ）は、送受信部１１（ＴＲｘ）又は上位側の装置（不図示）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０３４５】
制御部１４は、送受信部１１（ＴＲｘ）、スイッチ部１２（ＳＷ）、外部のオペレーションシステム（不図示）、コントローラ（不図示）又は外部の装置（不図示）と接続される。制御部１４は、送受信部１１（ＴＲｘ）若しくはスイッチ部１２（ＳＷ）等の他の構成要素を制御し、又は送受信部１１（ＴＲｘ）若しくはスイッチ部１２（ＳＷ）等の他の構成要素を介して指示を転送する。
【０３４６】
送受信部１１（ＴＲｘ）、スイッチ部１２（ＳＷ）若しくは制御部１４は、送受信部１１（ＴＲｘ）若しくはスイッチ部１２（ＳＷ）等の他の構成要素のトラフィックの一部又はその全て自体又はその複写を受けて、受けたトラフィックの一部、その全て自体、受けたトラフィックの一部、全てを書き換えたトラフィック又は受けたトラフィックに対する応答を、送受信部１１（ＴＲｘ）若しくはスイッチ部１２（ＳＷ）等の他の構成要素、外部のオペレーションシステム（不図示）、コントローラ（不図示）又は外部の装置（不図示）に送信してもよい。
【０３４７】
通信システム構成（１８−２）の通信システムでは、通信システム構成（１８−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）が、スイッチ部１２にそれぞれ接続されている。更に、異なる波長の送受信部１１の内の少なくとも一部の波長の送受信部１１がスイッチ部１２に複数接続されていてもよい。他は同様である。
【０３４８】
通信システム構成（１９−１）の通信システムは、送受信部１１（ＴＲｘ）と、スイッチ部１３（ＳＷ）と、制御部１４とを備える（図８）。異なる波長（λＡ〜λＮ）の光信号を送受信する送受信部１１（ＴＲｘ）がスイッチ部１３（ＳＷ）に接続されている。
【０３４９】
送受信部１１（ＴＲｘ）は、自律制御を行い、又は、スイッチ部１３（ＳＷ）若しくは制御部１４等の他の構成要素から制御され、又は、スイッチ部１３（ＳＷ）若しくは制御部１４等の他の構成要素を介して転送された指示で制御される。送受信部１１（ＴＲｘ）は、ＯＤＮ若しくはスイッチ部１３（ＳＷ）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一つ又はその組み合わせの処理を行う。
【０３５０】
スイッチ部１３（ＳＷ）は、上位側の装置（不図示）に直接、又は集線ＳＷ等を介して接続される。この集線ＳＷは、複数のＯＬＴから若しくはＯＬＴへのトラフィックに集約、分配、振分、複製、折返若しくは透過の少なくとも一部を行う。スイッチ部１３（ＳＷ）は、自律制御を行い、又は、送受信部１１（ＴＲｘ）若しくは制御部１４等の他の構成要素から制御され、又は、送受信部１１（ＴＲｘ）若しくは制御部１４等の他の構成要素を介して転送された指示で制御される。スイッチ部１３（ＳＷ）は、送受信部１１（ＴＲｘ）又は上位側の装置（不図示）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０３５１】
制御部１４は、送受信部１１（ＴＲｘ）、スイッチ部１３（ＳＷ）、外部のオペレーションシステム（不図示）、コントローラ（不図示）又は外部の装置（不図示）と接続される。制御部１４は、送受信部１１（ＴＲｘ）若しくはスイッチ部１３（ＳＷ）等の他の構成要素を制御し、又は送受信部１１（ＴＲｘ）若しくはスイッチ部１３（ＳＷ）等の他の構成要素を介して指示を転送する。
【０３５２】
送受信部１１（ＴＲｘ）、スイッチ部１３（ＳＷ）若しくは制御部１４は、送受信部１１（ＴＲｘ）若しくはスイッチ部１３（ＳＷ）等の他の構成要素のトラフィックの一部又はその全て自体又はその複写を受けて、受けたトラフィックの一部、その全て自体、受けたトラフィックの一部、全てを書き換えたトラフィック又は受けたトラフィックに対する応答を、送受信部１１（ＴＲｘ）若しくはスイッチ部１３（ＳＷ）等の他の構成要素、外部のオペレーションシステム（不図示）、コントローラ（不図示）又は外部の装置（不図示）に送信してもよい。
【０３５３】
通信システム構成（１９−２）の通信システムでは、通信システム構成（１９−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）が、スイッチ部１３（ＳＷ）にそれぞれ接続されている。更に、異なる波長の送受信部１１の内の少なくとも一部の波長の送受信部１１がスイッチ部１３に複数接続されていてもよい。他は同様である。
【０３５４】
通信システム構成（２０−１）の通信システムは、送受信部１１（ＴＲｘ）と、スイッチ部１２（ＳＷ）と、プロキシ部１５とを備える（図８）。異なる波長（λＡ〜λＮ）の光信号を送受信する送受信部１１（ＴＲｘ）がスイッチ部１２に接続されている。
【０３５５】
送受信部１１（ＴＲｘ）は、自律制御を行い、又は、スイッチ部１２（ＳＷ）若しくはプロキシ部１５等の他の構成要素から制御され、又は、スイッチ部１２（ＳＷ）若しくはプロキシ部１５等の他の構成要素を介して転送された指示で制御される。送受信部１１（ＴＲｘ）は、ＯＤＮ若しくはスイッチ部１２（ＳＷ）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一つ又はその組み合わせの処理を行う。
【０３５６】
スイッチ部１２（ＳＷ）は、プロキシ部１５に直接、又は集線ＳＷ等を介して接続される。この集線ＳＷは、複数のＯＬＴから若しくはＯＬＴへのトラフィックに集約、分配、振分、複製、折返若しくは透過の少なくとも一部を行う。スイッチ部１２（ＳＷ）は、自律制御を行い、又は、送受信部１１（ＴＲｘ）若しくはプロキシ部１５等の他の構成要素から制御され、又は、送受信部１１（ＴＲｘ）若しくはプロキシ部１５等の他の構成要素を介して転送された指示で制御される。スイッチ部１２（ＳＷ）は、送受信部１１（ＴＲｘ）又はプロキシ部１５のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０３５７】
プロキシ部１５は、上位側の装置（不図示）に直接、又は集線ＳＷ等を介して接続される。この集線ＳＷは、複数のＯＬＴから若しくはＯＬＴへのトラフィックに集約、分配、振分、複製、折返若しくは透過の少なくとも一部を行う。プロキシ部１５は、自律制御を行い、又は、送受信部１１（ＴＲｘ）若しくはスイッチ部１２（ＳＷ）等の他の構成要素から制御され、又は、送受信部１１（ＴＲｘ）若しくはスイッチ部１２（ＳＷ）等の他の構成要素を介して転送された指示で制御される。プロキシ部１５は、スイッチ部１２（ＳＷ）若しくは上位側の装置（不図示）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０３５８】
送受信部１１（ＴＲｘ）、スイッチ部１２（ＳＷ）若しくはプロキシ部１５は、送受信部１１（ＴＲｘ）、スイッチ部１２（ＳＷ）若しくはプロキシ部１５等の他の構成要素のトラフィックの一部又はその全て自体又はその複写を受けて、受けたトラフィックの一部、その全て自体、受けたトラフィックの一部、全てを書き換えたトラフィック又は受けたトラフィックに対する応答を、送受信部１１（ＴＲｘ）、スイッチ部１２（ＳＷ）若しくはプロキシ部１５等の他の構成要素、外部のオペレーションシステム（不図示）、コントローラ（不図示）又は外部の装置（不図示）に送信してもよい。
【０３５９】
通信システム構成（２０−２）の通信システムでは、通信システム構成（２０−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）が、スイッチ部１２にそれぞれ接続されている。更に、異なる波長の送受信部１１の内の少なくとも一部の波長の送受信部１１がスイッチ部１２に複数接続されていてもよい。他は同様である。
【０３６０】
通信システム構成（２１−１）の通信システムは、送受信部１１（ＴＲｘ）と、スイッチ部１３（ＳＷ）と、プロキシ部１５とを備える（図８）。異なる波長（λＡ〜λＮ）の光信号を送受信する送受信部１１（ＴＲｘ）がスイッチ部１３（ＳＷ）に接続されている。
【０３６１】
送受信部１１（ＴＲｘ）は、自律制御を行い、又は、スイッチ部１３（ＳＷ）若しくはプロキシ部１５等の他の構成要素から制御され、又は、スイッチ部１３（ＳＷ）若しくはプロキシ部１５等の他の構成要素を介して転送された指示で制御される。送受信部１１（ＴＲｘ）は、ＯＤＮ若しくはスイッチ部１３（ＳＷ）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一つ又はその組み合わせの処理を行う。
【０３６２】
スイッチ部１３（ＳＷ）は、プロキシ部１５に直接、又は集線ＳＷ等を介して接続される。この集線ＳＷは、複数のＯＬＴから若しくはＯＬＴへのトラフィックに集約、分配、振分、複製、折返若しくは透過の少なくとも一部を行う。スイッチ部１３（ＳＷ）は、自律制御を行い、又は、送受信部１１（ＴＲｘ）若しくはプロキシ部１５等の他の構成要素から制御され、又は、送受信部１１（ＴＲｘ）若しくはプロキシ部１５等の他の構成要素を介して転送された指示で制御される。スイッチ部１３（ＳＷ）は、送受信部１１（ＴＲｘ）又はプロキシ部１５のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０３６３】
プロキシ部１５は、上位側の装置（不図示）に直接、又は集線ＳＷ等を介して接続される。この集線ＳＷは、複数のＯＬＴから若しくはＯＬＴへのトラフィックに集約、分配、振分、複製、折返若しくは透過の少なくとも一部を行う。プロキシ部１５は、自律制御を行い、又は、送受信部１１（ＴＲｘ）若しくはスイッチ部１３（ＳＷ）等の他の構成要素から制御され、又は送受信部１１（ＴＲｘ）若しくはスイッチ部１３（ＳＷ）等の他の構成要素を介して転送された指示で制御される。プロキシ部１５は、スイッチ部１３（ＳＷ）若しくは上位側の装置（不図示）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０３６４】
送受信部１１（ＴＲｘ）、スイッチ部１３（ＳＷ）若しくはプロキシ部１５は、送受信部１１（ＴＲｘ）、スイッチ部１３（ＳＷ）若しくはプロキシ部１５等の他の構成要素のトラフィックの一部又はその全て自体又はその複写を受けて、受けたトラフィックの一部、その全て自体、受けたトラフィックの一部、全てを書き換えたトラフィック又は受けたトラフィックに対する応答を、送受信部１１（ＴＲｘ）、スイッチ部１３（ＳＷ）若しくはプロキシ部１５等の他の構成要素、外部のオペレーションシステム（不図示）、コントローラ（不図示）又は外部の装置（不図示）に送信してもよい。
【０３６５】
通信システム構成（２１−２）の通信システムでは、通信システム構成（２１−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）が、スイッチ部１３（ＳＷ）にそれぞれ接続されている。更に、異なる波長の送受信部１１の内の少なくとも一部の波長の送受信部１１がスイッチ部１３に複数接続されていてもよい。他は同様である。
【０３６６】
通信システム構成（２２−１）の通信システムは、送受信部１１（ＴＲｘ）と、制御部１４と、プロキシ部１５とを備える（図８）。異なる波長（λＡ〜λＮ）の光信号を送受信する送受信部１１（ＴＲｘ）がプロキシ部１５に直接、又は集線ＳＷ等を介して接続されている。この集線ＳＷは、複数のＯＬＴから若しくはＯＬＴへのトラフィックに集約、分配、振分、複製、折返若しくは透過の少なくとも一部を行う。
【０３６７】
送受信部１１（ＴＲｘ）は、自律制御を行い、又は、制御部１４若しくはプロキシ部１５等の他の構成要素から制御され、又は、制御部１４若しくはプロキシ部１５等の他の構成要素を介して転送された指示で制御される。送受信部１１（ＴＲｘ）は、ＯＤＮ若しくはプロキシ部１５のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一つ又はその組み合わせの処理を行う。
【０３６８】
制御部１４は、送受信部１１（ＴＲｘ）、プロキシ部１５、外部のオペレーションシステム（不図示）、コントローラ（不図示）又は外部の装置（不図示）と接続される。制御部１４は、送受信部１１（ＴＲｘ）若しくはプロキシ部１５等の他の構成要素を制御し、又は送受信部１１（ＴＲｘ）若しくはプロキシ部１５等の他の構成要素を介して指示を転送する。
【０３６９】
プロキシ部１５は、上位側の装置（不図示）に直接、又は集線ＳＷ等を介して接続される。この集線ＳＷは、複数のＯＬＴから若しくはＯＬＴへのトラフィックに集約、分配、振分、複製、折返若しくは透過の少なくとも一部を行う。プロキシ部１５は、自律制御を行い、又は、送受信部１１（ＴＲｘ）若しくは制御部１４等の他の構成要素から制御され、又は送受信部１１（ＴＲｘ）若しくは制御部１４等の他の構成要素を介して転送された指示で制御される。プロキシ部１５は、送受信部１１（ＴＲｘ）又は上位側の装置（不図示）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０３７０】
送受信部１１（ＴＲｘ）、制御部１４若しくはプロキシ部１５は、送受信部１１（ＴＲｘ）若しくはプロキシ部１５等の他の構成要素のトラフィックの一部又はその全て自体又はその複写を受けて、受けたトラフィックの一部、その全て自体、受けたトラフィックの一部、全てを書き換えたトラフィック又は受けたトラフィックに対する応答を、送受信部１１（ＴＲｘ）及びプロキシ部１５等の他の構成要素、外部のオペレーションシステム（不図示）、コントローラ（不図示）又は外部の装置（不図示）に送信してもよい。
【０３７１】
通信システム構成（２２−２）の通信システムでは、通信システム構成（２２−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）がプロキシ部１５に直接、又は集線ＳＷ等を介してそれぞれ接続されている。この集線ＳＷは、複数のＯＬＴから若しくはＯＬＴへのトラフィックに集約、分配、振分、複製、折返若しくは透過の少なくとも一部を行う。更に、異なる波長の送受信部１１の内の少なくとも一部の波長の送受信部１１がプロキシ部１５に直接、又は集線ＳＷ等を介して複数接続されていてもよい。この集線ＳＷは、複数のＯＬＴから若しくはＯＬＴへのトラフィックに集約、分配、振分、複製、折返若しくは透過の少なくとも一部を行う。他は同様である。
【０３７２】
通信システム構成（２３−１）の通信システムは、送受信部１１（ＴＲｘ）と、スイッチ部１２（ＳＷ）と、外部サーバ１６とを備える（図８）。異なる波長（λＡ〜λＮ）の光信号を送受信する送受信部１１（ＴＲｘ）がスイッチ部１２に接続されている。
【０３７３】
送受信部１１（ＴＲｘ）は、自律制御を行い、又は、スイッチ部１２（ＳＷ）若しくは外部サーバ１６等の他の構成要素から制御され、又は、スイッチ部１２（ＳＷ）若しくは外部サーバ１６等の他の構成要素を介して転送された指示で制御される。送受信部１１（ＴＲｘ）は、ＯＤＮ若しくはスイッチ部１２（ＳＷ）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一つ又はその組み合わせの処理を行う。
【０３７４】
スイッチ部１２（ＳＷ）は、上位側の装置（不図示）に直接、又は集線ＳＷ等を介して接続される。この集線ＳＷは、複数のＯＬＴから若しくはＯＬＴへのトラフィックに集約、分配、振分、複製、折返若しくは透過の少なくとも一部を行う。スイッチ部１２（ＳＷ）は、自律制御を行い、又は、送受信部１１（ＴＲｘ）若しくは外部サーバ１６等の他の構成要素から制御され、又は、送受信部１１（ＴＲｘ）若しくは外部サーバ１６等の他の構成要素を介して転送された指示で制御される。スイッチ部１２（ＳＷ）は、送受信部１１（ＴＲｘ）又は上位側の装置（不図示）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０３７５】
外部サーバ１６は、送受信部１１（ＴＲｘ）、スイッチ部１２（ＳＷ）、外部のオペレーションシステム（不図示）、コントローラ（不図示）又は外部の装置（不図示）と接続される。外部サーバ１６は、送受信部１１（ＴＲｘ）若しくはスイッチ部１２（ＳＷ）等の他の構成要素を制御し、又は送受信部１１（ＴＲｘ）若しくはスイッチ部１２（ＳＷ）等の他の構成要素を介して指示を転送する。
【０３７６】
送受信部１１（ＴＲｘ）、スイッチ部１２（ＳＷ）若しくは外部サーバ１６は、送受信部１１（ＴＲｘ）、スイッチ部１２（ＳＷ）若しくは外部サーバ１６等の他の構成要素のトラフィックの一部又はその全て自体又はその複写を受けて、受けたトラフィックの一部、その全て自体、受けたトラフィックの一部、全てを書き換えたトラフィック又は受けたトラフィックに対する応答を、送受信部１１（ＴＲｘ）、スイッチ部１２（ＳＷ）若しくは外部サーバ１６等の他の構成要素、外部のオペレーションシステム（不図示）、コントローラ（不図示）又は外部の装置（不図示）に送信してもよい。
【０３７７】
通信システム構成（２３−２）の通信システムでは、通信システム構成（２３−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）が、スイッチ部１２にそれぞれ接続されている。更に、異なる波長の送受信部１１の内の少なくとも一部の波長の送受信部１１がスイッチ部１２に複数接続されていてもよい。他は同様である。
【０３７８】
通信システム構成（２４−１）の通信システムは、送受信部１１（ＴＲｘ）と、スイッチ部１３（ＳＷ）と、外部サーバ１６とを備える（図８）。異なる波長（λＡ〜λＮ）の光信号を送受信する送受信部１１（ＴＲｘ）がスイッチ部１３（ＳＷ）に接続されている。
【０３７９】
送受信部１１（ＴＲｘ）は、自律制御を行い、又は、スイッチ部１３（ＳＷ）若しくは外部サーバ１６等の他の構成要素から制御され、又は、スイッチ部１３（ＳＷ）若しくは外部サーバ１６等の他の構成要素を介して転送された指示で制御される。送受信部１１（ＴＲｘ）は、ＯＤＮ若しくはスイッチ部１３（ＳＷ）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一つ又はその組み合わせの処理を行う。
【０３８０】
スイッチ部１３（ＳＷ）は、上位側の装置（不図示）に直接、又は集線ＳＷ等を介して接続される。この集線ＳＷは、複数のＯＬＴから若しくはＯＬＴへのトラフィックに集約、分配、振分、複製、折返若しくは透過の少なくとも一部を行う。スイッチ部１３（ＳＷ）は、自律制御を行い、又は、送受信部１１（ＴＲｘ）若しくは外部サーバ１６等の他の構成要素から制御され、又は、送受信部１１（ＴＲｘ）若しくは外部サーバ１６等の他の構成要素を介して転送された指示で制御される。スイッチ部１３（ＳＷ）は、送受信部１１（ＴＲｘ）若しくは上位側の装置（不図示）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０３８１】
外部サーバ１６は、送受信部１１（ＴＲｘ）、スイッチ部１３（ＳＷ）、外部のオペレーションシステム（不図示）、コントローラ（不図示）又は外部の装置（不図示）と接続される。外部サーバ１６は、送受信部１１（ＴＲｘ）若しくはスイッチ部１３（ＳＷ）等の他の構成要素を制御し、又は送受信部１１（ＴＲｘ）若しくはスイッチ部１３（ＳＷ）等の他の構成要素を介して指示を転送する。
【０３８２】
送受信部１１（ＴＲｘ）、スイッチ部１３（ＳＷ）若しくは外部サーバ１６は、送受信部１１（ＴＲｘ）、スイッチ部１３（ＳＷ）若しくは外部サーバ１６等の他の構成要素のトラフィックの一部若しくはその全て自体又はその複写を受けて、受けたトラフィックの一部、その全て自体、受けたトラフィックの一部、全てを書き換えたトラフィック又は受けたトラフィックに対する応答を、送受信部１１（ＴＲｘ）、スイッチ部１３（ＳＷ）若しくは外部サーバ１６等の他の構成要素、外部のオペレーションシステム（不図示）、コントローラ（不図示）又は外部の装置（不図示）に送信してもよい。
【０３８３】
通信システム構成（２４−２）の通信システムでは、通信システム構成（２４−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）が、スイッチ部１３（ＳＷ）にそれぞれ接続されている。更に、異なる波長の送受信部１１の内の少なくとも一部の波長の送受信部１１がスイッチ部１３に複数接続されていてもよい。他は同様である。
【０３８４】
通信システム構成（２５−１）の通信システムは、送受信部１１（ＴＲｘ）と、制御部１４と、外部サーバ１６とを備える（図８）。異なる波長（λＡ〜λＮ）の光信号を送受信する送受信部１１（ＴＲｘ）が上位側の装置（不図示）に直接、又は集線ＳＷ等を介して接続されている。この集線ＳＷは、複数のＯＬＴから若しくはＯＬＴへのトラフィックに集約、分配、振分、複製、折返若しくは透過の少なくとも一部を行う。
【０３８５】
送受信部１１（ＴＲｘ）は、自律制御を行い、又は、制御部１４若しくは外部サーバ１６等の他の構成要素から制御され、又は、制御部１４若しくは外部サーバ１６等の他の構成要素を介して転送された指示で制御される。送受信部１１（ＴＲｘ）は、ＯＤＮ若しくは上位側の装置（不図示）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一つ又はその組み合わせの処理を行う。
【０３８６】
制御部１４は、送受信部１１（ＴＲｘ）、外部サーバ１６、外部のオペレーションシステム（不図示）、コントローラ（不図示）又は外部の装置（不図示）と接続される。制御部１４は、送受信部１１（ＴＲｘ）若しくは外部サーバ１６等の他の構成要素を制御し、又は送受信部１１（ＴＲｘ）若しくは外部サーバ１６等の他の構成要素を介して指示を転送する。
【０３８７】
外部サーバ１６は、送受信部１１（ＴＲｘ）、制御部１４、外部のオペレーションシステム（不図示）、コントローラ（不図示）又は外部の装置（不図示）と接続される。外部サーバ１６は、送受信部１１（ＴＲｘ）若しくは制御部１４等の他の構成要素を制御し、又は送受信部１１（ＴＲｘ）若しくは制御部１４等の他の構成要素を介して指示を転送する。
送受信部１１（ＴＲｘ）、制御部１４若しくは外部サーバ１６は、送受信部１１（ＴＲｘ）若しくは外部サーバ１６等の他の構成要素のトラフィックの一部若しくはその全て自体又はその複写を受けて、受けたトラフィックの一部、その全て自体、受けたトラフィックの一部、全てを書き換えたトラフィック又は受けたトラフィックに対する応答を、送受信部１１（ＴＲｘ）若しくは外部サーバ１６等の他の構成要素、外部のオペレーションシステム（不図示）、コントローラ（不図示）又は外部の装置（不図示）に送信してもよい。
【０３８８】
通信システム構成（２５−２）の通信システムでは、通信システム構成（２５−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）が上位側の装置（不図示）に直接、又は集線ＳＷ等を介してそれぞれ接続されている。この集線ＳＷは、複数のＯＬＴから若しくはＯＬＴへのトラフィックに集約、分配、振分、複製、折返若しくは透過の少なくとも一部を行う。更に、異なる波長の送受信部１１の内の少なくとも一部の波長の送受信部１１が上位側の装置（不図示）に直接、又は集線ＳＷ等を介して複数接続されていてもよい。この集線ＳＷは、複数のＯＬＴから若しくはＯＬＴへのトラフィックに集約、分配、振分、複製、折返若しくは透過の少なくとも一部を行う。他は同様である。
【０３８９】
通信システム構成（２６−１）の通信システムは、送受信部１１（ＴＲｘ）と、プロキシ部１５と、外部サーバ１６とを備える（図８）。異なる波長（λＡ〜λＮ）の光信号を送受信する送受信部１１（ＴＲｘ）がプロキシ部１５に直接、又は集線ＳＷ等を介して接続されている。この集線ＳＷは、複数のＯＬＴから若しくはＯＬＴへのトラフィックに集約、分配、振分、複製、折返若しくは透過の少なくとも一部を行う。
【０３９０】
送受信部１１（ＴＲｘ）は、自律制御を行い、又は、プロキシ部１５若しくは外部サーバ１６等の他の構成要素から制御され、又は、プロキシ部１５若しくは外部サーバ１６等の他の構成要素を介して転送された指示で制御される。送受信部１１（ＴＲｘ）は、ＯＤＮ若しくはプロキシ部１５のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一つ又はその組み合わせの処理を行う。
【０３９１】
プロキシ部１５は、自律制御を行い、又は、送受信部１１（ＴＲｘ）若しくは外部サーバ１６等の他の構成要素から制御され、又は、送受信部１１（ＴＲｘ）若しくは外部サーバ１６等の他の構成要素を介して転送された指示で制御される。プロキシ部１５は、送受信部１１（ＴＲｘ）若しくは上位側の装置（不図示）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０３９２】
外部サーバ１６は、送受信部１１（ＴＲｘ）、プロキシ部１５、外部のオペレーションシステム（不図示）、コントローラ（不図示）又は外部の装置（不図示）と接続される。外部サーバ１６は、送受信部１１（ＴＲｘ）若しくはプロキシ部１５等の他の構成要素を制御し、又は送受信部１１（ＴＲｘ）若しくはプロキシ部１５等の他の構成要素を介して指示を転送する。
【０３９３】
送受信部１１（ＴＲｘ）、プロキシ部１５若しくは外部サーバ１６は、送受信部１１（ＴＲｘ）、プロキシ部１５若しくは外部サーバ１６等の他の構成要素のトラフィックの一部若しくはその全て自体又はその複写を受けて、受けたトラフィックの一部、その全て自体、受けたトラフィックの一部、全てを書き換えたトラフィック又は受けたトラフィックに対する応答を、送受信部１１（ＴＲｘ）、プロキシ部１５若しくは外部サーバ１６等の他の構成要素、外部のオペレーションシステム（不図示）、コントローラ（不図示）又は外部の装置（不図示）に送信してもよい。
【０３９４】
通信システム構成（２６−２）の通信システムでは、通信システム構成（２６−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）がプロキシ部１５に直接、又は集線ＳＷ等を介してそれぞれ接続されている。この集線ＳＷは、複数のＯＬＴから若しくはＯＬＴへのトラフィックに集約、分配、振分、複製、折返若しくは透過の少なくとも一部を行う。更に、異なる波長の送受信部１１の内の少なくとも一部の波長の送受信部１１がプロキシ部１５に直接、又は集線ＳＷ等を介して複数接続されていてもよい。この集線ＳＷは、複数のＯＬＴから若しくはＯＬＴへのトラフィックに集約、分配、振分、複製、折返若しくは透過の少なくとも一部を行う。他は同様である。
【０３９５】
通信システム構成（２７−１）の通信システムは、送受信部１１（ＴＲｘ）と、スイッチ部１２（ＳＷ）とを備える（図８）。異なる波長（λＡ〜λＮ）の光信号を送受信する送受信部１１（ＴＲｘ）がスイッチ部１２に接続されている。
【０３９６】
送受信部１１（ＴＲｘ）は、自律制御を行い、又は、スイッチ部１２（ＳＷ）等の他の構成要素から制御され、又は、スイッチ部１２（ＳＷ）等の他の構成要素を介して転送された指示で制御される。送受信部１１（ＴＲｘ）は、ＯＤＮ若しくはスイッチ部１２（ＳＷ）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一つ又はその組み合わせの処理を行う。
【０３９７】
スイッチ部１２（ＳＷ）は、上位側の装置（不図示）に直接、又は集線ＳＷ等を介して接続される。この集線ＳＷは、複数のＯＬＴから若しくはＯＬＴへのトラフィックに集約、分配、振分、複製、折返若しくは透過の少なくとも一部を行う。スイッチ部１２（ＳＷ）は、自律制御を行い、又は、送受信部１１（ＴＲｘ）等の他の構成要素から制御され、又は、送受信部１１（ＴＲｘ）等の他の構成要素を介して転送された指示で制御される。スイッチ部１２（ＳＷ）は、送受信部１１（ＴＲｘ）又は上位側の装置（不図示）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０３９８】
送受信部１１（ＴＲｘ）又はスイッチ部１２（ＳＷ）は、送受信部１１（ＴＲｘ）若しくはスイッチ部１２（ＳＷ）等の他の構成要素のトラフィックの一部若しくはその全て自体又はその複写を受けて、受けたトラフィックの一部、その全て自体、受けたトラフィックの一部、全てを書き換えたトラフィック又は受けたトラフィックに対する応答を、送受信部１１（ＴＲｘ）若しくはスイッチ部１２（ＳＷ）等の他の構成要素、外部のオペレーションシステム（不図示）、コントローラ（不図示）又は外部の装置（不図示）に送信してもよい。
【０３９９】
通信システム構成（２７−２）の通信システムでは、通信システム構成（２７−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）が、スイッチ部１２にそれぞれ接続されている。更に、異なる波長の送受信部１１の内の少なくとも一部の波長の送受信部１１がスイッチ部１２に複数接続されていてもよい。他は同様である。
【０４００】
通信システム構成（２８−１）の通信システムは、送受信部１１（ＴＲｘ）と、スイッチ部１３（ＳＷ）とを備える（図８）。異なる波長（λＡ〜λＮ）の光信号を送受信する送受信部１１（ＴＲｘ）がスイッチ部１３（ＳＷ）に接続されている。
【０４０１】
送受信部１１（ＴＲｘ）は、自律制御を行い、又は、スイッチ部１３（ＳＷ）等の他の構成要素から制御され、又は、スイッチ部１３（ＳＷ）等の他の構成要素を介して転送された指示で制御される。送受信部１１（ＴＲｘ）は、ＯＤＮ若しくはスイッチ部１３（ＳＷ）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一つ又はその組み合わせの処理を行う。
【０４０２】
スイッチ部１３（ＳＷ）は、上位側の装置（不図示）に直接、又は集線ＳＷ等を介して接続される。この集線ＳＷは、複数のＯＬＴから若しくはＯＬＴへのトラフィックに集約、分配、振分、複製、折返若しくは透過の少なくとも一部を行う。スイッチ部１３（ＳＷ）は、自律制御を行い、又は、送受信部１１（ＴＲｘ）等の他の構成要素から制御され、又は、送受信部１１（ＴＲｘ）等の他の構成要素を介して転送された指示で制御される。スイッチ部１３（ＳＷ）は、送受信部１１（ＴＲｘ）又は上位側の装置（不図示）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０４０３】
送受信部１１（ＴＲｘ）又はスイッチ部１３（ＳＷ）は、送受信部１１（ＴＲｘ）若しくはスイッチ部１３（ＳＷ）等の他の構成要素のトラフィックの一部又はその全て自体又はその複写を受けて、受けたトラフィックの一部、その全て自体、受けたトラフィックの一部、全てを書き換えたトラフィック又は受けたトラフィックに対する応答を、送受信部１１（ＴＲｘ）若しくはスイッチ部１３（ＳＷ）等の他の構成要素、外部のオペレーションシステム（不図示）、コントローラ（不図示）又は外部の装置（不図示）に送信してもよい。
【０４０４】
通信システム構成（２８−２）の通信システムでは、通信システム構成（２８−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）が、スイッチ部１３（ＳＷ）にそれぞれ接続されている。更に、異なる波長の送受信部１１の内の少なくとも一部の波長の送受信部１１がスイッチ部１３に複数接続されていてもよい。他は同様である。
【０４０５】
通信システム構成（２９−１）の通信システムは、送受信部１１（ＴＲｘ）と、制御部１４とを備える（図８）。異なる波長（λＡ〜λＮ）の光信号を送受信する送受信部１１（ＴＲｘ）が上位側の装置（不図示）に直接、又は集線ＳＷ等を介して接続されている。この集線ＳＷは、複数のＯＬＴから若しくはＯＬＴへのトラフィックに集約、分配、振分、複製、折返若しくは透過の少なくとも一部を行う。
【０４０６】
送受信部１１（ＴＲｘ）は、自律制御を行い、又は、制御部１４等の他の構成要素から制御され、又は、制御部１４等の他の構成要素を介して転送された指示で制御される。送受信部１１（ＴＲｘ）は、ＯＤＮ若しくは上位側の装置（不図示）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一つ又はその組み合わせの処理を行う。
【０４０７】
制御部１４は、送受信部１１（ＴＲｘ）、外部のオペレーションシステム（不図示）、コントローラ（不図示）又は外部の装置（不図示）と接続される。制御部１４は、送受信部１１（ＴＲｘ）等の他の構成要素を制御し、又は送受信部１１（ＴＲｘ）等の他の構成要素を介して指示を転送する。
【０４０８】
送受信部１１（ＴＲｘ）又は制御部１４は、送受信部１１（ＴＲｘ）の他の構成要素のトラフィックの一部若しくはその全て自体又はその複写を受けて、受けたトラフィックの一部、その全て自体、受けたトラフィックの一部、全てを書き換えたトラフィック又は受けたトラフィックに対する応答を、送受信部１１（ＴＲｘ）等の他の構成要素、外部のオペレーションシステム（不図示）、コントローラ（不図示）又は外部の装置（不図示）に送信してもよい。
【０４０９】
通信システム構成（２９−２）の通信システムでは、通信システム構成（２９−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）が上位側の装置（不図示）に直接、又は集線ＳＷ等を介してそれぞれ接続されている。この集線ＳＷは、複数のＯＬＴから若しくはＯＬＴへのトラフィックに集約、分配、振分、複製、折返若しくは透過の少なくとも一部を行う。更に、異なる波長の送受信部１１の内の少なくとも一部の波長の送受信部１１が上位側の装置（不図示）に直接、又は集線ＳＷ等を介して複数接続されていてもよい。この集線ＳＷは、複数のＯＬＴから若しくはＯＬＴへのトラフィックに集約、分配、振分、複製、折返若しくは透過の少なくとも一部を行う。他は同様である。
【０４１０】
通信システム構成（３０−１）の通信システムは、送受信部１１（ＴＲｘ）と、プロキシ部１５とを備える（図８）。異なる波長（λＡ〜λＮ）の光信号を送受信する送受信部１１（ＴＲｘ）がプロキシ部１５に直接、又は集線ＳＷ等を介して接続されている。この集線ＳＷは、複数のＯＬＴから若しくはＯＬＴへのトラフィックに集約、分配、振分、複製、折返若しくは透過の少なくとも一部を行う。
【０４１１】
送受信部１１（ＴＲｘ）は、自律制御を行い、又は、プロキシ部１５等の他の構成要素から制御され、又はプロキシ部１５等の他の構成要素を介して転送された指示で制御される。送受信部１１（ＴＲｘ）は、ＯＤＮ若しくはプロキシ部１５のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一つ又はその組み合わせの処理を行う。
【０４１２】
プロキシ部１５は、自律制御を行い、又は、送受信部１１（ＴＲｘ）等の他の構成要素から制御され、又は、送受信部１１（ＴＲｘ）等の他の構成要素を介して転送された指示で制御される。プロキシ部１５は、送受信部１１（ＴＲｘ）若しくは上位側の装置（不図示）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０４１３】
送受信部１１（ＴＲｘ）やプロキシ部１５は、送受信部１１（ＴＲｘ）若しくはプロキシ部１５等の他の構成要素のトラフィックの一部若しくはその全て自体又はその複写を受けて、受けたトラフィックの一部、その全て自体、受けたトラフィックの一部、全てを書き換えたトラフィック又は受けたトラフィックに対する応答を、送受信部１１（ＴＲｘ）若しくはプロキシ部１５等の他の構成要素、外部のオペレーションシステム（不図示）、コントローラ（不図示）又は外部の装置（不図示）に送信してもよい。
【０４１４】
通信システム構成（３０−２）の通信システムでは、通信システム構成（３０−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）がプロキシ部１５に直接、又は集線ＳＷ等を介してそれぞれ接続されている。この集線ＳＷは、複数のＯＬＴから若しくはＯＬＴへのトラフィックに集約、分配、振分、複製、折返若しくは透過の少なくとも一部を行う。更に、異なる波長の送受信部１１の内の少なくとも一部の波長の送受信部１１がプロキシ部１５に直接、又は集線ＳＷ等を介して複数接続されていてもよい。この集線ＳＷは、複数のＯＬＴから若しくはＯＬＴへのトラフィックに集約、分配、振分、複製、折返若しくは透過の少なくとも一部を行う。他は同様である。
【０４１５】
通信システム構成（３１−１）の通信システムは、送受信部１１（ＴＲｘ）と、外部サーバ１６とを備える（図８）。異なる波長（λＡ〜λＮ）の光信号を送受信する送受信部１１（ＴＲｘ）が上位側の装置（不図示）に直接、又は集線ＳＷ等を介して接続されている。この集線ＳＷは、複数のＯＬＴから若しくはＯＬＴへのトラフィックに集約、分配、振分、複製、折返若しくは透過の少なくとも一部を行う。
【０４１６】
送受信部１１（ＴＲｘ）は、自律制御を行い、又は、外部サーバ１６等の他の構成要素から制御され、又は、外部サーバ１６等の他の構成要素を介して転送された指示で制御される。送受信部１１（ＴＲｘ）は、ＯＤＮ若しくは上位側の装置（不図示）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一つ又はその組み合わせの処理を行う。
【０４１７】
外部サーバ１６は、送受信部１１（ＴＲｘ）、外部のオペレーションシステム（不図示）、コントローラ（不図示）又は外部の装置（不図示）と接続される。外部サーバ１６は、送受信部１１（ＴＲｘ）等の他の構成要素を制御し、又は送受信部１１（ＴＲｘ）の他の構成要素を介して指示を転送する。
【０４１８】
送受信部１１（ＴＲｘ）又は外部サーバ１６は、送受信部１１（ＴＲｘ）若しくは外部サーバ１６等の他の構成要素のトラフィックの一部若しくはその全て自体又はその複写を受けて、受けたトラフィックの一部、その全て自体、受けたトラフィックの一部、全てを書き換えたトラフィック又は受けたトラフィックに対する応答を、送受信部１１（ＴＲｘ）若しくは外部サーバ１６等の他の構成要素、外部のオペレーションシステム（不図示）、コントローラ（不図示）又は外部の装置（不図示）に送信してもよい。
【０４１９】
通信システム構成（３１−２）の通信システムでは、通信システム構成（３１−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）が上位側の装置（不図示）に直接、又は集線ＳＷ等を介してそれぞれ接続されている。この集線ＳＷは、複数のＯＬＴから若しくはＯＬＴへのトラフィックに集約、分配、振分、複製、折返若しくは透過の少なくとも一部を行う。更に、異なる波長の送受信部１１の内の少なくとも一部の波長の送受信部１１が上位側の装置（不図示）に直接、又は集線ＳＷ等を介して複数接続されていてもよい。この集線ＳＷは、複数のＯＬＴから若しくはＯＬＴへのトラフィックに集約、分配、振分、複製、折返若しくは透過の少なくとも一部を行う。他は同様である。
【０４２０】
通信システム構成（３２−１）の通信システムは、送受信部１１（ＴＲｘ）を備える（図８）。異なる波長（λＡ〜λＮ）の光信号を送受信する送受信部１１（ＴＲｘ）が、上位側の装置（不図示）に直接、又は集線ＳＷ等を介して接続されている。この集線ＳＷは、複数のＯＬＴから若しくはＯＬＴへのトラフィックに集約、分配、振分、複製、折返若しくは透過の少なくとも一部を行う。
【０４２１】
送受信部１１（ＴＲｘ）は、自律制御を行い、又は、他の構成要素から制御され、又は、他の構成要素を介して転送された指示で制御される。送受信部１１（ＴＲｘ）は、ＯＤＮ若しくは上位側の装置（不図示）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一つ又はその組み合わせの処理を行う。
【０４２２】
送受信部１１（ＴＲｘ）は、送受信部１１（ＴＲｘ）等の構成要素のトラフィックの一部若しくはその全て自体又はその複写を受けて、受けたトラフィックの一部、その全て自体、受けたトラフィックの一部、全てを書き換えたトラフィック又は受けたトラフィックに対する応答を、送受信部１１（ＴＲｘ）等の構成要素の内部、外部のオペレーションシステム（不図示）、コントローラ（不図示）又は外部の装置（不図示）に送信してもよい。
【０４２３】
通信システム構成（３２−２）の通信システムでは、通信システム構成（３２−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）が上位側の装置（不図示）に直接、又は集線ＳＷ等を介してそれぞれ接続されている。この集線ＳＷは、複数のＯＬＴから若しくはＯＬＴへのトラフィックに集約、分配、振分、複製、折返若しくは透過の少なくとも一部を行う。更に、異なる波長の送受信部１１の内の少なくとも一部の波長の送受信部１１が上位側の装置（不図示）に直接、又は集線ＳＷ等を介して複数接続されていてもよい。この集線ＳＷは、複数のＯＬＴから若しくはＯＬＴへのトラフィックに集約、分配、振分、複製、折返若しくは透過の少なくとも一部を行う。他は同様である。
【０４２４】
以下、ＦＡＳＡアプリケーション自体又はＦＡＳＡアプリケーションとしてインストールするソフトウェアを指示部、ＦＡＳＡプラットフォーム自体又はＦＡＳＡプラットフォームにインストールするソフトウェアを実行部として説明する。
【０４２５】
以下では、図１又は図２に示されている応答部４は、指示部或いは実行部の少なくとも一方としてＯＬＴ２に備えられていてもよい。実行部が、割振部５及び応答部４を備えてもよい。指示部が、割振部５及び応答部４を備えてもよい。応答部４は実行部及び指示部の両方に備えられ、割振部５は実行部及び指示部の外に備えられてもよい。
【０４２６】
（第１の構成例）
ＯＬＴが送受信部１１を備え、実行部と指示部とを分離して機能配備する例について説明する。この場合、ＯＬＴは、送受信部１１に実行部を備える。ＯＬＴは、送受信部１１の情報処理部や、ＣＰＵ（Ｃｅｎｔｒａｌ  Ｐｒｏｃｅｓｓｉｎｇ  Ｕｎｉｔ）等の演算処理可能な箇所に、指示部を備える。実行部が指示部よりＰＯＮ側に配置されることが応答速度の観点から好ましいが、逆でもよく、同位置の別装置上でもよく、同一装置上の別ＶＭ上でもよい。
【０４２７】
実行部と指示部の入出力は、内部配線、バックボード、ＯＡＭ部１１４、主信号線、専用の配線、オペレーションシステム、コントローラ又は制御盤（ＣＯＮＴ盤）等の経路のいずれでよい。やりとりを指示部で直接終端して入力する場合、ＯＡＭ部１１４又は主信号にカプセル化してもよい。やりとりをいずれかの箇所で終端して、内部配線、バックボード、ＯＡＭ部１１４、主信号線、専用の配線、オペレーションシステム、コントローラ又は制御盤等の経路を経由して入力してもよい。ＯＡＭ部１１４や主信号線を用いる場合、ＯＡＭ部１１４や主信号にカプセル化することが望ましい。主信号線を通す場合はＯＳＵ又は他箇所のスイッチ部にて指示部に振り分けることが望ましい。
【０４２８】
なお、第１の構成例は、通信システム構成（１−１）〜（３２−２）における送受信部１１と送受信部１１に演算処理可能な箇所を備える任意の構成に適用できる。
【０４２９】
（第２の構成例）
第２の構成例では、実行部を送受信部１１に備え、指示部をスイッチ部１２の例えば情報処理部や、ＣＰＵ等の演算処理可能な箇所に備える。その他は第１の構成例と同様である。なお、第２の構成例は、通信システム構成（１−１）〜（３２−２）における送受信部１１とスイッチ部１２に演算処理可能な箇所を備える任意の構成に適用できる。なお、送受信部１１とスイッチ部１２の演算処理可能な箇所の両方に実行部及び指示部が備わっていてもよい。
【０４３０】
（第３の構成例）
第３の構成例では、実行部を送受信部１１に備え、指示部をＯＳＵの例えば情報処理部や、ＣＰＵ等の演算処理可能な箇所に備える。その他は第１の構成例と同様である。なお、第３の構成例は、通信システム構成（１−１）〜（３２−２）における送受信部１１とＯＳＵに演算処理可能な箇所を備える任意の構成に適用できる。なお、送受信部１１とＯＳＵの演算処理可能な箇所の両方に実行部及び指示部が備わっていてもよい。
【０４３１】
（第４の構成例）
第４の構成例では、実行部を送受信部１１に備え、指示部をスイッチ部１３の例えば情報処理部や、ＣＰＵ等の演算処理可能な箇所に備える。その他は第１の構成例と同様である。なお、第４の構成例は、通信システム構成（１−１）〜（３２−２）における送受信部１１とスイッチ部１３に演算処理可能な箇所を備える任意の構成に適用できる。なお、送受信部１１とスイッチ部１３の演算処理可能な箇所の両方に実行部及び指示部が備わっていてもよい。
【０４３２】
（第５の構成例）
第５の構成例では、実行部を送受信部１１に備え、指示部をＯＬＴの例えば制御部１４、情報処理部、制御盤又はＣＰＵ盤等の演算処理可能な箇所に備える。その他は第１の構成例と同様である。なお、第５の構成例は、通信システム構成（１−１）〜（３２−２）における送受信部１１とＯＬＴに演算処理可能な箇所を備える任意の構成に適用できる。なお、送受信部１１とＯＬＴの演算処理可能な箇所の両方に実行部及び指示部が備わっていてもよい。
【０４３３】
（第６の構成例）
第６の構成例では、実行部を送受信部１１に備え、指示部をＯＬＴ外部の例えばセンタクラウド、ローカルクラウド、エッジクラウド、単独の外部サーバ１６、情報処理部、オペレーションシステム又はＮＥコントローラなどのＥＭＳ等の演算処理可能な箇所に備える。その他は第１の構成例と同様である。なお、第６の構成例は、通信システム構成（１−１）〜（３２−２）におけるＯＬＴ外部に演算処理可能な箇所を備える任意の構成に適用できる。なお、送受信部１１とＯＬＴ外部の演算処理可能な箇所の両方に実行部及び指示部が備わっていてもよい。
【０４３４】
（第７の構成例）
第７の構成例では、実行部を送受信部１１に備え、指示部をＯＬＴ外部の主信号ネットワーク中の例えばプロキシ部１５等の演算処理可能な箇所に備える。その他は第１の構成例と同様である。なお、第７の構成例は、通信システム構成（１−１）〜（３２−２）における送受信部１１とＯＬＴ外部の主信号ネットワーク中に演算処理可能な箇所を備える任意の構成に適用できる。なお、送受信部１１とＯＬＴ外部の主信号ネットワーク中の演算処理可能な箇所の両方に実行部及び指示部が備わっていてもよい。
【０４３５】
（第８の構成例）
第８の構成例では、実行部をスイッチ部１２に備え、指示部を送受信部１１の例えば情報処理部や、ＣＰＵ等の演算処理可能な箇所に備える。その他は第１の構成例と同様である。なお、第８の構成例は、通信システム構成（１−１）〜（３２−２）におけるスイッチ部１２と送受信部１１に演算処理可能な箇所を備える任意の構成に適用できる。なお、スイッチ部１２と送受信部１１の演算処理可能な箇所の両方に実行部及び指示部が備わっていてもよい。
【０４３６】
（第９の構成例）
第９の構成例では、実行部をスイッチ部１２に備え、指示部をスイッチ部１２の例えば情報処理部や、ＣＰＵ等の演算処理可能な箇所に備える。実行部が指示部よりＰＯＮ側に配置されることが応答速度の観点から好ましいが、逆でもよく、同位置の別装置上でもよく、同一装置上の別ＶＭ上でもよい。その他は第１の構成例と同様である。なお、第９の構成例は、通信システム構成（１−１）〜（３２−２）におけるスイッチ部１２とスイッチ部１２に演算処理可能な箇所を備える任意の構成に適用できる。
【０４３７】
（第１０の構成例）
第１０の構成例では、実行部をスイッチ部１２に備え、指示部をＯＳＵの例えば情報処理部や、ＣＰＵ等の演算処理可能な箇所に備える。その他は第１の構成例と同様である。なお、第１０の構成例は、通信システム構成（１−１）〜（３２−２）におけるスイッチ部１２とＯＳＵに演算処理可能な箇所を備える任意の構成に適用できる。なお、スイッチ部１２とＯＳＵの演算処理可能な箇所の両方に実行部及び指示部が備わっていてもよい。
【０４３８】
（第１１の構成例）
第１１の構成例では、実行部をスイッチ部１２に備え、指示部をスイッチ部１３の例えば情報処理部や、ＣＰＵ等に備える。その他は第１の構成例と同様である。なお、第１１の構成例は、通信システム構成（１−１）〜（３２−２）におけるスイッチ部１２とスイッチ部１３に演算処理可能な箇所を備える任意の構成に適用できる。なお、スイッチ部１２とＯＳＵの演算処理可能な箇所の両方に実行部及び指示部が備わっていてもよい。
【０４３９】
（第１２の構成例）
第１２の構成例では、実行部をスイッチ部１２に備え、指示部をＯＬＴの例えば制御部１４、情報処理部、制御盤又はＣＰＵ盤等の演算処理可能な箇所に備える。その他は第１の構成例と同様である。なお、第１２の構成例は、通信システム構成（１−１）〜（３２−２）におけるスイッチ部１２とＯＬＴに演算処理可能な箇所を備える任意の構成に適用できる。なお、スイッチ部１２とＯＬＴの演算処理可能な箇所の両方に実行部及び指示部が備わっていてもよい。
【０４４０】
（第１３の構成例）
第１３の構成例では、実行部をスイッチ部１２に備え、指示部をＯＬＴ外部の例えばセンタクラウド、ローカルクラウド、エッジクラウド、単独の外部サーバ１６、情報処理部、オペレーションシステム又はＮＥコントローラなどのＥＭＳ等の演算処理可能な箇所に備える。その他は第１の構成例と同様である。なお、第１３の構成例は、通信システム構成（１−１）〜（３２−２）におけるスイッチ部１２とＯＬＴ外部に演算処理可能な箇所を備える任意の構成に適用できる。なお、スイッチ部１２及びＯＬＴ外部の演算処理可能な箇所の両方に実行部及び指示部が備わっていてもよい。
【０４４１】
（第１４の構成例）
第１４の構成例では、実行部をスイッチ部１２に備え、指示部をＯＬＴ外部の主信号ネットワーク中の例えばプロキシ部１５等の演算処理が可能な箇所に備える。その他は第１の構成例と同様である。なお、第１４の構成例は、通信システム構成（１−１）〜（３２−２）におけるスイッチ部１２とＯＬＴ外部の主信号ネットワーク中に演算処理可能な箇所を備える任意の構成に適用できる。なお、スイッチ部１２とＯＬＴ外部の主信号ネットワーク中の演算処理可能な箇所の両方に実行部及び指示部が備わっていてもよい。
【０４４２】
（第１５の構成例）
第１５の構成例では、実行部をＯＳＵに備え、指示部を送受信部１１の例えば情報処理部や、ＣＰＵ等の演算処理可能な箇所に備える。その他は第１の構成例と同様である。なお、第１５の構成例は、通信システム構成（１−１）〜（３２−２）におけるＯＳＵと送受信部１１に演算処理可能な箇所を含む構成に適用できる。なお、ＯＳＵと送受信部１１の演算処理可能な箇所の両方に実行部及び指示部が備わっていてもよい。
【０４４３】
（第１６の構成例）
第１６の構成例では、実行部をＯＳＵ、指示部をスイッチ部１２の例えば情報処理部や、ＣＰＵ等の演算処理可能な箇所に備える。その他は第１の構成例と同様である。なお、第１６の構成例は、通信システム構成（１−１）〜（３２−２）におけるＯＳＵとスイッチ部１２に演算処理可能な箇所を備える任意の構成に適用できる。なお、ＯＳＵとスイッチ部１２の演算処理可能な箇所の両方に実行部及び指示部が備わっていてもよい。
【０４４４】
（第１７の構成例）
第１７の構成例では、実行部をＯＳＵに備え、指示部をＯＳＵの例えば情報処理部、ＣＰＵ等の演算処理可能な箇所に備える。実行部が指示部よりＰＯＮ近傍に配置されることが応答速度の観点から好ましいが、逆でもよく、同位置の別装置上でもよく、同一装置上の別ＶＭ上でもよい。その他は第１の構成例と同様である。なお、第１７の構成例は、通信システム構成（１−１）〜（３２−２）におけるＯＳＵとＯＳＵに演算処理可能な箇所を備える任意の構成に適用できる。
【０４４５】
（第１８の構成例）
第１８の構成例では、実行部をＯＳＵに備え、指示部をスイッチ部１３の例えば情報処理部や、ＣＰＵ等の演算処理可能な箇所に備える。その他は第１の構成例と同様である。なお、第１８の構成例は、通信システム構成（１−１）〜（３２−２）におけるＯＳＵとスイッチ部１３に演算処理可能な箇所を備える任意の構成に適用できる。なお、ＯＳＵとスイッチ部１３の演算処理可能な箇所の両方に実行部及び指示部が備わっていてもよい。
【０４４６】
（第１９の構成例）
第１９の構成例では、実行部をＯＳＵに備え、指示部をＯＬＴの例えば制御部１４、情報処理部、制御盤又はＣＰＵ盤等の演算処理可能な箇所に備える。その他は第１の構成例と同様である。なお、第１９の構成例は、通信システム構成（１−１）〜（３２−２）におけるＯＳＵとＯＬＴに演算処理可能な箇所を備える任意の構成に適用できる。なお、ＯＳＵ及びＯＬＴの演算処理可能な箇所の両方に実行部及び指示部が備わっていてもよい。
【０４４７】
（第２０の構成例）
第２０の構成例では、実行部をＯＳＵに備え、指示部をＯＬＴ外部の例えばセンタクラウド、ローカルクラウド、エッジクラウド、単独の外部サーバ１６、情報処理部、オペレーションシステム又はＮＥコントローラなどのＥＭＳ１４０等の演算処理可能な箇所に備える。その他は第１の構成例と同様である。なお、第２０の構成例は、通信システム構成（１−１）〜（３２−２）におけるＯＳＵとＯＬＴ外部に演算処理可能な箇所を備える任意の構成に適用できる。なお、ＯＳＵとＯＬＴ外部の演算処理可能な箇所の両方に実行部及び指示部が備わっていてもよい。
【０４４８】
（第２１の構成例）
第２１の構成例では、実行部をＯＳＵに備え、指示部をＯＬＴ外部の主信号ネットワーク中の例えばプロキシ部１５等の演算処理可能な箇所に備える。その他は第１の構成例と同様である。なお、第２１の構成例は、通信システム構成（１−１）〜（３２−２）におけるＯＳＵとＯＬＴ外部の主信号ネットワーク中の演算処理可能な箇所を備える任意の構成に適用できる。なお、ＯＳＵとＯＬＴ外部の主信号ネットワーク中の演算処理可能な箇所の両方に実行部及び指示部が備わっていてもよい。
【０４４９】
（第２２の構成例）
第２２の構成例では、実行部をスイッチ部１３に備え、指示部を送受信部１１の例えば情報処理部や、ＣＰＵ等の演算処理可能な箇所に備える。その他は第１の構成例と同様である。なお、第２２の構成例は、通信システム構成（１−１）〜（３２−２）におけるスイッチ部１３と送受信部１１に演算処理可能な箇所を備える任意の構成に適用できる。なお、スイッチ部１３及び送受信部１１の演算処理可能な箇所の両方に実行部及び指示部が備わっていてもよい。
【０４５０】
（第２３の構成例）
第２３の構成例では、実行部をスイッチ部１３に備え、指示部をスイッチ部１２に備える。その他は第１の構成例と同様である。なお、第２３の構成例は、通信システム構成（１−１）〜（３２−２）におけるスイッチ部１２とスイッチ部１３を備える任意の構成に適用できる。なお、スイッチ部１３及びスイッチ部１２の演算処理可能な箇所の両方に実行部及び指示部が備わっていてもよい。
【０４５１】
（第２４の構成例）
第２４の構成例では、実行部をスイッチ部１３に備え、指示部をＯＳＵの演算処理可能な箇所に備える。ＯＳＵの演算処理可能な箇所は、例えば、情報処理部、ＣＰＵである。その他は第１の構成例と同様である。なお、第２４の構成例は、通信システム構成（１−１）〜（３２−２）におけるＯＳＵに演算処理可能な箇所とスイッチ部１３を備える任意の構成に適用できる。なお、スイッチ部１３及びＯＳＵの演算処理可能な箇所の両方に実行部及び指示部が備わっていてもよい。
【０４５２】
（第２５の構成例）
第２５の構成例では、実行部をスイッチ部１３に備え、指示部をスイッチ部１３の例えば情報処理部や、ＣＰＵ等の演算処理可能な箇所に備える。その他は第１の構成例と同様である。実行部が指示部よりＰＯＮ側に配置されることが応答速度の観点から好ましいが、逆でもよく、同位置の別装置上でもよく、同一装置上の別ＶＭ（Ｖｉｒｔｕａｌ  Ｍａｃｈｉｎｅ）上でもよい。なお、第２５の構成例は、通信システム構成（１−１）〜（３２−２）におけるスイッチ部１３とスイッチ部１３に演算処理可能な箇所を備える任意の構成に適用できる。
【０４５３】
（第２６の構成例）
第２６の構成例では、実行部をスイッチ部１３に備え、指示部をＯＬＴの例えば制御部１４、情報処理部、制御盤又はＣＰＵ盤等の演算処理可能な箇所に備える。その他は第１の構成例と同様である。なお、第２６の構成例は、通信システム構成（１−１）〜（３２−２）におけるスイッチ部１３とＯＬＴに演算処理可能な箇所を備える任意の構成に適用できる。なお、スイッチ部１３及びＯＬＴの演算処理可能な箇所の両方に実行部及び指示部が備わっていてもよい。
【０４５４】
（第２７の構成例）
第２７の構成例では、実行部をスイッチ部１３に備え、指示部をＯＬＴ外部の例えばセンタクラウド、ローカルクラウド、エッジクラウド、単独の外部サーバ１６、情報処理部、オペレーションシステム又はＮＥコントローラなどのＥＭＳ等の演算処理可能な箇所に備える。その他は第１の構成例と同様である。なお、第２７の構成例は、通信システム構成（１−１）〜（３２−２）におけるスイッチ部１３とＯＬＴ外部の演算処理可能な箇所を備える任意の構成に適用できる。なお、スイッチ部１３及びＯＬＴ外部の演算処理可能な箇所の両方に実行部及び指示部が備わっていてもよい。
【０４５５】
（第２８の構成例）
第２８の構成例では、実行部をスイッチ部１３に備え、指示部をＯＬＴ外部の主信号ネットワーク中の例えばプロキシ部１５等の演算処理可能な箇所に備える。その他は第１の構成例と同様である。なお、第２８の構成例は、通信システム構成（１−１）〜（３２−２）におけるスイッチ部１３とＯＬＴ外部の主信号ネットワーク中に演算処理可能な箇所を備える任意の構成に適用できる。なお、スイッチ部１３とＯＬＴ外部の主信号ネットワーク中の演算処理可能な箇所の両方に実行部及び指示部が備わっていてもよい。
【０４５６】
（第２９の構成例）
第２９の構成例では、実行部をＯＬＴの例えば制御部１４、情報処理部、制御盤又はＣＰＵ盤等に備え、指示部を送受信部１１の情報処理部や、ＣＰＵ等の演算処理可能な箇所に備える。その他は第１の構成例と同様である。なお、第２９の構成例は、通信システム構成（１−１）〜（３２−２）におけるＯＬＴの例えば制御部１４、情報処理部、制御盤又はＣＰＵ盤等と送受信部１１に演算処理可能な箇所を備える任意の構成に適用できる。なお、ＯＬＴの例えば制御部１４、情報処理部、制御盤又はＣＰＵ盤等及び送受信部１１の演算処理可能な箇所の両方に実行部及び指示部が備わっていてもよい。
【０４５７】
（第３０の構成例）
第３０の構成例では、実行部をＯＬＴの例えば制御部１４、情報処理部、制御盤又はＣＰＵ盤等に備え、指示部をスイッチ部１２の例えば情報処理部や、ＣＰＵ等の演算処理可能な箇所に備える。その他は第１の構成例と同様である。なお、第３０の構成例は、通信システム構成（１−１）〜（３２−２）におけるＯＬＴの例えば制御部１４、情報処理部、制御盤又はＣＰＵ盤等とスイッチ部１２に演算処理可能な箇所を備える任意の構成に適用できる。なお、ＯＬＴの例えば制御部１４、情報処理部、制御盤又はＣＰＵ盤等及びスイッチ部１２の演算処理可能な箇所の両方に実行部及び指示部が備わっていてもよい。
【０４５８】
（第３１の構成例）
第３１の構成例では、実行部をＯＬＴの例えば制御部１４、情報処理部、制御盤又はＣＰＵ盤等に備え、指示部をＯＳＵの例えば情報処理部や、ＣＰＵ等の演算処理可能な箇所に備える。その他は第１の構成例と同様である。なお、第３１の構成例は、通信システム構成（１−１）〜（３２−２）におけるＯＬＴの例えば制御部１４、情報処理部、制御盤又はＣＰＵ盤等とＯＳＵに演算処理可能な箇所を備える任意の構成に適用できる。なお、ＯＬＴの例えば制御部１４、情報処理部、制御盤又はＣＰＵ盤等とＯＳＵの演算処理可能な箇所の両方に実行部及び指示部が備わっていてもよい。
【０４５９】
（第３２の構成例）
第３２の構成例では、実行部をＯＬＴの例えば制御部１４、情報処理部、制御盤又はＣＰＵ盤等に備え、指示部をスイッチ部１３の例えば情報処理部や、ＣＰＵ等の演算処理可能な箇所に備える。その他は第１の構成例と同様である。なお、第３２の構成例は、通信システム構成（１−１）〜（３２−２）におけるＯＬＴの例えば制御部１４、情報処理部、制御盤又はＣＰＵ盤等とスイッチ部１３に演算処理可能な箇所を備える任意の構成に適用できる。なお、ＯＬＴの例えば制御部１４、情報処理部、制御盤又はＣＰＵ盤等及びスイッチ部１３の演算処理可能な箇所の両方に実行部及び指示部が備わっていてもよい。
【０４６０】
（第３３の構成例）
第３３の構成例では、実行部をＯＬＴの例えば制御部１４、情報処理部、制御盤又はＣＰＵ盤等に備え、指示部をＯＬＴの例えば制御部１４、情報処理部、制御盤又はＣＰＵ盤等の演算処理可能な箇所に備える。実行部が指示部よりＰＯＮ側に配置されることが応答速度の観点から好ましいが、逆でもよく、同位置の別装置上でもよく、同一装置上の別ＶＭ上でもよい。その他は第１の構成例と同様である。なお、第３３の構成例は、通信システム構成（１−１）〜（３２−２）におけるＯＬＴの例えば制御部１４、情報処理部、制御盤又はＣＰＵ盤とＯＬＴに演算処理可能な箇所を備える構成に適用できる。
【０４６１】
（第３４の構成例）
第３４の構成例では、実行部をＯＬＴの例えば制御部１４、情報処理部、制御盤又はＣＰＵ盤等に備え、指示部をＯＬＴ外部の例えばセンタクラウド、ローカルクラウド、エッジクラウド、単独の外部サーバ１６、情報処理部、オペレーションシステム又はＮＥコントローラなどのＥＭＳ等の演算処理可能な箇所に備える。その他は第１の構成例と同様である。なお、第３４の構成例は、通信システム構成（１−１）〜（３２−２）におけるＯＬＴの例えば制御部１４、情報処理部、制御盤又はＣＰＵ盤等とＯＬＴ外部に演算処理可能な箇所を備える任意の構成に適用できる。なお、ＯＬＴの例えば制御部１４、情報処理部、制御盤又はＣＰＵ盤等とＯＬＴ外部の演算処理可能な箇所の両方に実行部及び指示部が備わっていてもよい。
【０４６２】
（第３５の構成例）
第３５の構成例では、実行部をＯＬＴの例えば制御部１４、情報処理部、制御盤又はＣＰＵ盤等に備え、指示部をＯＬＴ外部の主信号ネットワーク中の例えばプロキシ部１５等の演算処理可能な箇所に備える。その他は第１の構成例と同様である。なお、第３５の構成例は通信システム構成（１−１）〜（３２−２）におけるＯＬＴの例えば制御部１４、情報処理部、制御盤又はＣＰＵ盤等とＯＬＴ外部の主信号ネットワークに演算処理可能な箇所を備える任意の構成に適用できる。なお、ＯＬＴの例えば制御部１４、情報処理部、制御盤又はＣＰＵ盤等とＯＬＴ外部の主信号ネットワークの演算処理可能な箇所の両方に実行部及び指示部が備わっていてもよい。
【０４６３】
（第３６の構成例）
第３６の構成例では、実行部をＯＬＴ外部の例えばセンタクラウドやローカルクラウドやエッジクラウドや単独の外部サーバ１６や情報処理部やオペレーションシステムやＮＥコントローラなどのＥＭＳ等に備え、指示部を送受信部１１の例えば情報処理部や、ＣＰＵ等の演算処理可能な箇所に備える。その他は第１の構成例と同様である。なお、第３６の構成例は、通信システム構成（１−１）〜（３２−２）におけるＯＬＴ外部の例えばセンタクラウドやローカルクラウドやエッジクラウドや単独の外部サーバ１６や情報処理部やオペレーションシステムやＮＥコントローラなどのＥＭＳ等と送受信部１１に演算処理可能な箇所を備える任意の構成に適用できる。なお、ＯＬＴ外部の例えばセンタクラウドやローカルクラウドやエッジクラウドや単独の外部サーバ１６や情報処理部やオペレーションシステムやＮＥコントローラなどのＥＭＳ等と送受信部１１の演算処理可能な箇所の両方に実行部及び指示部が備わっていてもよい。
【０４６４】
（第３７の構成例）
第３７の構成例では、実行部をＯＬＴ外部の例えばセンタクラウドやローカルクラウドやエッジクラウドや単独の外部サーバ１６や情報処理部やオペレーションシステムやＮＥコントローラなどのＥＭＳ等に備え、指示部をスイッチ部１２の例えば情報処理部や、ＣＰＵ等の演算処理可能な箇所に備える。その他は第１の構成例と同様である。なお、第３７の構成例は、通信システム構成（１−１）〜（３２−２）におけるＯＬＴ外部の例えばセンタクラウドやローカルクラウドやエッジクラウドや単独の外部サーバ１６や情報処理部やオペレーションシステムやＮＥコントローラなどのＥＭＳ等とスイッチ部１２に演算処理可能な箇所を備える任意の構成に適用できる。なお、ＯＬＴ外部の例えばセンタクラウドやローカルクラウドやエッジクラウドや単独の外部サーバ１６や情報処理部やオペレーションシステムやＮＥコントローラなどのＥＭＳ等とスイッチ部１２の演算処理可能な箇所の両方に実行部及び指示部が備わっていてもよい。
【０４６５】
（第３８の構成例）
第３８の構成例では、実行部をＯＬＴ外部の例えばセンタクラウドやローカルクラウドやエッジクラウドや単独の外部サーバ１６や情報処理部やオペレーションシステムやＮＥコントローラなどのＥＭＳ等に備え、指示部をＯＳＵの例えば情報処理部や、ＣＰＵ等の演算処理可能な箇所に備える。その他は第１の構成例と同様である。なお、第３８の構成例は、通信システム構成（１−１）〜（３２−２）におけるＯＬＴ外部の例えばセンタクラウドやローカルクラウドやエッジクラウドや単独の外部サーバ１６や情報処理部やオペレーションシステムやＮＥコントローラなどのＥＭＳ等とＯＳＵに演算処理可能な箇所を備える任意の構成に適用できる。なお、ＯＬＴ外部の例えばセンタクラウドやローカルクラウドやエッジクラウドや単独の外部サーバ１６や情報処理部やオペレーションシステムやＮＥコントローラなどのＥＭＳ等及びＯＳＵの演算処理可能な箇所の両方に実行部及び指示部が備わっていてもよい。
【０４６６】
（第３９の構成例）
第３９の構成例では、実行部をＯＬＴ外部の例えばセンタクラウドやローカルクラウドやエッジクラウドや単独の外部サーバ１６や情報処理部やオペレーションシステムやＮＥコントローラなどのＥＭＳ等に備え、指示部をスイッチ部１３の例えば情報処理部や、ＣＰＵ等の演算処理可能な箇所に備える。その他は第１の構成例と同様である。なお、第３９の構成例は、通信システム構成（１−１）〜（３２−２）におけるＯＬＴ外部の例えばセンタクラウドやローカルクラウドやエッジクラウドや単独の外部サーバ１６や情報処理部やオペレーションシステムやＮＥコントローラなどのＥＭＳ等とスイッチ部１３に演算処理可能な箇所を備える任意の構成に適用できる。なお、ＯＬＴ外部の例えばセンタクラウドやローカルクラウドやエッジクラウドや単独の外部サーバ１６や情報処理部やオペレーションシステムやＮＥコントローラなどのＥＭＳ等とスイッチ部１３の演算処理可能な箇所の両方に実行部及び指示部が備わっていてもよい。
【０４６７】
（第４０の構成例）
第４０の構成例では、実行部をＯＬＴ外部の例えばセンタクラウドやローカルクラウドやエッジクラウドや単独の外部サーバ１６や情報処理部やオペレーションシステムやＮＥコントローラなどのＥＭＳ等に備え、指示部をＯＬＴの例えば制御部１４、情報処理部、制御盤又はＣＰＵ盤等の演算処理可能な箇所に備える。その他は第１の構成例と同様である。なお、第４０の構成例は、通信システム構成（１−１）〜（３２−２）におけるＯＬＴ外部の例えばセンタクラウドやローカルクラウドやエッジクラウドや単独の外部サーバ１６や情報処理部やオペレーションシステムやＮＥコントローラなどのＥＭＳ等とＯＬＴに演算処理可能な箇所を備える任意の構成に適用できる。なお、ＯＬＴ外部の例えばセンタクラウドやローカルクラウドやエッジクラウドや単独の外部サーバ１６や情報処理部やオペレーションシステムやＮＥコントローラなどのＥＭＳ等及びＯＬＴの演算処理可能な箇所の両方に実行部及び指示部が備わっていてもよい。
【０４６８】
（第４１の構成例）
第４１の構成例では、実行部をＯＬＴ外部の例えばセンタクラウドやローカルクラウドやエッジクラウドや単独の外部サーバ１６や情報処理部やオペレーションシステムやＮＥコントローラなどのＥＭＳ等に備え、指示部をＯＬＴ外部の例えばセンタクラウドやローカルクラウドやエッジクラウドや単独の外部サーバ１６や情報処理部やオペレーションシステムやＮＥコントローラなどのＥＭＳ等の演算処理可能な箇所に備える。実行部が指示部よりＰＯＮ側に配置されることが応答速度の観点から好ましいが、逆でもよく、同位置の別サーバ上でもよく、同一サーバ上の別ＶＭ上でもよい。その他は第１の構成例と同様である。なお、第４１の構成例は、通信システム構成（１−１）〜（３２−２）におけるＯＬＴ外部の例えばセンタクラウドやローカルクラウドやエッジクラウドや単独の外部サーバ１６や情報処理部やオペレーションシステムやＮＥコントローラなどのＥＭＳ等とＯＬＴ外部に演算処理可能な箇所を備える任意の構成に適用できる。なお、ＯＬＴ外部の例えばセンタクラウドやローカルクラウドやエッジクラウドや単独の外部サーバ１６や情報処理部やオペレーションシステムやＮＥコントローラなどのＥＭＳ等とＯＬＴ外部の演算処理可能な箇所の両方に実行部及び指示部が備わっていてもよい。
【０４６９】
（第４２の構成例）
第４２の構成例では、実行部をＯＬＴ外部の例えばセンタクラウドやローカルクラウドやエッジクラウドや単独の外部サーバ１６や情報処理部やオペレーションシステムやＮＥコントローラなどのＥＭＳ等に備え、指示部をＯＬＴ外部の主信号ネットワーク中の例えばプロキシ部１５等の演算処理可能な箇所に備える。その他は第１の構成例と同様である。なお、第４２の構成例は通信システム構成（１−１）〜（３２−２）におけるＯＬＴ外部の例えばセンタクラウドやローカルクラウドやエッジクラウドや単独の外部サーバ１６や情報処理部やオペレーションシステムやＮＥコントローラなどのＥＭＳ等とＯＬＴ外部の主信号ネットワーク中に演算処理可能な箇所を備える任意の構成に適用できる。なお、ＯＬＴ外部の例えばセンタクラウドやローカルクラウドやエッジクラウドや単独の外部サーバ１６や情報処理部やオペレーションシステムやＮＥコントローラなどのＥＭＳ等とＯＬＴ外部の主信号ネットワーク中の演算処理可能な箇所の両方に実行部及び指示部が備わっていてもよい。
【０４７０】
（第４３の構成例）
第４３の構成例では、実行部をＯＬＴ外部の主信号ネットワーク中の例えばプロキシ部１５等に備え、指示部を送受信部１１の例えば情報処理部や、ＣＰＵ等の演算処理可能な箇所に備える。その他は第１の構成例と同様である。なお、第４３の構成例は、通信システム構成（１−１）〜（３２−２）におけるＯＬＴ外部の主信号ネットワーク中の例えばプロキシ部１５等と送受信部１１の主信号ネットワーク中に演算処理可能な箇所を備える任意の構成に適用できる。なお、ＯＬＴ外部の主信号ネットワーク中の例えばプロキシ部１５等と送受信部１１の演算処理可能な箇所の両方に実行部及び指示部が備わっていてもよい。
【０４７１】
（第４４の構成例）
第４４の構成例では、実行部をＯＬＴ外部の主信号ネットワーク中の例えばプロキシ部１５等に備え、指示部をスイッチ部１２の例えば情報処理部や、ＣＰＵ等の演算処理可能な箇所に備える。その他は第１の構成例と同様である。なお、第４４の構成例は、通信システム構成（１−１）〜（３２−２）におけるＯＬＴ外部の主信号ネットワーク中の例えばプロキシ部１５等とスイッチ部１２に演算処理可能な箇所を備える任意の構成に適用できる。なお、ＯＬＴ外部の主信号ネットワーク中の例えばプロキシ部１５等とスイッチ部１２の演算処理可能な箇所の両方に実行部及び指示部が備わっていてもよい。
【０４７２】
（第４５の構成例）
第４５の構成例では、実行部をＯＬＴ外部の主信号ネットワーク中の例えばプロキシ部１５等に備え、指示部をＯＳＵの例えば情報処理部や、ＣＰＵ等の演算処理可能な箇所に備える。その他は第１の構成例と同様である。なお、第４５の構成例は、通信システム構成（１−１）〜（３２−２）におけるＯＬＴ外部の主信号ネットワーク中の例えばプロキシ部１５等とＯＳＵに演算処理可能な箇所を備える任意の構成に適用できる。なお、ＯＬＴ外部の主信号ネットワーク中の例えばプロキシ部１５等とＯＳＵの演算処理可能な箇所の両方に実行部及び指示部が備わっていてもよい。
【０４７３】
（第４６の構成例）
第４６の構成例では、実行部をＯＬＴ外部の主信号ネットワーク中の例えばプロキシ部１５等に備え、指示部をスイッチ部１３の例えば情報処理部や、ＣＰＵ等の演算処理可能な箇所に備える。その他は第１の構成例と同様である。なお、第４６の構成例は、通信システム構成（１−１）〜（３２−２）におけるＯＬＴ外部の主信号ネットワーク中の例えばプロキシ部１５等とスイッチ部１３に演算処理可能な箇所を備える任意の構成に適用できる。なお、ＯＬＴ外部の主信号ネットワーク中の例えばプロキシ部１５等とスイッチ部１３の演算処理可能な箇所の両方に実行部及び指示部が備わっていてもよい。
【０４７４】
（第４７の構成例）
第４７の構成例では、実行部をＯＬＴ外部の主信号ネットワーク中の例えばプロキシ部１５等に備え、指示部をＯＬＴの例えば制御部１４、情報処理部、制御盤又はＣＰＵ盤等の演算処理可能な箇所に備える。その他は第１の構成例と同様である。なお、第４７の構成例は、通信システム構成（１−１）〜（３２−２）におけるＯＬＴ外部の主信号ネットワーク中の例えばプロキシ部１５等とＯＬＴに演算処理可能な箇所を備える構成に適用できる。なお、ＯＬＴ外部の主信号ネットワーク中の例えばプロキシ部１５等とＯＬＴの演算処理可能な箇所の両方に実行部及び指示部が備わっていてもよい。
【０４７５】
（第４８の構成例）
第４８の構成例では、実行部をＯＬＴ外部の主信号ネットワーク中の例えばプロキシ部１５等に備え、指示部をＯＬＴ外部の例えばセンタクラウド、ローカルクラウド、エッジクラウド、単独の外部サーバ１６、情報処理部、オペレーションシステム又はＮＥコントローラなどのＥＭＳ等の演算処理可能な箇所に備える。その他は第１の構成例と同様である。なお、第４８の構成例は、通信システム構成（１−１）〜（３２−２）におけるＯＬＴ外部の主信号ネットワーク中の例えばプロキシ部１５とＯＬＴ外部に演算処理可能な箇所を備える任意の構成に適用できる。なお、ＯＬＴ外部の主信号ネットワーク中の例えばプロキシ部１５等とＯＬＴ外部の演算処理可能な箇所の両方に実行部及び指示部が備わっていてもよい。
【０４７６】
（第４９の構成例）
第４９の構成例では、実行部をＯＬＴ外部の主信号ネットワーク中の例えばプロキシ部１５等に備え、指示部をＯＬＴ外部の主信号ネットワーク中の例えばプロキシ部１５等の演算処理可能な個所に備える。実行部が指示部よりＰＯＮ側に配置されることが応答速度の観点から好ましいが、逆でもよく、同位置の別装置上でもよく、同一装置上の別ＶＭ上でもよい。その他は第１の構成例と同様である。なお、第４９の構成例は通信システム構成（１−１）〜（３２−２）におけるＯＬＴ外部の主信号ネットワーク中の例えばプロキシ部１５等とＯＬＴ外部の主信号ネットワーク中に演算処理可能な箇所を備える任意の構成に適用できる。
【０４７７】
なお、第１の構成例から第４９の構成例において、指示部の設定又はアルゴリズムを変更するためのＩＦを備え、指示部のソフトウェアを変更できるとしてもよい。また、第１の構成例から第４９の構成例において、指示部は装置の構成要素で、演算処理が可能な一か所の構成要素上に配置したが、演算処理が可能な複数の構成要素装置上、例えば複数の情報処理部での処理により実現してもよい。
【０４７８】
図９は、光アクセスシステムの構成の例を示す図である。同図に示すＯＬＴは、通信装置１００の一例である。図９に係る光アクセスシステムでは、ＩＴＵ−Ｔ  Ｇ．９８９シリーズに準拠する。図９において、コントローラと外部装置はＯＬＴに含まれないが、ＦＡＳＡアプリケーションＡＰＩとの通信を例示するために記載する。
【０４７９】
論理モデルは、ＦＡＳＡアプリケーションと、ＦＡＳＡアプリケーションにＦＡＳＡアプリケーションＡＰＩを提供するＦＡＳＡ基盤とから構成される。ＦＡＳＡ基盤はＦＡＳＡアプリケーションＡＰＩ用ミドルウェアを含む。ＦＡＳＡアプリケーションＡＰＩ用ミドルウェアは、ＦＡＳＡ基盤を構成するハードウェアやソフトウェアのベンダや方式の違いを吸収する。ＦＡＳＡアプリケーションＡＰＩ用ミドルウェア上にベンダや方式に依存しないＦＡＳＡアプリケーションＡＰＩセットを規定し、ＦＡＳＡアプリケーションの入替により、サービス毎あるいは通信事業者毎に必要な機能を実現する。ＦＡＳＡアプリケーション間の通信やコントローラ等による設定管理はＦＡＳＡアプリケーションＡＰＩ用ミドルウェアを介して行う。なお、ＦＡＳＡアプリケーションＡＰＩ用ミドルウェアを介さないこともありうる。ＦＡＳＡアプリケーションＡＰＩセットは、ＦＡＳＡアプリケーションで利用する共通のＡＰＩ群であり、ＦＡＳＡアプリケーション毎に必要なＡＰＩをＡＰＩセットから選択して利用する。
【０４８０】
以下に示す接続関係は例であり、間に介在する接続は介在しない接続であってもよいし、複数の接続関係の一部のみ接続していてもよく、それ以外の接続であってもよい。これは他の説明も同様である。
【０４８１】
ＮＥコントローラとして機能するＥＭＳは、ＮＥ−ＯｐＳ等のＯＬＴの設定管理システムである。ＯＬＴには、ＥＭＳがＦＡＳＡアプリケーションＡＰＩ用ミドルウェアを介して接続されるＩＦ変換アプリを介して、設定管理アプリケーション（例えば、低速監視アプリ（ＥＭＳ−ＩＦ）及び設定・管理アプリ）と接続されるようにアプリが配置されている。ＩＦ変換アプリと設定管理アプリケーションも、ＦＡＳＡアプリケーションＡＰＩ用ミドルウェアを介して接続される。ＩＦ変換アプリは、ＮＥコントローラ等のＥＭＳからＯＬＴ等のＮｅｔｗｏｒｋ  Ｅｎｔｉｔｙに対する制御ＩＦであるＳＢＩ（Ｓｏｕｔｈ  Ｂａｎｄ  Ｉｎｔｅｒｆａｃｅ）のコマンドを変換するＳＢＩアプリに相当する。ここでＩＦ変換アプリがＩＦ変換するとしているが低速監視アプリ（ＥＭＳ−ＩＦ）及び設定・管理アプリにて、ＩＦ変換を行う又はＩＦ変換を行う必要のないＡＰＩを備えれば、ＩＦ変換アプリは備えなくともよい。Ｌ２（レイヤ２）機能（Ｌ２  ｆｕｎｃｔｉｏｎ）と接続された低速監視アプリ（ＥＭＳ−ＩＦ）と設定・管理アプリはＦＡＳＡアプリケーションＡＰＩ用ミドルウェアを介して、ＥＭＳやＮＥ管理等を行うＮＥ制御・管理と接続されている。低速監視アプリ（ＯＭＣＩ）、ＭＬＤプロキシアプリ（マルチキャストアプリ）及び省電力アプリは、ＦＡＳＡアプリケーションＡＰＩ用ミドルウェアを介してそれぞれＬ２機能と接続されている。
【０４８２】
プロテクションアプリは、ＦＡＳＡアプリケーションＡＰＩ用ミドルウェアを介してＰＬＯＡＭ  ＥｎｇｉｎｅとＥｍｂｅｄｄｅｄ  ＯＡＭ  Ｅｎｇｉｎｅとに接続されている。省電力アプリは、ＦＡＳＡアプリケーションＡＰＩ用ミドルウェアを介してＯＭＣＩとＰＬＯＡＭ  Ｅｎｇｉｎｅとに接続されている。ＯＮＵ登録認証アプリ及びＤＷＢＡアプリはＦＡＳＡアプリケーションＡＰＩ用ミドルウェアを介してＰＬＯＡＭ  Ｅｎｇｉｎｅと接続され、ＤＢＡアプリはＦＡＳＡアプリケーションＡＰＩ用ミドルウェアを介してＥｍｂｅｄｄｅｄ  ＯＡＭ  Ｅｎｇｉｎｅと接続されている。省電力アプリは、ＦＡＳＡアプリケーションＡＰＩ用ミドルウェアを介してプロテクションアプリとＯＮＵ登録認証アプリとＤＷＢＡアプリとＤＢＡアプリ間でそれぞれ動作させてもよい。外部の装置からの入力はＦＡＳＡアプリケーションＡＰＩ用ミドルウェアを介してＤＢＡアプリに接続している。なおこれらの接続は、例であり、外部の装置からの入力をＤＢＡアプリ以外の他のアプリ例えばプロテクションアプリやＤＷＢＡアプリに接続してもよい。また外部の装置からの入力をＦＡＳＡアプリケーションＡＰＩ用ミドルウェア経由でＩＦ変換アプリを介してＩＦ変換したり、ＦＡＳＡアプリケーションＡＰＩ用ミドルウェア経由で設定・管理アプリを介してＤＢＡアプリ等に接続したりしてもよい。
【０４８３】
図１０は、通信装置内の機能部間の信号／情報の流れを示す図である。同図に示す通信装置は、ＰＯＮ主信号処理機能部３００と、ＰＭＤ部３１０と、ＰＯＮアクセス制御機能部３２０と、保守運用機能部３３０（ＰＬＯＡＭ処理、ＯＭＣＩ処理）と、Ｌ２主信号処理機能部３４０と、ＰＯＮマルチキャスト機能部３５０と、省電力制御機能部３６０と、周波数・時刻同期機能部３７０と、プロテクション機能部３８０とを備える。
【０４８４】
ＰＯＮ主信号処理機能部３００は、ＰＯＮ主信号処理機能を有する。ＰＯＮ主信号処理機能は、ＯＮＵとの間で送受信を行う主信号を処理する機能群であり、ＰＯＮフレームの生成分離や前方誤り訂正（ＦＥＣ：Ｆｏｒｗａｒｄ  Ｅｒｒｏｒ  Ｃｏｒｒｅｃｔｉｏｎ）等を含む。
【０４８５】
ＰＯＮアクセス制御機能部３２０は、ＰＯＮアクセス制御機能を有する。ＰＯＮアクセス制御機能は、前述の主信号送受信を行うための制御機能群であり、動的帯域割当やＯＮＵの登録認証等を含む。
【０４８６】
保守運用機能部３３０（ＰＬＯＡＭ処理、ＯＭＣＩ処理）は、保守運用機能を有する。保守運用機能は、アクセス装置によってサービスを円滑に保守運用するための機能群であり、ＯＮＵやＯＬＴ（ＯＳＵ及びスイッチ）の装置設定を実施する機能や、ソフトウェアの更新、装置やサービスの管理、各種機能が正常に動作しているかを監視する機能、異常発生時に能動的に警報を発出する機能、異常発生時の範囲や原因を調査するための試験機能等を含む。また、保守運用機能は、多数のアクセス装置を管理する保守運用システムと接続され、リモートからも円滑な保守運用を実現する。
【０４８７】
Ｌ２主信号処理機能部３４０は、Ｌ２主信号処理機能を有する。Ｌ２主信号処理機能は、ＰＯＮ側ポートとＳＮＩ側ポートとの間で主信号を転送し、処理する機能群であり、ＭＡＣアドレス学習やＶＬＡＮ制御、優先制御やトラフィックモニタ等の機能を含む。
【０４８８】
ＰＯＮマルチキャスト機能部３５０は、ＰＯＮマルチキャスト機能を有する。ＰＯＮマルチキャスト機能は、ＳＮＩ側から受信したマルチキャストストリームを適切なユーザに転送する機能群であり、マルチキャストストリームの識別や振分し、ＯＮＵのフィルタ設定を実施する機能を含む。
【０４８９】
省電力制御機能部３６０は、省電力制御機能を有する。省電力制御機能は、ＯＮＵやＯＬＴの電力消費を削減するための機能群であり、標準化で規定されている省電力化機能に加え、トラフィックモニタとの連携によってサービスへの影響を最小限に抑えながら、最大限の効果を得るための機能を含む。
【０４９０】
周波数・時刻同期機能部３７０は、周波数・時刻同期機能を有する。周波数／時刻同期機能は、ＯＮＵ配下の装置に正確な周波数同期や時刻同期を提供するための機能群であり、自身のリアルタイムクロックを上位装置に従属同期させる機能や、ＰＯＮフレームを用いてＯＮＵに時刻情報を通知する機能を含む。
【０４９１】
プロテクション機能部３８０は、プロテクション機能を有する。プロテクション機能は、スイッチ間やＯＳＵ間等、複数のハードウェアで冗長をとった構成において、障害検知時に現用系から予備系への切替や引継を実施してサービスを継続するための機能群であり、切替トリガの検出や切替処理の実施といった機能を含む。また、プロテクション機能は障害検知時や手動での切替時に、サービスを全面停止せず縮退運転で動作させ続けるための機能を提供する。
ＰＭＤ部３１０は、主要８機能以外の機能を有する。
【０４９２】
ＰＯＮ主信号処理機能部３００は、ＰＭＤ部３１０と、ＰＯＮアクセス制御機能部３２０と、保守運用機能部３３０（ＰＬＯＡＭ処理、ＯＭＣＩ処理）と、Ｌ２主信号処理機能部３４０とに接続されていてもよい。ＰＯＮマルチキャスト機能部３５０は、ＰＯＮ主信号処理機能部３００と、ＰＭＤ部３１０と、ＰＯＮアクセス制御機能部３２０と、保守運用機能部３３０と、Ｌ２主信号処理機能部３４０とからなる群に接続していてもよい。省電力制御機能部３６０は、ＰＯＮ主信号処理機能部３００と、ＰＭＤ部３１０と、ＰＯＮアクセス制御機能部３２０と、保守運用機能部３３０と、Ｌ２主信号処理機能部３４０とからなる群に接続していてもよい。周波数・時刻同期機能部３７０は、ＰＯＮ主信号処理機能部３００と、ＰＭＤ部３１０と、ＰＯＮアクセス制御機能部３２０と、保守運用機能部３３０と、Ｌ２主信号処理機能部３４０とからなる群に接続していてもよい。プロテクション機能部３８０は、ＰＯＮ主信号処理機能部３００と、ＰＭＤ部３１０と、ＰＯＮアクセス制御機能部３２０と、保守運用機能部３３０と、Ｌ２主信号処理機能部３４０とからなる群に接続していてもよい。
【０４９３】
図１１は、ＰＯＮ主信号処理機能部３００が有する機能構成の例を示す図である。ＰＯＮ主信号処理機能部３００は、上り信号の処理順（下り信号の処理は逆方向）に、ＰＨＹアダプテーションと、フレーム化と、サービスアダプテーションとを、ＰＯＮ主信号処理機能を構成する処理として備えていてもよい。これらの処理は、基本処理から構成されてもよい。基本処理は、同期ブロック生成／抽出と、スクランブル／デスクランブルと、ＦＥＣデコード／エンコードと、フレーム生成／分離と、ＧＥＭ（Ｇ−ＰＯＮ  Ｅｎｃａｐｓｕｌａｔｉｏｎ  Ｍｅｔｈｏｄ）カプセル化と、フラグメント処理と、暗号化とである。
【０４９４】
ＰＨＹアダプテーションは、同期ブロック抽出と、デスクランブルと、ＦＥＣデコーディングとを、上り信号の処理順に備えていてもよい。ＰＨＹアダプテーションは、ＦＥＣエンコーディングと、スクランブルと、同期ブロック生成とを、下り信号処理の順番で備えていてもよい。
【０４９５】
ＰＯＮ主信号処理機能部３００は、ＰＨＹアダプテーション、フレーム化又はサービスアダプテーションの処理を備えずに、同等の処理を基本処理の組み合わせで実現してもよい。ＰＨＹアダプテーション、フレーム化又はサービスアダプテーションの処理は、順番が入れ替わっていてもよい。ＰＨＹアダプテーションは、例えば、ＦＥＣ処理をＰＨＹアダプテーション以外に備えてもよい。
【０４９６】
ＰＯＮ主信号処理機能部３００の主要機能では、１０Ｇｂｉｔ／ｓ／λと２．５Ｇｂｉｔ／ｓ／λの処理をそれぞれ波長ごとに処理する場合、それぞれ１０Ｇｂｉｔ／ｓ／λと２．５Ｇｂｉｔ／ｓ／λ以上のストリーム処理が複数波長を処理するなら、複数波長分が求められる。
【０４９７】
図１２は、ＰＯＮアクセス制御機能部３２０が有する機能構成の例を示す図である。ＰＯＮアクセス制御機能部３２０が有するＰＯＮアクセス制御機能を構成する処理として、ＯＮＵ登録又は認証、ＤＢＡ、及び、λ設定切替（ＤＷＡ）を有する。これらの処理は、基本処理から構成されてもよい。例えば、ＯＮＵ登録又は認証は、初期処理を構成するレンジング、認証削除、登録、起動停止、ＤＢＡは帯域要求受信、トラフィック測定、履歴保持、割当計算、割当処理、設定切替計算、設定切替処理、設定切替状況把握の全て又はそのいくつか、λ設定切替は、帯域要求受信、トラフィック測定、履歴保持、割当計算、割当処理、設定切替計算、設定切替処理、設定切替状況把握の全て又はそのいくつかから構成されてもよい。ＯＮＵ登録又は認証、ＤＢＡ、λ設定切替（ＤＷＡ）は備えずに同等の処理を基本処理の組み合わせで実現してもよい。また、順番が入れ替わっていてもよい。
【０４９８】
ＰＯＮアクセス制御機能部３２０の主要機能では、ＯＮＵ高速起動、ＤＢＡ周期内でのＢＷＭａｐ、無瞬断λ設定切替等が必要に応じて求められる。機能分担の例として、登録又は認証としては、タイムクリティカルなレンジング処理を機器依存部１１０、その後の認証や鍵交換をアプリとしてもよい。ＤＢＡ・λ設定切替では、単純な繰り返し処理を機器依存部１１０、理想状態への反映をアプリとしてもよい。
【０４９９】
図１３は、Ｌ２主信号処理機能部３４０が有する機能構成の例を示す図である。Ｌ２主信号処理機能部３４０が有するＬ２主信号処理機能を構成する処理として、ＭＡＣ学習、ＶＬＡＮ制御、パス制御、帯域制御、優先制御、遅延制御、Ｃｏｐｙを有する。これらの処理は基本処理であるアドレス管理、Ｃｌａｓｓｉｆｉｅｒ（クラシファイア、分類部）、Ｍｏｄｉｆｉｅｒ（モディファイア、変更部）、Ｐｏｌｉｃｅｒ／Ｓｈａｐｅｒ（ポリサー／シェイパ）、Ｃｒｏｓｓ  Ｃｏｎｎｅｃｔ（クロス・コネクト）、Ｑｕｅｕｅ（キュー）、Ｓｃｈｅｄｕｌｅｒ（スケジューラ）、Ｃｏｐｙ（コピー）、トラフィックモニタから構成されてもよい。ＭＡＣ学習、ＶＬＡＮ制御、パス制御、帯域制御、優先制御、遅延制御、Ｃｏｐｙは備えずに同等の処理を基本処理の組み合わせで実現してもよい。また、順番が入れ替わっていてもよい。
【０５００】
Ｌ２主信号処理機能部３４０の主要機能では、１０Ｇｂｉｔ／ｓ／λと２．５Ｇｂｉｔ／ｓ／λの処理をそれぞれ波長ごとに処理する場合、それぞれ１０Ｇｂｉｔ／ｓ／λと２．５Ｇｂｉｔ／ｓ／λ以上のストリーム処理が、複数波長を処理するなら複数波長分が求められる。
【０５０１】
図１４は、保守運用機能部３３０が有する機能構成の第１例を示す図である。保守運用機能部３３０が有する保守運用機能を構成する処理として、ＯＮＵ、ＯＳＵ、ＯＬＴ又はＳＷの装置設定（手動、一括、自動、オペレーション契機）、設定バックアップ、ＦＷ更新、装置制御（リセット）、冗長構成対応を有する。これらの処理は、基本処理であるＣＬＩ−ＩＦ、装置管理ＩＦ、オペレーションＩＦ、汎用Ｃｏｎｆｉｇ（コンフィグ）−ＩＦ（Ｎｅｔｃｏｎｆ、ＳＮＭＰなど）、テーブル管理から構成されてもよい。装置設定、設定バックアップ、ＦＷ更新、装置制御、冗長構成対応は備えずに同等の処理を基本処理の組み合わせで実現してもよい。また、順番が入れ替わっていてもよい。
【０５０２】
保守運用機能部３３０の主要機能では、指示を受けてからＡＣＫ送信まで１００ミリ秒以内、指示を受けてから反映完了通知送信まで２００ミリ秒以内（ただし、データ転送を含む設定バックアップとＦＷ更新は規模（サイズ・ユーザ数）に応じる等の規定に従うこと）が求められる。機能分担の例としては、ハードのＣｏｎｆｉｇを除きアプリによる処理とし、ソフトや設定データはＯＮＵやＯＬＴで持たずに図８の外部サーバ１６上のアプリによる処理とすることもできる。コマンドの統一とシーケンスの定義をすることで実現することもできる。
【０５０３】
図１５は、保守運用機能部３３０が有する機能の構成の第２例を示す図である。保守運用機能部３３０が有する機能を構成する処理として、装置の状態監視（ＣＰＵ／メモリ／電源／切替）、トラフィック監視、警報監視（ＯＮＵ異常、ＯＬＴ異常）、試験（ループバック）を有する。これらの処理は基本処理である警報通知、ログ記録、Ｌ３パケット生成／処理、テーブル管理から構成されてもよい。装置の状態監視、トラフィック監視、警報監視、試験は同等の処理を基本処理の組み合わせで実現してもよい。また、順番が入れ替わっていてもよい。
【０５０４】
保守運用機能部３３０の主要機能では、レイテンシが１００ミリ秒以内等の規定に従うことが求められる。機能分担の例として、通知／表示のＩＦのみアプリとし、モニタが必要な項目（ＣＰＵ負荷、メモリ利用量、電源状態、消費電力、イーサネット（登録商標）のリンク状態など）は機器依存部１１０であり、機器依存部１１０からの通知読み出し、通知のネットワーク（ＮＷ）送信、ファイルへの書き込みなどのＩＦをきるアプリによる処理とすることもできる。
【０５０５】
図１６は、保守運用機能部３３０が有する機能構成の第３例を示す図である。保守運用機能部３３０が有する保守運用機能を構成する処理として、高速を要する監視・制御の入出力（スリープ指示／返答、λ設定切替指示／返答など）を有する。本処理の手段として、物理層ＯＡＭ（ＰＬＯＡＭ：ＰＨＹｓｉｃａｌ  Ｌａｙｅｒ  ＯＡＭ）メッセージ、及び、ヘッダ内のビット表示（Ｅｍｂｅｄｄｅｄ  ＯＡＭ）を利用する。これらの処理は基本処理であるＰＬＯＡＭ処理、Ｅｍｂｅｄｄｅｄ  ＯＡＭ処理、省電力制御機能部３６０との通信、プロテクション機能部３８０との通信、ＰＯＮアクセス制御機能部３２０との通信から構成されてもよい。高速を要する監視・制御の入出力は同等の処理を基本処理の組み合わせで実現してもよい。また、順番が入れ替わっていてもよい。保守運用機能部３３０の主要機能では、ＰＬＯＡＭ処理を７５０マイクロ秒以内とする等の規定に従うことが求められる。
【０５０６】
図１７は、ＰＯＮマルチキャスト機能部３５０が有する機能構成の例を示す図である。ＰＯＮマルチキャスト機能部３５０が有するＰＯＮマルチキャスト機能を構成する処理として、マルチキャストストリームの識別又は振り分け、ＭＬＤプロキシ／スヌーピング、ＯＮＵフィルタ設定、波長間設定移行を有する。これらの処理は基本処理であるＬ２識別・振り分け、Ｌ３パケット処理（ＩＰｖ６  Ｐａｒｓｅを備えるのが望ましい）、Ｌ３パケット生成、テーブル管理、ＯＭＣＩ機能との通信から構成されてもよい。マルチキャストストリームの識別又は振り分け、ＭＬＤプロキシ／スヌーピング、ＯＮＵフィルタ設定、波長間設定移行は同等の処理を基本処理の組み合わせで実現してもよい。また、順番が入れ替わっていてもよい。
【０５０７】
なお本願の文中ではマルチキャストのプロトコルとしてＭＬＤで例示したが、ＩＧＭＰ等の他のプロトコルであっても同様である。
【０５０８】
ＰＯＮマルチキャスト機能部３５０の主要機能では、識別／振り分けを１０Ｇｂｉｔ／ｓ／λと２．５Ｇｂｉｔ／ｓ／λの処理をそれぞれ波長毎に処理する場合、それぞれ１０Ｇｂｉｔ／ｓ／λと２．５Ｇｂｉｔ／ｓ／λ以上のストリーム処理が、複数波長を処理するなら複数波長分が求められる。さらに、ＰＯＮマルチキャスト機能部３５０の主要機能では、パケット処理としてザッピング性能（Ｚａｐｐｉｎｇ性能）（ＪＯＩＮレイテンシ）が、平均１．５秒以内等の規定に従うことが求められる。
【０５０９】
機能分担の例としては、マルチキャスト（ＭＣ）ストリームの識別・振分は高速な処理能力を持つＣＰＵ等であればソフト処理可だが、ハード＋ｃｏｎｆｉｇが望ましい。その他、上りに対するアプリ系やＯＮＵ設定は頻度や遅延制約が緩いためアプリによる処理とするである。
【０５１０】
図１８は、省電力制御機能部３６０が有する機能構成の例を示す図である。省電力制御機能部３６０が有する機能を構成する処理として、スリープ用プロキシ／トラフィックモニタ、ＯＮＵ波長設定、波長間設定移行を有する。これらの処理は基本処理であるＬ３パケット処理（ＩＰｖ６  Ｐａｒｓｅを備えるのが望ましい）、Ｌ３パケット生成、テーブル管理、ＯＳＵ省電力ステートダイアグラム（ＳＤ：Ｓｔａｔｅ  Ｄｉａｇｒａｍ）、ＯＭＣＩ機能との通信から構成されてもよい。スリープ用プロキシ／トラフィックモニタ、ＯＮＵ波長設定、波長間設定移行は同等の処理を基本処理の組み合わせで実現してもよい。また、順番が入れ替わっていてもよい。
【０５１１】
本主要機能では、送受信立ち上がり時間（受信器／送信器）を１０ミリ秒／５ミリ秒、立ち上がり時間（ＬＣ／ＯＳＵ／ＯＬＴ）を１００ミリ秒／１秒／１０秒等の規定に従うことが求められる。
【０５１２】
機能分担の例として、パワーセーブ（ＰＳ：Ｐｏｗｅｒ  Ｓａｖｅ）アプリや、信号によってはプロキシ処理もアプリによる処理とすることもできる。省電力制御状態遷移管理（ドライバ部）は速度が求められるがアプリによる処理とすることもできる。トラフィックモニタはコンフィグ（ｃｏｎｆｉｇ）のみアプリによる処理とすることもできる。
【０５１３】
図１９は、周波数・時刻同期機能部３７０が有する機能構成の例を示す図である。ＯＬＴは、ＳｙｎｃＥ（Ｓｙｎｃｈｒｏｎｏｕｓ  Ｅｔｈｅｒｎｅｔ（登録商標））（周波数同期用）及びＩＥＥＥ  １５８８ｖ２（時刻同期）により、自身のリアルタイムクロック（ＲＴＣ）を上位装置に従属同期させる。更に、ＯＭＣＩを利用して、ＰＯＮのスーパーフレームカウンタ（ＳＦＣ）と絶対時刻（ＴｏＤ：Ｔｉｍｅ  ｏｆ  Ｄａｙ）情報の対応をＯＮＵに通知する。これらの処理は基本処理であるリアルタイムクロックの保持等から構成されてもよい。同等の処理を基本処理の組み合わせで実現してもよい。また、順番が入れ替わっていてもよい。
【０５１４】
本主要機能では、周波数同期精度＋／−５０ｐｐｂ（ＬＴＥ  ＦＤＤ、同ＴＤＤ）、時刻同期精度＋／−１〜１．５マイクロ秒（ＬＴＥ  ＴＤＤ、スモールセル）、＋／−１マイクロ秒（Ｇ．９８７．３）等の規定に従うことが求められる。機能分担の例としては、リアルタイムクロック自体は機器依存部１１０であり、上位装置への時刻合わせ計算はアプリによる処理とすることもできる（精度により機器依存部１１０とすることもできる）。
【０５１５】
図２０は、プロテクション機能部３８０が有する機能構成の例を示す図である。プロテクション機能部３８０が有するプロテクション機能を構成する処理として、冗長切替（ＣＴ、ＳＷ、ＮＮＩ、ＣＯＮＴ、ＰＯＮ（Ｔｙｐｅ  Ａ、Ｂ、Ｃ））を備える。これらの処理は基本処理である冗長パス設定、切替トリガ検出、切替通知送受信、切替処理等から構成されてもよい。同等の処理を基本処理の組み合わせで実現してもよい。また、順番が入れ替わっていてもよい。
【０５１６】
本主要機能では、強制切替は５０ミリ秒以下等の規定に従うことが求められる。機能分担の例としては、故障検出等のハードの切替トリガ検出と切替処理を除きアプリによる処理とすることもできる。冗長パスを予め設定せずに、切替トリガ検出時にＥＭＳ側へ（から）指示する場合は機器依存、等である。
【０５１７】
なお、主要８機能は必要に応じて備えればよく、例えばＰＯＮ主信号処理機能、ＰＯＮアクセス制御機能、Ｌ２主信号処理機能、保守運用機能のみを備えてもよいし、それ以外の機能を備えてもよい。また、各機能のソフト化可否の評価は、２０１８年に想定されるＯＬＴの処理能力かつ、ソフトスイッチの適用は想定していない前提での一例である。想定する処理能力やソフトスイッチの適用を想定して適宜変更してもよい。ソフト化可の機能であっても、ソフト化しなくてもよい。各機能の内部の構成は同様の機能を実現できれば他の構成であってもよい。
【０５１８】
主要８機能に含まれるアルゴリズムを主なソフト化領域とする。ソフト化領域とした機能を機器無依存ＡＰＩ２１、２２上の機器無依存アプリ部１３０とする。例えば、差異化サービスに資するＯＮＵ登録又は認証機能、ＤＷＢＡ機能、設定・管理・監視制御機能及び省電力制御機能におけるアルゴリズムは機器無依存アプリ部１３０における拡張機能部１３１として扱われる。ＭＬＤプロキシアプリはマルチキャスト機能を含む。
【０５１９】
拡張機能部１３１は、アプリの内、機能の更新頻度や独自仕様等の実現等の重要度に応じて拡張機能部１３１とする。更新頻度が低いか独自仕様等の実現の要求の低いものは基本機能部１３２や機器無依存アプリ部１３０以外のミドルウェア部１２０や機器依存ソフトウェアやハードウェア部１１１（ＰＨＹ）及びハードウェア部１１２（ＭＡＣ）とすることが好ましい。特に、ソフトウェアの処理能力からくる制限がある機能は、ハードウェア部１１１（ＰＨＹ）及びハードウェア部１１２（ＭＡＣ）のままとすることが好ましい。例えば、主信号の優先処理や回線の利用効率を向上するＤＢＡ等の更改頻度が高いかサービス差異化に寄与する機能や、オペレータの業務フローに密接にかかわり合いオペレータ毎の独自仕様が要求される管理制御機能から拡張機能部１３１とする。
【０５２０】
図２１は、通信装置のアーキテクチャの詳細の例を示す図である。エンベデッドＯＡＭエンジン１１４ａ（Ｅｍｂｅｄｄｅｄ  ＯＡＭ  Ｅｎｇｉｎｅ）は、ミドルウェア部１２０を介して、ＤＢＡアプリ部及びプロテクションアプリ部と接続されている。ＰＬＯＡＭエンジン１１４ｂは、ミドルウェア部１２０を介して、ＤＷＢＡアプリ、ＯＮＵ登録認証、高速監視アプリ、省電力アプリ及びプロテクションアプリと接続されている。
【０５２１】
ＯＭＣＩは、ミドルウェア部１２０を介して、省電力アプリ及び低速監視アプリ（ＯＭＣＩ）と接続されている。Ｌ２機能部（Ｌ２  ｆｕｎｃｔｉｏｎ）は、ミドルウェア部１２０を介して、省電力アプリ及びＭＬＤプロキシアプリと接続されている。Ｌ２機能部は、ミドルウェア部１２０を介して、設定・管理アプリと更に接続されている。ＮＥ管理部１１５ａは、設定・管理アプリと接続されている。ＮＥコントロール１１５ｂは、低速監視アプリ（ＥＭＳ−ＩＦ）と接続されている。
【０５２２】
図２２は、通信装置内の機能部間の信号／情報の流れを示す図である。同図では、ＯＬＴのＩｎ／Ｏｕｔに着目した、通信装置内の機能部間の信号／情報の流れを示している。同図に示すように通信装置としてのＯＬＴは、ＡＰＩ下側処理実体（ＦＡＳＡプラットフォーム）とアプリ（ＦＡＳＡアプリケーション）とから構成される。
【０５２３】
ＡＰＩ下側処理実体は、ＯＬＴ入出力対象がＭＰＣＰ送受に対する送信指示と受信通知であるＭＰＣＰ／ＤＢＡ処理実体、ＯＬＴ入出力対象がＯＡＭ送受であるＯＡＭ処理実体、ＯＬＴ入出力対象がＯＮＵ認証送受であるＯＮＵ認証処理実体、ＯＬＴ入出力対象がＭＬＤ／ＩＧＭＰ送受であるＭＬＤ／ＩＧＭＰ処理実体、ＯＬＴ入出力対象が他プロトコル送受である他プロトコル処理実体、ＯＬＴ入出力がブリッジ・暗号化等主信号処理に対する設定や参照・状態取得である主信号設定処理実体、ＯＬＴ入出力対象がＯＬＴハード・ＩＦ・ＯＳ等である装置管理処理実体で例示している。ここで、ＭＰＣＰ送受に対する送信指示と受信通知はドライバ直叩きを想定し、send_frame(*raw_frame);のようなものであることが望ましい。
同図では、アプリとして、ＤＢＡ、ＯＮＵ管理、回線管理、マルチキャスト、ＥｔｈｅｒＯＡＭ、冗長、装置管理、警報管理、Ｎｅｔｃｏｎｆエージェント、アプリ管理を例示している。
【０５２４】
ＯＬＴのＩｎ／Ｏｕｔは、ＯＮＵに対する入出力と、ＯＬＴ自身への設定／通知と、ＥＭＳとの入出力の３つに大別される。ＡＰＩ上側のアプリから見ると、ＡＰＩ下側処理部に対しては、ドライバ直叩きのような処理と比べて、（ａ）簡単に（都合よく）、（ｂ）共通に（複数種間で）、（ｃ）便利に、処理してくれる処理実体があることが望ましい。
【０５２５】
以下にＡＰＩ下側処理実体の機能分担を例示する。アプリはそれに対応する処理を有する。ＡＰＩ下側処理実体とアプリの機能分担は、以下のいずれであってもそれ以外であってよし、処理実態毎に異なっていてもよい。
【０５２６】
（０）メッセージスルー：メッセージをＡＰＩ上部側とＯＮＵ／上位ＮＷとでスルーする。
【０５２７】
（１）フレーミング：メッセージを、フレームを外して、必要に応じて要素に分解又は処理してＡＰＩ上部側に提供する。ＡＰＩ上部からは、情報をＡＰＩ下部側に渡す。ＡＰＩ下側処理実体はフレーミングを行う。各プロトコルへの依存が大きいＡＰＩになるため機器依存アプリ部に含まれてもよい。固定的なパラメータ（タイプ値など）は、ＡＰＩ上部から初期化時等に設定され、保持するのが望ましい。設定パラメータはＡＰＩ上部からの参照に対して返信する。
【０５２８】
（２）自動応答：定期送信、固定的な応答など、判断を要しないメッセージ送受信を処理実体が担う。ＡＰＩ上部からは、あらかじめ動作の設定が行われるのが望ましい。例えば、応答周期など。ＡＰＩ上部への通知が必要な場合のみ結果を通知する。
【０５２９】
（３）自律判断：判断を伴う処理についても、処理実体で担う。ＡＰＩ上部からは、あらかじめ、ポリシーの設定が行われる。
【０５３０】
本図はＩＥＥＥ準拠の１０ＧＥＰＯＮに即して記載しているが、対応する機能及び処理を読みかえればＩＴＵ−Ｔやそれ以外に準拠する装置であっても同様である。また機能や処理実態は例であり条件に応じて適宜追加、削除、入替、変更してもよい。
【０５３１】
図２３は、通信装置が実行するアプリの例を示す図である。ＣＰＵの処理は、３グループに分類される。３グループは、Ｃｏｎｔ向きのＣＰＵと、ＯＳＵ向きのＣＰＵと、ＳＷ向きのＣＰＵとである。Ｃｏｎｔ向きのＣＰＵの処理は、低速監視アプリ（ＯＭＣＩ）と、低速監視アプリ（ＥＭＳ−ＩＦ）と、設定・管理アプリとを実行する処理である。ＳＷ向きのＣＰＵの処理は、ＭＬＤプロシキアプリを実行する処理である。ＯＳＵ向きのＣＰＵの処理は、省電力アプリと、プロテクションアプリと、高速監視アプリと、ＤＢＡアプリと、ＤＷＢＡアプリと、ＯＮＵ登録認証アプリとを実行する処理である。装置設定ＩＦは、ＥＭＳ−ＩＦの一部であってもよく、機器依存ＡＰＩ２５と同等であってもよい。
【０５３２】
各アプリがＣＰＵパッケージ上のＣＰＵで処理される例である。図２３では、各アプリをＯＬＴ内の制御部であるコントパッケージ（図２３におけるＣｏｎｔ．）向き、複数の光送受信機（図２３のλＣａｒｄ）を備えるＯＳＵパッケージ（図２３のＯＳＵ）向き、ＯＳＵ及び上位ネットワーク側の装置とデータの入出力を行うＳＷパッケージ向きの３グループに分類している。ＯＳＵグループを省電力アプリ、プロテクションアプリ、高速監視アプリ、ＤＢＡアプリ、ＤＷＢＡアプリ、ＯＮＵ登録認証アプリとし、ＳＷグループをＭＬＤプロキシアプリとし、Ｃｏｎｔグループを低速監視アプリ（ＯＭＣＩ）、低速監視アプリ（ＥＭＳ−ＩＦ）、設定管理アプリとした。更に、ＣＰＵでの集中制御を想定しているが、分類した各グループのアプリをそれぞれのパッケージ（Ｃｏｎｔ、ＯＳＵ、ＳＷ）に分散配置してもよい。また上記の分類によらずに、Ｃｏｎｔ、ＯＳＵ、ＳＷのいずれか又はそれらの複数の組み合わせ上に配置してもよい。また、図２３の装置設定ＩＦはＥＭＳ−ＩＦの一部であってもよいし、図３の機器依存ＡＰＩ２５同等であってもよい。またアプリの処理はＣＰＵ上で行うとしたが、一部また全てを、処理機能を備える代替物、例えばＣＰＵ以外のＧＰＵやＮＰＵやＤＳＰ等のプロセッサやＦＰＧＡ上で処理してもよい。他の実施形態でも同様である。
【０５３３】
図２４は、ＣＰＵパッケージの代わりにサーバ等にアプリを配置した例である。アプリはサーバ等上で処理され、そのアプリの処理結果は、イーサネット（登録商標）フレーム等の伝送路で伝送できる形式により伝送路で伝送された後に、ＯＬＴに到着する。ここで、伝送路で伝送できる形式としては、イーサネット（登録商標）フレーム以外のフレームやＴＤＭ等の伝送であってもよい。また、処理結果の伝送には、変換機（図２４におけるＣｏｎｖ．）を介しているが、ＯＳＵやＳＷやλカードが変換機を介さずにアプリの処理結果を受けることが可能とすれば変換機は不要である。サーバ等は、図８の外部サーバ１６相当であってもよいし、プロキシ部１５相当であってもよい。
【０５３４】
図２５は、ＣＰＵ、スイッチ部（ＳＷ）及びＯＳＵの機能（処理）の例を示す図である。ＣＰＵは、省電力制御機能と、プロテクション機能とを、アプリによって実行する。ＣＰＵは、さらに、保守運用機能（Ｆａｕｌｔ  Ｍａｎａｇｅｍｅｎｔ）と、保守運用機能（ＧＴＣ／ＰＭＤ  ｃｏｎｆｉｇ）と、ＰＯＮアクセス処理機能（ＯＮＵ  ａｃｔｉｖａｔｉｏｎ）と、ＰＯＮアクセス処理機能（ＤＢＡ）と、ＰＯＮアクセス処理機能（λ割当変更）と、保守運用機能（Ｓｅｒｖｉｃｅ  Ｍａｎａｇｅｍｅｎｔ）と、保守運用機能（Ｅｑｕｉｐｍｅｎｔ  Ｍａｎａｇｅｍｅｎｔ）とを実行する。またさらに、ＣＰＵは、保守運用機能（Ｆａｕｌｔ  Ｐｅｒｆｏｒｍａｎｃｅ  Ｍａｎａｇｅｍｅｎｔ）と、マルチキャスト機能（ＭＬＤ）とを、アプリによって実行する。
【０５３５】
スイッチ（ＳＷ）は、Ｌ２信号処理機能（ＶＬＡＮ）と、Ｌ２信号処理機能（ＱｏＳ、Ｑｕａｌｉｔｙ  ｏｆ  Ｓｅｒｖｉｃｅ）と、Ｌ２信号処理機能（Ｍｕｘ／ＤＭｕｘ、ＸＣ、Ｃｒｏｓｓ  Ｃｏｎｎｅｃｔ）と、マルチキャスト機能（Ｃｏｐｙ）とを、アプリによって実行する。ＯＳＵのＭＡＣは、ＰＯＮ主信号処理機能（Ｓｅｃｕｒｉｔｙ）と、ＰＯＮ主信号処理機能（Ｆｒａｍｉｎｇ）と、ＰＯＮ主信号処理機能（ＦＥＣ）と、周波数・時刻同期機能とを、アプリによって実行する。
【０５３６】
図２５では、ＣＰＵの囲みが基本機能部１３２と独自機能での処理、ＯＳＵのＭＡＣがベンダ依存部分での処理の例を示しているが、この分類に限定しない。図２５のＣＰＵは、図２４のＣＰＵパッケージや、図２４のサーバ等上やそれ以外の処理能力を持つ箇所又はそれらの組み合わせであってもよい。ＯＳＵのＭＡＣは、ＯＳＵ処理をする専用のＬＳＩを想定しているが、同等の処理が可能であれば汎用ＬＳＩを用いてもよい。
【０５３７】
図２６は、主要８機能のアプリの処理とＧ．９８９．３機能との対応の例を示す図である。ＤＢＡアプリと、ＤＷＢＡアプリと、ＯＮＵ登録認証アプリと、省電力アプリと、プロテクションと、高速監視アプリとは、ＴＷＤＭ  ＴＣレイヤのＴＷＤＭ  ＴＣ機能部（ＴＷＤＭ  ＴＣ  ｆｕｎｃｔｉｏｎｓ）と接続されている。ＭＬＤプロシキは、Ｌ２機能部（Ｌ２  ｆｕｎｃｔｉｏｎ）と接続されている。Ｌ２機能部は、ユーザ・データ・クライアント（Ｕｓｅｒ  Ｄａｔａ  Ｃｌｉｅｎｔ）と接続されている。設定・管理アプリと、低速監視アプリ（ＯＭＣＩ）と、低速監視アプリ（ＯＳＳ−ＩＦ）とは、Ｌ２機能部（Ｌ２  ｆｕｎｃｔｉｏｎ）に接続されている。設定・管理アプリと、低速監視アプリ（ＯＭＣＩ）と、低速監視アプリ（ＯＳＳ−ＩＦ）とは、更にＯＭＣＩクライアントに接続されている。
【０５３８】
図２７は、ＰＬＯＡＭ及びＯＭＣＩをＳＷ経由で取得する構成の例を示す図である。すなわち、図２７は、ＰＬＯＡＭ及びＯＭＣＩが、ユーザデータに加えて、図８の制御部１４又はプロキシ部１５又は外部サーバ１６から、対応するデータをＳＷ経由で取得する処理を示す。
【０５３９】
ユーザ・データ・クライアント（Ｕｓｅｒ  Ｄａｔａ  Ｃｌｉｅｎｔ）は、スイッチ部（ＳＷ）経由で、ユーザ・データ・アダプタ（Ｕｓｅｒ  Ｄａｔａ  Ａｄａｐｔｅｒ）からデータを取得する。ユーザ・データ・クライアントは、スイッチ部経由で、ユーザ・データ・アダプタにデータを送信する。ＣＰＵのＯＭＣＩクライアント（ＯＭＣＩ  Ｃｌｉｅｎｔ）は、スイッチ部経由で、ＯＭＣＩアダプタ（ＯＭＣＩ  Ａｄａｐｔｅｒ）からデータを取得する。ＯＭＣＩクライアントは、スイッチ部経由で、ＯＭＣＩアダプタにデータを送信する。
【０５４０】
ＣＰＵのＰＬＯＡＭプロセッサは、スイッチ部経由で、「ＡＭＣＣ  ＰＨＹアダプテーション・フレーミング部」（ＡＭＣＣ  ＰＨＹ  ａｄａｐｔａｔｉｏｎ  Ａｎｄ  ｆｒａｍｉｎｇ）から、データを取得する。ＣＰＵのＰＬＯＡＭプロセッサは、スイッチ部経由で、「ＡＭＣＣ  ＰＨＹアダプテーション・フレーミング部」に、データを送信する。また、ＣＰＵのＰＬＯＡＭプロセッサは、スイッチ部経由で、ＰＬＯＡＭパーティション部（ＰＬＯＡＭ  ｐａｒｔｉｔｉｏｎ）から、データを取得する。ＣＰＵのＰＬＯＡＭプロセッサは、スイッチ部経由で、ＰＬＯＡＭパーティション部に、データを送信する。
【０５４１】
ＴＷＤＭ  ＴＣレイヤのＴＷＤＭ  ＴＣ機能部（ＴＷＤＭ  ＴＣ  ｆｕｎｃｔｉｏｎｓ）は、スイッチ部経由で、エンベデッド・ヘッダ領域（Ｅｍｂｅｄｄｅｄ  ｈｅａｄｅｒ  ｆｉｅｌｄｓ）から、データを取得する。ＴＷＤＭ  ＴＣレイヤのＴＷＤＭ  ＴＣ機能部は、スイッチ部経由で、エンベデッド・ヘッダ領域にデータを送信する。
【０５４２】
なお、図３及び図４の例では、ソフト化領域を、基本機能部１３２、管理・制御エージェント部１３３、拡張機能部１３１、ミドルウェア部１２０としたが、ソフト化領域は、サービスアダプテーション（暗号化、フラグメント処理、ＧＥＭフレーム化／ＸＧＥＭフレーム化、ＰＨＹアダプテーションのＦＥＣ、スクランブル、同期ブロック生成／抽出、ＧＴＣ（ＧＰＯＮ  Ｔｒａｎｓｍｉｓｓｉｏｎ  Ｃｏｎｖｅｒｇｅｎｃｅｓ）フレーム化、ＰＨＹフレーム化、ＳＰ変換、符号化方式も対象としてもよい。アーキテクチャのソフト化機能の実装例とハードウェア部１１１（ＰＨＹ）及びハードウェア部１１２（ＭＡＣ）に対応する機能配備の例を説明する。機能配備は、例えば、ネットワーク機器又は外部のサーバにソフト化機能を備える。
【０５４３】
複数のＯＳＵ、スイッチ、情報処理部及び制御部を備えるＯＬＴを想定する。各ＯＳＵは、波長毎に異なる送受信部を備える。この場合、ミドルウェア部１２０が各ＯＳＵ及びスイッチに搭載され、機器無依存アプリ部１３０などのソフト化領域が情報処理部に搭載される。
【０５４４】
情報処理部すなわちＣＰＵは、機器無依存アプリ部１３０を実行する。機器無依存アプリ部１３０は、ＯＳＵ用の拡張機能部１３１と、スイッチ用の拡張機能部１３１と、制御部用の拡張機能部１３１とを含む。ＯＳＵ用の拡張機能部１３１は、例えば、省電力アプリ、プロテクションアプリ、ＤＢＡアプリ、ＯＮＵ登録認証アプリである。スイッチ用の拡張機能部１３１は、例えば、ＭＬＤプロキシアプリである。制御部用の拡張機能部１３１は、例えば、低速監視アプリ（ＯＭＣＩ）、低速監視アプリ（ＥＭＳ−ＩＦ）、設定・管理アプリである。ＥＭＳは、例えば、ＯＳＳ（Ｏｐｅｒａｔｉｏｎ  Ｓｕｐｐｏｒｔ  Ｓｙｓｔｅｍ）である。
【０５４５】
Ｇ．９８９．３の場合、例えば、図２１、２３〜２５に示すようになる。ＤＢＡアプリの場合、図３及び図４に示すミドルウェア部１２０又は図５及び図６に示す基本機能部１３２は、ＴＣレイヤのハードウェア部１１１（ＰＨＹ）及びハードウェア部１１２（ＭＡＣ）であるエンベデッドＯＡＭエンジン（Ｅｍｂｅｄｄｅｄ  ＯＡＭ  Ｅｎｇｉｎｅ）を動作させる。そして、ＰＭＤレイヤのハードウェア部１１１（ＰＨＹ）及びハードウェア部１１２（ＭＡＣ）である送受信部がＤＢＡアプリに従って受信する。なお、送受信部がＤＢＡに従わない上り信号でも受信する場合、ＤＢＡアプリに従わないとしてもよい。
【０５４６】
情報処理部は、これらのソフト化機能に限らず、それ以外のソフト化機能を備えていてもよい。ハードウェア部１１１（ＰＨＹ）及びハードウェア部１１２（ＭＡＣ）は、送受信部、ＯＳＵ、スイッチ、制御部、情報処理部に限らない。例えば、情報処理部は、送受信部、ＯＳＵ、スイッチ、制御部に含まれていてもよい。また図８に示すように、スイッチのＮＮＩ（Ｎｅｔｗｏｒｋ−Ｎｅｔｗｏｒｋ  Ｉｎｔｅｒｆａｃｅ）側に、スイッチに入出力する信号を処理するプロキシ部又は外部サーバを備えていてもよい。外部サーバ１６は、複数の装置を備えるデータセンタ等のいわゆるクラウドと呼ばれる情報処理機能であってもよい。
【０５４７】
各機能は、処理能力や処理遅延の要求に応じて適宜配置してもよい。また、ＯＳＵにスイッチ部１２又はスイッチ部１３を備えていてもよいし、スイッチとは別途スイッチ（スイッチ部１３を備える場合のスイッチ部１２）を備えていてもよい。スイッチの機能はスイッチ部１２とスイッチ部１３で重複せずにスイッチの処理能力等に従って適宜分担することが望ましいが、重複してもよい。
【０５４８】
ソフト化機能を配備する箇所は、情報処理部に限らず、複数の演算処理可能な箇所に配置してもよい。例えば、ソフト化機能を配備する箇所は、送受信部、ＯＳＵのスイッチ、ＯＳＵのスイッチ以外、ＯＬＴの制御部、ＯＬＴのスイッチ、ＯＬＴの情報処理部、ＯＬＴのスイッチと制御部と情報処理部以外、スイッチのＮＮＩ側にスイッチに入出力する信号を処理するプロキシ部また外部サーバ等の処理装置のいずれかであってもよい。
【０５４９】
また、ソフト化機能の配置は、ソフト化機能毎であってもよいし、単一のソフト化機能を分割したソフト化機能の一部であってもよい。例えば、送受信部に関するものを送受信部以外の他の箇所、例えば、ＯＳＵのスイッチ、ＯＳＵの送受信部以外且つスイッチ以外、ＯＬＴのスイッチ、ＯＬＴの制御部、ＯＬＴの情報処理部、ＯＬＴのそれ以外、ＯＬＴの外部で主信号の経路上にあるプロキシ部、外部サーバ等のどこか又は複数の配備場所の組み合わせに配備してもよい。ＰＯＮ終端に関するものをＰＯＮ終端処理配備箇所以外の他の箇所、例えば、ＯＳＵの送受信部、ＯＳＵのスイッチ、ＯＳＵの送受信部以外且つスイッチ以外、ＯＬＴのスイッチ、ＯＬＴの制御部、ＯＬＴの情報処理部、ＯＬＴのそれ以外、ＯＬＴの外部で主信号の経路上にあるプロキシ部、外部サーバ等のどこか又は複数の配備場所の組み合わせに配備してもよい。
【０５５０】
ＯＮＵのスイッチに関するものをＯＮＵのスイッチ以外の他の箇所、例えば、送受信部、ＯＳＵの送受信部以外且つスイッチ以外、ＯＬＴのスイッチ、ＯＬＴの制御部、ＯＬＴの情報処理部、ＯＬＴのそれ以外、ＯＬＴの外部で主信号の経路上にあるプロキシ部、外部サーバ等のどこか又は複数の配備場所の組み合わせに配備してもよい。ＯＬＴのスイッチに関するものをＯＬＴのスイッチ以外の他の箇所、例えば、送受信部、ＯＳＵのスイッチ、ＯＳＵの送受信部以外且つスイッチ以外、ＯＬＴの制御部、ＯＬＴの情報処理部、ＯＬＴのそれ以外、ＯＬＴの外部で主信号の経路上にあるプロキシ部、外部サーバ等のどこか又は複数の配備場所の組み合わせに配備してもよい。
【０５５１】
また、ソフト化機能を配備する箇所は拡張機能部１３１の配備の状況や、演算可能な箇所の演算能力や演算負荷や消費電力等に応じて、適宜変更してもよい。
【０５５２】
ＯＬＴの主信号処理に係る主要な機能と機能間の関係を説明する。ＯＬＴ機能をスイッチに移行する。ＰＨＹアダプテーション機能、フレーム化機能、サービスアダプテーション機能などのＰＯＮ区間処理を行うＰＯＮ主信号処理機能を、送受信部に配備する。ＯＮＵ登録又は認証機能、ＤＢＡ制御機能、ＤＷＡ機能などのＰＯＮアクセス制御機能を情報処理部に配備する。フレーム化で利用されるＶＬＡＮ制御、シェーパの前段の優先制御、マックス又はデマックス（Ｍｕｘ／ＤＭｕｘ）及びキュー（Ｑｕｅｕｅ）、並びにフレーム化の前段のシェーパなどのＬ２主信号処理機能をスイッチに配備する。
【０５５３】
シェーパの前段のコピー機能、コピーで利用されるＭＬＤプロキシなどのマルチキャスト機能をスイッチに配備する。このように、ＰＯＮに配備されていたＰＯＮ主信号処理機能及びＰＯＮアクセス制御機能をスイッチに配備することで、ＰＯＮ基本機能部を縮小する。特に、Ｌ２主信号処理は重複を避け、スイッチに配備することが好ましい。
【０５５４】
なお、スイッチの機能として、Ｃｌａｓｓｉｆｉｅｒ（クラシファイア）、Ｍｏｄｉｆｉｅｒ（モディファイア）、Ｐｏｌｉｃｅｒ／Ｓｈａｐｅｒ（ポリサー／シェーパ）、Ｃｒｏｓｓ  Ｃｏｎｎｅｃｔ（クロス・コネクト）、Ｑｕｅｕｅ（キュー）、Ｓｃｈｅｄｕｌｅｒ（スケジューラ）の順に備える前提で例示したが適宜変更してもよい。例えば、上り方向であり、帯域割当単位の中で処理を行わなければ、ＯＮＵからの入力をバースト送信のためのプリアンブルやバーストオーバーヘッドを外し、フレームをデカプセル化したり、ＬＬＩＤを外したりして、ＰＯＮを終端のみし、Ｃｌａｓｓｉｆｉｅｒ、Ｍｏｄｉｆｉｅｒ、Ｐｏｌｉｃｅｒ／Ｓｈａｐｅｒ、Ｃｒｏｓｓ  Ｃｏｎｎｅｃｔ、Ｑｕｅｕｅ、Ｓｃｈｅｄｕｌｅｒの全ての機能をスイッチで実施してもよいし、スイッチでＭｏｄｉｆｉｅｒ、Ｃｒｏｓｓ  Ｃｏｎｎｅｃｔ、Ｑｕｅｕｅ、Ｓｃｈｅｄｕｌｅｒのみ実施してもよい。
【０５５５】
更に、ＰＯＮ終端後のパス等を記載するＶＩＤ等をＯＮＵで付与すれば、Ｃｒｏｓｓ  Ｃｏｎｎｅｃｔ、Ｑｕｅｕｅ、Ｓｃｈｅｄｕｌｅｒすればよい。上位ネットワークが単一パスと見做せれば、Ｑｕｅｕｅ、Ｓｃｈｅｄｕｌｅｒでよい。また、Ｃｒｏｓｓ  Ｃｏｎｎｅｃｔでフレームが衝突しないようにＤＢＡすれば、Ｃｌａｓｓｉｆｉｅｒ、Ｍｏｄｉｆｉｅｒ、Ｐｏｌｉｃｅｒ／Ｓｈａｐｅｒ、Ｃｒｏｓｓ  Ｃｏｎｎｅｃｔ、とすることができる。更に、上り方向であり、帯域割当単位の中で処理を行わなければ、ＯＮＵからの入力をバースト送信のためのプリアンブルやバーストオーバーヘッドを外し、フレームをデカプセル化したり、ＬＬＩＤを外したりして、ＰＯＮを終端のみし、ＰＯＮ終端後のパス等を記載するＶＩＤ等をＯＮＵで付与すれば、Ｃｒｏｓｓ  Ｃｏｎｎｅｃｔのみとすることもできる。
【０５５６】
また、Ｃｌａｓｓｉｆｉｅｒ、Ｍｏｄｉｆｉｅｒ、Ｐｏｌｉｃｅｒ／Ｓｈａｐｅｒ、Ｃｒｏｓｓ  Ｃｏｎｎｅｃｔ、Ｑｕｅｕｅ、Ｓｃｈｅｄｕｌｅｒで、Ｃｌａｓｓｉｆｉｅｒ、Ｐｏｌｉｃｅｒ／Ｓｈａｐｅｒ、Ｍｏｄｉｆｉｅｒ、Ｃｒｏｓｓ  Ｃｏｎｎｅｃｔ、Ｑｕｅｕｅ、Ｓｃｈｅｄｕｌｅｒとしてもよいし、Ｐｏｌｉｃｅｒ／Ｓｈａｐｅｒの前段にＱｕｅｕｅを置いて、Ｃｌａｓｓｉｆｉｅｒ、Ｍｏｄｉｆｉｅｒ、Ｑｕｅｕｅ、Ｐｏｌｉｃｅｒ／Ｓｈａｐｅｒ、Ｃｒｏｓｓ  Ｃｏｎｎｅｃｔ、Ｓｃｈｅｄｕｌｅｒとしたり、Ｃｌａｓｓｉｆｉｅｒ、Ｑｕｅｕｅ、Ｐｏｌｉｃｅｒ／Ｓｈａｐｅｒ、Ｍｏｄｉｆｉｅｒ、Ｃｒｏｓｓ  Ｃｏｎｎｅｃｔ、Ｓｃｈｅｄｕｌｅｒとしたりしてもよい。ＰＯＮのバースト伝送や、マルチキャスト等の優先トラフィックを多重することによって生ずるバースト性による不要のＰｏｌｉｃｉｎｇ（ポリシング）／Ｓｈａｐｉｎｇ（シェイピング）や、受信側での平準化したトラフィックの受信を考慮するとＰｏｌｉｃｅｒ／Ｓｈａｐｅｒの前段にＱｕｅｕｅを置いて平準化した後にＰｏｌｉｃｉｎｇ／Ｓｈａｐｉｎｇによる処理を実行することが望ましい。
【０５５７】
特定の状態への状態遷移に際して、スリープ動作等の主体は、スリープ動作等の主体（通信装置が備える機器）の指示を、スリープ動作等の主体とは独立している外部に保管することによって、動作を継承することが可能となる。特定の状態は、例えば、スリープ状態、運用系の通信装置の切替状態、ユーザ収容切替状態、マルチキャスト状態である。情報が通信装置の外部に保持されているため、他の通信装置への切替に際して、スリープ動作等の継承性が失われないようにすることが可能となる。通信装置は、機器が保持している情報の継承性を確保することが可能となる。
【０５５８】
また、通常の汎用化、ソフトウェア化したスイッチを実行部として流用することによって、汎用化、ソフトウェア化したスイッチの安価且つ柔軟かつ迅速な機能追加が可能なＯＬＴを実現することが可能となる。
【０５５９】
以上示した実施形態１−１に係る構成は、以下の実施形態でも同様であり、適宜組み合わせてもよい。例えば、図３では、本システムが、実行部の構成が送受信部１１（ＴＲｘ）、スイッチ部１２及びスイッチ部１３のみの場合を例示するが、送受信部１１（ＴＲｘ）、スイッチ部１２及びスイッチ部１３以外の箇所、それ以外の場所、ＰＯＮの終端する箇所や、制御部１４を実行部としてもよい。
【０５６０】
（実施形態１−２）
実施形態１−１ではＴＷＤＭ−ＰＯＮに用いられる構成を例示したが、ＴＤＭ−ＰＯＮに適用してもよい。ＴＤＭ−ＰＯＮでは、λ設定切替（ＤＷＡ）のようなＯＮＵの間ＯＮＵ−ＯＬＴのＰＯＮ区間の波長リソースを波長分割多重する機能を備えていなくてもよいことを除けば実施形態１−１と同様である。
【０５６１】
（実施形態１−３）
実施形態１−１ではＴＷＤＭ−ＰＯＮに用いられる構成を例示したが、ＷＤＭ−ＰＯＮに適用してもよい。ＷＤＭ−ＰＯＮでは、ＤＢＡのようなＯＮＵの間ＯＮＵ−ＯＬＴのＰＯＮ区間の帯域リソースを時分割多重する機能を備えていなくてもよいことを除けば、実施形態１−３は実施形態１−１と同様である。
【０５６２】
（実施形態１−４）
本実施形態は、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘ）−ＰＯＮ、ＣＤＭ（Ｃｏｄｅ  Ｄｉｖｉｓｉｏｎ  Ｍｕｌｔｉｐｌｅｘ）−ＰＯＮ、ＳＣＭ（Ｓｕｂｃａｒｒｉｅｒ  Ｍｕｌｔｉｐｌｅｘ）−ＰＯＮ、芯線分割多重を含めた組み合わせである。
【０５６３】
実施形態１−１ではＴＷＤＭ−ＰＯＮに用いられる構成を例示したが、波長と時間以外のリソースを共用するＰＯＮに適用してもよい。例えば、１波長の電気の周波数リソースを分割多重するＯＦＤＭ−ＰＯＮ、１波長の電気の周波数リソースを分割多重するＳＣＭ−ＰＯＮ、符号で分割多重するＣＤＭ−ＰＯＮに適用してもよいし、芯線分割多重を併用してもよいし、マルチコアファイバ等を用いた空間分割多重を併用してもよいし、波長分割多重を用いなくてもよい。ＴＷＤＭ−ＰＯＮの波長リソースを波長分割多重する機能を、それぞれの多重するリソースに分割多重するに要する機能に対応する機能に読み替えれば同様である。
【０５６４】
（実施形態２）
実施形態２では、ＴＷＤＭ−ＰＯＮに用いられる構成が、ＧＥＭカプセル化を行う。この場合、ＧＥＭフレームを生成するアダプタをスイッチに備え、スイッチとそれ以外の部分の間でＧＥＭフレームを導通するようにする。ＧＥＭカプセル化までスイッチに移管することで、それ以外の部分のプロトコルスタックからＬ２機能部を除外し、スイッチとそれ以外の部分で、Ｌ２機能部の重畳を回避することができる。
【０５６５】
なお、ＴＷＤＭ−ＰＯＮを例に挙げたが、実施形態１−２〜実施形態１−４のように、ＰＯＮ区間での識別するためのフレームを同様に扱えばそれ以外のＰＯＮであっても同様の効果が得られる。例えば、ＩＥＥＥの規格のＧＥ−ＰＯＮ、１０ＧＥ−ＰＯＮ等であれば、ＧＥＭフレームの代わりに、ＬＬＩＤを付与してＬＬＩＤの付与されたフレームをスイッチとそれ以外の部分の間を導通するようすればよい。
【０５６６】
（実施形態３）
実施形態３では、ＴＷＤＭ−ＰＯＮに用いられる制御情報が、スイッチを経由する。この場合、ブリッジ機能関連をスイッチに移管する代わりに、制御情報を保持するＰＬＯＡＭ、Ｅｍｂｅｄｄｅｄ  ＯＡＭ、ＯＭＣＩのいずれかを必要に応じてフレーム化してスイッチ経由で処理する。制御情報をスイッチ経由で入出力することで、スイッチ以外の処理が軽くなる効果がある。なお、実施形態３の移管に加えて、実施形態１及び実施形態２のブリッジ機能のスイッチへの移管を行ってもよい。
【０５６７】
なお、ＴＷＤＭ−ＰＯＮを例に挙げたが、制御情報を同様に扱いスイッチ経由で処理すれば、実施形態１−２〜実施形態１−４のように、それ以外のＰＯＮであっても同様の効果が得られる。
【０５６８】
以上のように、実施形態のＯＬＴ２ａは、複数のＯＮＵ３との通信を実行する複数の応答部４を備える。応答部４は、ＯＮＵ３に通信の帯域を動的に割当する処理であるＤＢＡ等を、ＯＮＵ３に対応付けられた少なくとも一つの応答部４に割振る。ＤＢＡ等処理が割振られた応答部４は、所定の条件を満たす場合、ＤＢＡ等処理を実行する。これによって、実施形態のＯＬＴ２は、ＤＢＡ等の演算能力が不足しないようにすることが可能である。
【０５６９】
実施形態の割振部５は、識別子と、通信の応答がＯＮＵ３からＯＬＴ２に到着した時刻と、処理が生成された時刻とのうち少なくとも一つに基づいて、ＤＢＡ等処理を割振る。実施形態のＯＬＴ２は、ＤＢＡ等処理が割振られたか否かを割振部５から応答部４に通知するためのインタフェースを備える。
【０５７０】
また、実施形態のＯＬＴ２ｂは、複数のＯＮＵ３との通信を実行する複数の応答部４と、割振部５とを備える。割振部５は、ＯＮＵ３に通信の帯域を動的に割当する処理であるＤＢＡ等を、ＯＮＵ３に対応付けられた少なくとも一つの応答部４に割振る。ＤＢＡ等処理が割振られた応答部４は、所定の条件を満たす場合、ＤＢＡ等処理を実行する。これによって、実施形態のＯＬＴ２は、ＤＢＡ等の演算能力が不足しないようにすることが可能である。
【０５７１】
上述した実施形態におけるＯＬＴ２（通信装置）及びＯＮＵ３の少なくとも一部をコンピュータで実現するようにしてもよい。その場合、この機能を実現するためのプログラムをコンピュータ読み取り可能な記録媒体に記録して、この記録媒体に記録されたプログラムをコンピュータシステムに読み込ませ、実行することによって実現してもよい。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。更に「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであってもよく、更に前述した機能をコンピュータシステムに既に記録されているプログラムとの組み合わせで実現できるものであってもよく、ＦＰＧＡ（Ｆｉｅｌｄ  Ｐｒｏｇｒａｍｍａｂｌｅ  Ｇａｔｅ  Ａｒｒａｙ）等のプログラマブルロジックデバイスを用いて実現されるものであってもよい。
【０５７２】
以上、この発明の実施形態について図面を参照して詳述してきたが、具体的な構成はこの実施形態に限られるものではない。上記の実施形態は例示に過ぎず、本発明は当業者の知識に基づいて種々の変更、改良を施した形態で実施することができ、この発明の要旨を逸脱しない範囲の設計等も含まれる。
【符号の説明】
【０５７３】
１…通信システム、２ａ…ＯＬＴ、２ｂ…ＯＬＴ、３…ＯＮＵ、４…応答部、５…割振部、１１…送受信部、１２…スイッチ部、１３…スイッチ部、１４…制御部、１５…プロキシ部、１６…外部サーバ、２１…機器無依存ＡＰＩ、２２…機器無依存ＡＰＩ、２３…機器依存ＡＰＩ、２４…機器依存ＡＰＩ、２５…機器依存ＡＰＩ、２６…ＡＰＩ、２７…機器無依存ＡＰＩ、１１０…機器依存部、１１１…ハードウェア部、１１２…ハードウェア部、１１３…ソフトウェア部、１１４…ＯＡＭ部、１１４ａ…エンベデッドＯＡＭエンジン、１１４ｂ…ＰＬＯＡＭエンジン、１１５…ＮＥ管理・制御部、１１５ａ…ＮＥ管理部、１１５ｂ…ＮＥコントロール、１２０…ミドルウェア部、１２１…ミドルウェア部、１３０…機器無依存アプリ部、１３１…拡張機能部、１３１−１…拡張機能部、１３１−２…拡張機能部、１３１−３…拡張機能部、１３２…基本機能部、１３３…管理・制御エージェント部、１４０…ＥＭＳ、１５０…機器依存アプリ部、１６０…外部の装置、３００…ＰＯＮ主信号処理機能部、３１０…ＰＭＤ部、３２０…ＰＯＮアクセス制御機能部、３３０…保守運用機能部、３４０…Ｌ２主信号処理機能部、３５０…ＰＯＮマルチキャスト機能部、３６０…省電力制御機能部、３７０…周波数・時刻同期機能部、３８０…プロテクション機能部
【図１】
2018129775.tif 000003
【図２】
2018129775.tif 000004
【図３】
2018129775.tif 000005
【図４】
2018129775.tif 000006
【図５】
2018129775.tif 000007
【図６】
2018129775.tif 000008
【図７】
2018129775.tif 000009
【図８】
2018129775.tif 000010
【図９】
2018129775.tif 000011
【図１０】
2018129775.tif 000012
【図１１】
2018129775.tif 000013
【図１２】
2018129775.tif 000014
【図１３】
2018129775.tif 000015
【図１４】
2018129775.tif 000016
【図１５】
2018129775.tif 000017
【図１６】
2018129775.tif 000018
【図１７】
2018129775.tif 000019
【図１８】
2018129775.tif 000020
【図１９】
2018129775.tif 000021
【図２０】
2018129775.tif 000022
【図２１】
2018129775.tif 000023
【図２２】
2018129775.tif 000024
【図２３】
2018129775.tif 000025
【図２４】
2018129775.tif 000026
【図２５】
2018129775.tif 000027
【図２６】
2018129775.tif 000028
【図２７】
2018129775.tif 000029